(57)【要約】【課題】遊技の興趣を向上させることができる遊技機の提供することにある。【解決手段】表示手段に表示させた数値情報を最終数値に向けて更新していく更新演出において数値情報を最終数値まで更新した後に、特別遊技を実行する可能性を示唆する複数種類の特定演出のうちの何れかの特定演出を実行可能であり、更新演出は、最終数値まで更新する第１更新演出と、最終数値まで更新する場合と更新しない場合とがある第２更新演出と、を含み、第１更新演出と、第２更新演出とを並行して実行可能であるが、それぞれ異なるタイミングで終了する。【選択図】図５０
2019042027.tif 000002
【特許請求の範囲】
【請求項１】
遊技者に有利な特別遊技を実行するか否かを判定し、当該判定結果に応じた変動演出を実行可能な遊技機において、
前記変動演出において表示手段に数値情報を表示する数値情報表示手段と、
前記判定結果に基づいて前記数値情報を最終数値に向けて更新していく更新演出を実行する演出実行手段と、を備え、
前記更新演出は、
最終数値まで更新する第１更新演出と、
最終数値まで更新する場合と更新しない場合とがある第２更新演出と、を含み、
前記演出実行手段は、
前記更新演出において前記数値情報を最終数値まで更新した後に、前記特別遊技を実行する可能性を示唆する複数種類の特定演出のうちの何れかの特定演出を実行可能であり、
前記第１更新演出と、前記第２更新演出とを並行して実行可能であるが、それぞれ異なるタイミングで終了する、
ことを特徴とする遊技機。
【発明の詳細な説明】
【技術分野】
【０００１】
本発明は、遊技機に関する。
【背景技術】
【０００２】
従来の遊技機では、始動条件が成立すると、遊技者に有利な特別遊技を実行するか否かの判定情報を取得し、判定情報を記憶する。そして、判定条件が成立すると記憶されている判定情報を判定すると共に、当該判定の結果に応じた変動演出を実行し、当該変動演出が特別結果になると特別遊技を実行するものがある。
【０００３】
このような遊技機の中には、変動演出において、特別遊技を実行する可能性を示唆する予告演出が実行されるまでの残り時間をカウントするタイマー演出を実行することで遊技の興趣を高めるようにしたものがある（例えば、特許文献１参照）。
【先行技術文献】
【特許文献】
【０００４】
【特許文献１】特開２０１３−１９８５６８号公報
【発明の概要】
【発明が解決しようとする課題】
【０００５】
しかしながら、上記特許文献１に記載の遊技機には、遊技の興趣の向上を図るには未だ改善の余地が残されていた。
【０００６】
本発明の目的は、上記した問題点を鑑みて、遊技の興趣を向上させることができる遊技機の提供を目的とする。
【課題を解決するための手段】
【０００７】
上記課題を解決するため本発明は、遊技者に有利な特別遊技を実行するか否かを判定し、当該判定結果に応じた変動演出を実行可能な遊技機において、前記変動演出において表示手段に数値情報を表示する数値情報表示手段と、前記判定結果に基づいて前記数値情報を最終数値に向けて更新していく更新演出を実行する演出実行手段と、を備え、前記更新演出は、最終数値まで更新する第１更新演出と、最終数値まで更新する場合と更新しない場合とがある第２更新演出と、を含み、前記演出実行手段は、前記更新演出において前記数値情報を最終数値まで更新した後に、前記特別遊技を実行する可能性を示唆する複数種類の特定演出のうちの何れかの特定演出を実行可能であり、前記第１更新演出と、前記第２更新演出とを並行して実行可能であるが、それぞれ異なるタイミングで終了する、ことを特徴とする。
【発明の効果】
【０００８】
本発明によれば、遊技の興趣を向上させることが可能となる。
【図面の簡単な説明】
【０００９】
【図１】遊技機の正面図である。
【図２】ガラス枠を開放させた遊技機の斜視図である。
【図３】遊技機の裏面側の斜視図である。
【図４】遊技機全体のブロック図である。
【図５】大当たり抽選の大当たり判定テーブルの一例を示す図である。
【図６】特別図柄決定テーブルの一例を示す図である。
【図７】大当たり遊技終了時設定データテーブルの一例を示す図である。
【図８】特別電動役物作動態様決定テーブルの一例を示す図である。
【図９】大入賞口開放態様決定テーブルの一例を示す図である。
【図１０】特図変動パターン決定テーブルの一例を示す図である。
【図１１】大当たり抽選の事前判定テーブルの一例を示す図である。
【図１２】普通図柄及び始動可動片に関するテーブルの一例を示す図である。
【図１３】メインＲＡＭの各種記憶領域の一例を示す図である。
【図１４】主制御基板におけるメイン処理を示す図である。
【図１５】主制御基板におけるタイマ割込処理を示す図である。
【図１６】主制御基板における入力制御処理を示す図である。
【図１７】主制御基板における第１始動口検出スイッチ入力処理を示す図である。
【図１８】主制御基板における第２始動口検出スイッチ入力処理を示す図である。
【図１９】主制御基板における特図特電制御処理を示す図である。
【図２０】主制御基板における特別図柄記憶判定処理を示す図である。
【図２１】主制御基板における大当たり判定処理を示す図である。
【図２２】主制御基板における特別図柄変動処理を示す図である。
【図２３】主制御基板における特別図柄停止処理を示す図である。
【図２４】主制御基板における大当たり遊技処理を示す図である。
【図２５】主制御基板における大当たり遊技終了処理を示す図である。
【図２６】主制御基板における普図普電制御処理を示す図である。
【図２７】主制御基板における普通図柄変動処理を示す図である。
【図２８】主制御基板における補助遊技処理を示す図である。
【図２９】演出制御部におけるメイン処理を示す図である。
【図３０】演出制御部におけるタイマ割込処理を示す図である。
【図３１】演出制御部におけるコマンド解析処理（１）を示す図である。
【図３２】演出制御部におけるコマンド解析処理（２）を示す図である。
【図３３】演出制御部におけるアイコン変化演出決定処理を示す図である。
【図３４】アイコン最終表示態様決定テーブルの一例を示す図である。
【図３５】変化シナリオ決定テーブルの一例を示す図である。
【図３６】演出制御部における変動演出パターン決定処理を示す図である。
【図３７】変動演出パターン決定テーブルの一例を示す図である。
【図３８】演出制御部における大当たり予告演出決定処理を示す図である。
【図３９】リーチ前予告決定テーブルの一例を示す図である。
【図４０】（ａ）はセリフパターン決定テーブルの一例を示す図であり、（ｂ）はステップアップパターン決定テーブルの一例を示す図である。
【図４１】（ａ）はリーチ中予告決定テーブルの一例を示す図であり、（ｂ）はキャラ群パターン決定テーブルの一例を示す図である。
【図４２】演出制御部におけるカウントアップ演出決定処理を示す図である。
【図４３】最終カウント値決定テーブルの一例を示す図である。
【図４４】カウントアップ演出の演出例を示す図である。
【図４５】演出制御部におけるタイマー演出決定処理を示す図である。
【図４６】（ａ）は変化タイマー回数決定テーブルの一例を示す図であり、（ｂ）はイベントタイマー回数決定テーブルの一例を示す図である。
【図４７】タイマー１回用の示唆イベント決定テーブルの一例を示す図である。
【図４８】タイマー２回用の示唆イベント決定テーブルの一例を示す図である。
【図４９】更新パターン決定テーブルの一例を示す図である。
【図５０】ＳＰリーチ演出が実行される変動演出中に１回のイベントタイマー演出が実行される場合のタイミングチャートである。
【図５１】ＳＰＳＰリーチ演出が実行される変動演出中に１回のイベントタイマー演出が実行される場合のタイミングチャートである。
【図５２】変動演出中に２回のイベントタイマー演出が実行される場合のタイミングチャートである。
【図５３】変動演出中に３つのタイマー演出が実行される演出例を示す図である。
【図５４】変動演出中に３つのタイマー演出が実行される演出例を示す図である。
【図５５】変動演出中に２つのタイマー演出が実行される演出例を示す図である。
【図５６】変動演出中に２つのタイマー演出が実行される演出例を示す図である。
【図５７】タイマー演出の変形例を示す図である。
【発明を実施するための形態】
【００１０】
以下、本発明の実施形態について図面を参照しながら具体的に説明する。
【００１１】
（遊技機１の構成）
まず、図１乃至図３を参照して、遊技機１の構成について具体的に説明する。図１は、本発明の実施形態における遊技機１の正面図の一例である。また、図２は、本発明の実施形態におけるガラス枠を開放させた遊技機１の斜視図の一例である。また、図３は、本発明の実施形態における遊技機１の裏面側の斜視図である。
【００１２】
遊技機１は、遊技店の島設備に取り付けられる外枠６０と、その外枠６０と回動可能に支持されたガラス枠５０と、が備えられている（図１、図２参照）。また、外枠６０には、遊技球２００が流下する遊技領域６が形成された遊技盤２が設けられている。
【００１３】
ガラス枠５０には、スピーカからなる音声出力装置３２と、複数のランプ（ＬＥＤ）を有する枠用照明装置３４ｂと、押圧操作により演出態様を変更させるための演出ボタン３５と、少なくとも２方向（本実施形態では４方向）へ押圧操作が可能な十字キー３６とが設けられている。
【００１４】
音声出力装置３２は、ＢＧＭ（バックグランドミュージック）、ＳＥ（サウンドエフェクト）等を出力し、サウンドによる演出を行っている。また、枠用照明装置３４ｂは、各ランプの光の照射方向や発光色を変更して、照明による演出を行うようにしたものであって複数の位置に設けられている。
【００１５】
演出ボタン３５には、演出ボタン検出スイッチ３５ａが設けられており、この演出ボタン検出スイッチ３５ａが遊技者の操作を検出すると、この操作に応じてさらなる演出を実行することになる。同様にして、十字キー３６にも、十字キー検出スイッチ３６ｂが設けられており、遊技者が遊技機１へ所定の情報を入力することができるように構成されている（図４参照）。
特に、本実施形態では、演出ボタン３５は、演出ボタン駆動モータ３５ｂによって上下方向に移動することが可能に構成されている（図４参照）。
【００１６】
また、ガラス枠５０には、回動操作されることにより遊技領域６に向けて遊技球を発射させる操作ハンドル３と、複数の遊技球を貯留する受け皿４０が設けられており、この受け皿４０は、操作ハンドル３の方向側に遊技球が流下するように下りの傾斜を有している（図２参照）。この受け皿４０の下りの傾斜の端部には、遊技球を受け入れる受入口が設けられており、この受入口に受け入れられた遊技球は、玉送りソレノイド４ｂが駆動することにより、ガラス枠５０の裏面に設けられた玉送り開口部４１へ遊技球が１個ずつ送り出される。
【００１７】
そして、玉送り開口部４１へ送り出された遊技球は、打出部材４ｃの方向に向けて下り傾斜を有している発射レール４２により、発射レール４２の下り傾斜の端部に誘導される。発射レール４２の下り傾斜の端部の上方には、遊技球を停留させる停止するストッパー４３が設けられており、玉送り開口部４１から送り出された遊技球は、発射レール４２の下り傾斜の端部で１個の遊技球が停留されることになる（図２参照）。
【００１８】
そして、遊技者が操作ハンドル３に触れることで、操作ハンドル３の内部に設けられているタッチセンサ３ａ（図４参照）が、操作ハンドル３と遊技者とが接触していることを検知する。その後、遊技者が操作ハンドル３を回動させると、操作ハンドル３に直結している発射ボリューム３ｂも回動し、発射ボリューム３ｂにより遊技球の発射強度が調整され、調整された発射強度で発射用ソレノイド４ａに直結された打出部材４ｃが回転する。この打出部材４ｃが回転することで、打出部材４ｃにより発射レール４２の下り傾斜の端部に貯留されている遊技球２００が打ち出され、遊技球が遊技領域６に発射されることになる。
【００１９】
上記のようにして発射された遊技球は、発射レール４２からレール５ａ、５ｂ間を上昇して玉戻り防止片５ｃを超えると、遊技領域６に到達し、その後、遊技領域６内を自由落下する。このとき、遊技領域６に設けられた複数の釘や風車によって、遊技球は予測不能に落下することになる。
【００２０】
遊技盤２の遊技領域６内には、各種の入賞口（一般入賞口１２、普通図柄ゲート１３、第１始動口１４、第２始動口１５、第１大入賞口１６、第２大入賞口１７）と、画像表示装置３１と、その画像表示装置３１の表示領域を取り囲むようにして飾り部材７とが設けられている。
【００２１】
これに対して、遊技盤２の遊技領域６外には、第１特別図柄表示装置２０と、第２特別図柄表示装置２１と、普通図柄表示装置２２と、第１特別図柄保留表示器２３と、第２特別図柄保留表示器２４と、普通図柄保留表示器２５とが設けられている。
【００２２】
遊技領域６の左側下部には、遊技領域６の左側領域に向けて発射（所謂、左打ち）された遊技球が入賞（入球）可能であって、遊技領域６の右側領域に向けて発射（所謂、右打ち）された遊技球が入賞不能な３つの一般入賞口１２が設けられており、遊技領域の６の右側下部には、右打ちされた遊技球が入賞（入球）可能であって、左打ちされた遊技球が入賞不能な１つの一般入賞口１２が設けられている。
【００２３】
ここで、各一般入賞口１２には、遊技球の入賞（入球）を検出するための一般入賞口検出スイッチ１２ａが設けられている。そして、一般入賞口１２への遊技球の入賞を検出すると、遊技球の払い出しを行うための払出装置から予め定められた数の賞球（例えば、１０個の遊技球）が払い出されることになる。
【００２４】
遊技領域６の中央下部には、左打ちされた遊技球が入賞可能であって、右打ちされた遊技球が入賞不能な始動領域を構成する第１始動口１４と、左打ちされた遊技球、及び、右打ちされた遊技球が入賞（入球）可能な始動領域を構成する第２始動口１５とが上下に並んで設けられている。
【００２５】
第２始動口１５は、第２始動口１５への遊技球の入賞を容易にするための普通電動役物（始動口開閉装置）を構成する始動可動片１５ｂ、及び、始動口開閉ソレノイド１５ｃを有しており、始動口開閉ソレノイド１５ｃの作動によって始動可動片１５ｂが垂直に立って第２始動口１５への遊技球の入賞を規制する状態となる閉鎖状態（閉鎖態様）と、始動可動片１５ｂが傾倒して第２始動口１５への遊技球の入賞を許容する開放状態（開放態様）とに変換制御される。第２始動口１５が開放状態であるときには、始動可動片１５ｂが遊技球を第２始動口１５に導く受け皿として機能するため、閉鎖状態であるときに比べて第２始動口１５への遊技球の入賞機会（入賞割合）が増すことになる。
【００２６】
ここで、第１始動口１４には、遊技球の入賞（入球）を検出するための第１始動口検出スイッチ１４ａが設けられ、第２始動口１５には、遊技球の入賞（入球）を検出するための第２始動口検出スイッチ１５ａが設けられている。そして、第１始動口１４や第２始動口１５への遊技球の入賞を検出すると、後述する「大当たり抽選（大当たり判定）」を行うための大当たり判定用乱数値を取得する。
【００２７】
また、第１始動口１４や第２始動口１５への遊技球の入賞を検出すると、上記大当たり判定用乱数値の他にも、停止表示する特別図柄を決定するための特別図柄決定用乱数値、特別図柄の変動時間を決定するためのリーチ判定用乱数値・特図変動用乱数値も取得される。なお、大当たり判定用乱数値、特別図柄決定用乱数値、リーチ判定用乱数値、特図変動用乱数値のことを特図判定情報という。
【００２８】
さらに、第１始動口１４への遊技球の入賞を検出すると、払出装置から予め定められた数の賞球（例えば、３個の遊技球）が払い出されることになる。また、第２始動口１５への遊技球の入賞を検出すると、払出装置から予め定められた数の賞球（例えば、１個の遊技球）が払い出されることになる。なお、第１始動口１４に遊技球が入賞した場合に払い出される賞球数と、第２始動口１５に遊技球が入賞した場合に払い出される賞球数を同じにしてもよい。
【００２９】
上記遊技領域６の左側、及び、右側には、遊技球が通過可能な普通領域を構成する普通図柄ゲート１３が設けられている。
【００３０】
ここで、普通図柄ゲート１３には、遊技球の通過（進入）を検出するためのゲート検出スイッチ１３ａが設けられている。そして、普通図柄ゲート１３への遊技球の通過を検出すると、後述する「当たり抽選（当たり判定）」を行うための当たり判定用乱数値を取得する。
【００３１】
また、普通図柄ゲート１３への遊技球の通過を検出すると、上記当たり判定用乱数値の他にも、停止表示する普通図柄を決定するための普通図柄決定用乱数値、普通図柄の変動時間を決定するための普図変動用乱数値も取得される。なお、当たり判定用乱数値、普通図柄決定用乱数値、普図変動用乱数値のことを普図判定情報という。
【００３２】
遊技領域６の右側の領域には、右打ちされた遊技球が入賞（入球）可能であって、左打ちされた遊技球が入賞不能な第１大入賞口１６、及び、第２大入賞口１７が上下に離間して（遊技球が通過可能な幅を隔てて）設けられている。
【００３３】
第１大入賞口１６は、第１大入賞口１６への遊技球の入賞を容易にするための第１特別電動役物（第１大入賞口開閉装置）を構成する第１大入賞口開閉扉１６ｂ、及び、第１大入賞口開閉ソレノイド１６ｃを有しており、第１大入賞口開閉ソレノイド１６ｃの作動によって第１大入賞口開閉扉１６ｂが略垂直に立って第１大入賞口１６への遊技球の入賞を規制する閉鎖状態（閉鎖態様）と、第１大入賞口開閉扉１６ｂが傾倒して第１大入賞口１６への遊技球の入賞を許容する開放状態（開放態様）とに変換制御される。第１大入賞口１６が開放状態であるときには、第１大入賞口開閉扉１６ｂが遊技球を第１大入賞口１６へ導く受皿として機能するため、閉鎖状態であるときに比べて第１大入賞口１６への遊技球の入賞機会（入賞割合）が増すことになる。
【００３４】
ここで、第１大入賞口１６には、遊技球の入賞（入球）を検出するための第１大入賞口検出スイッチ１６ａが設けられている。そして、第１大入賞口１６への遊技球の入賞を検出すると、予め設定された数の賞球（例えば、１５個の遊技球）が払い出される。
【００３５】
第２大入賞口１７は、第２大入賞口１７への遊技球の入賞を容易にするための第２特別電動役物（第２大入賞口開閉装置）を構成する第２大入賞口開閉扉１７ｂ、及び、第２大入賞口開閉ソレノイド１７ｃを有しており、第２大入賞口開閉ソレノイド１７ｃの作動によって第２大入賞口開閉扉１７ｂが略垂直に立って第２大入賞口１７への遊技球の入賞を規制する閉鎖状態（閉鎖態様）と、第２大入賞口開閉扉１７ｂが傾倒して第２大入賞口１７への遊技球の入賞を許容する開放状態（開放態様）とに変換制御される。第２大入賞口１７が開放状態であるときには、第２大入賞口開閉扉１７ｂが遊技球を第２大入賞口１７へ導く受皿として機能するため、閉鎖状態であるときに比べて第２大入賞口１７への遊技球の入賞機会（入賞割合）が増すことになる。
【００３６】
ここで、第２大入賞口１７には、遊技球の入賞（入球）を検出するための第２大入賞口検出スイッチ１７ａが設けられている。そして、第２大入賞口１７への遊技球の入賞を検出すると、予め設定された賞球（例えば、１５個の遊技球）が払い出される。なお、第１大入賞口１６に遊技球が入賞した場合に払い出される賞球数と、第２大入賞口１７に遊技球が入賞した場合に払い出される賞球数を異ならせてもよい。
【００３７】
遊技領域６の最下部には、一般入賞口１２、第１始動口１４、第２始動口１５、第１大入賞口１６、及び、第２大入賞口１７のいずれにも入賞（入球）しなかった遊技球を遊技領域外に排出するためのアウト口１１が設けられている。
【００３８】
また、遊技領域６の中央には、ＬＣＤ（Liquid Crystal Display）等によって構成された画像表示装置３１が設けられている。
【００３９】
この画像表示装置３１は、遊技が行われていない待機中に客待ち演出画像を表示したり、遊技の進行に応じた遊技演出画像を表示したりする。なかでも、後述する変動演出において大当たりの抽選結果を報知するための３個の演出図柄３８（左図柄、中図柄、右図柄）が変動表示され、特定の演出図柄３８の組合せ（例えば、７７７等）が停止表示されることにより、大当たりの抽選結果として大当たりが報知され、特定の演出図柄３８以外の組合せ（例えば、２８９等）が停止表示されることにより、大当たり抽選結果としてハズレが報知される。
【００４０】
この演出図柄３８は、第１始動口１４、又は、第２始動口１５への遊技球の入賞（入球）に基づき実行される特別図柄の変動表示の開始に合わせて変動表示を開始すると共に、所定の変動時間経過後の特別図柄の停止表示に合わせて停止表示する。すなわち、演出図柄３８と特別図柄との変動表示のタイミング、演出図柄３８と特別図柄との停止表示のタイミングは、それぞれが対応している（同じ時間になっている）。
【００４１】
さらに、本実施形態では、第１始動口１４に遊技球が入賞（入球）したときであっても、第２始動口１５に遊技球が入賞（入球）したときであっても、変動演出において同じ種類の演出図柄３８が変動表示、又は、停止表示されるようになっている。ただし、第１始動口１４に遊技球が入球したときと、第２始動口１５に遊技球が入球したときとで異なる種類の演出図柄３８が変動表示、又は、停止表示されるように構成しても構わない。
【００４２】
また、画像表示装置３１の表示部の右下端側では、変動演出において大当たりの抽選結果を報知するための３個の小演出図柄４８が縦方向（本実施の形態では上から下）にスクロールさせることで変動表示されている。
【００４３】
小演出図柄４８の変動表示は、第１特別図柄、又は、第２特別図柄の変動表示の開始に対応して開始され、第１特別図柄、又は、第２特別図柄の変動表示の停止に対応して停止される。
つまり、第１特別図柄、又は、第２特別図柄の変動表示に対応して小演出図柄４８の変動表示が行われるようになっており、小演出図柄４８の変動状態によって第１特別図柄、又は、第２特別図柄の変動表示の実行状態が遊技者に報知（示唆）されるようになっている。
【００４４】
なお、小演出図柄４８は、演出図柄３８と同様に、例えば、「１」から「９」までの数字を示す図柄により構成されており、小演出図柄４８の停止表示では、小演出図柄４８が大当たり抽選の結果を示す所定の態様（ハズレ態様、大当たり態様等）で所定時間停止するようになっている。大当たり態様（特別結果態様）は、「７７７」などのように同一の小演出図柄４８の組み合わせや「３５７」などのように規則性を持った小演出図柄４８の組み合わせであり、ハズレ態様はそれ以外の態様である。
【００４５】
また、画像表示装置３１の表示領域には、第１始動口１４への遊技球の入賞に基づき取得された特図判定情報のうち、大当たり抽選（大当たり判定）が未実行（未判定）の特図判定情報の数を示す第１特別図柄保留数（Ｕ１）を遊技者が把握し易いようにアイコン表示するための第１保留アイコン表示領域３１ａ、第２始動口１５への遊技球の入賞に基づき取得された特図判定情報のうち、大当たり抽選（大当たり判定）が未実行（未判定）の特図判定情報の数を示す第２特別図柄保留数（Ｕ２）を遊技者が把握しやすいようにアイコン表示するための第２保留アイコン表示領域３１ｂ、及び、変動表示（変動演出）を実行中の特図判定情報を示す情報を遊技者が把握し易いようにアイコン表示するための当該変動アイコン表示領域３１ｃが設けられている。
【００４６】
なお、以降の説明において第１保留アイコン表示領域３１ａ、及び、第２保留アイコン表示領域３１ｂに表示されるアイコンのことを「保留アイコン（大当たり判定を未実行の特図判定情報であって保留情報に相当）」、当該変動アイコン表示領域３１ｃに表示されるアイコンのことを「当該変動アイコン（大当たり判定を実行済であって変動表示（変動演出）を実行中の特図判定情報であって実行情報に相当）」という。
【００４７】
そして、画像表示装置３１の表示領域を取り囲んだ飾り部材７には、画像表示装置３１の表示領域の前面に遊技球が通過しないように、その外周に遊技盤２から立設した壁部が設けられている。
【００４８】
また、飾り部材７の左右両側には、複数のランプ（ＬＥＤ等）を有する盤用照明装置３４ａが設けられており、飾り部材７の上部には、遊技機のタイトル（機種名）の「看板」を模した第１装飾部材３３ａ（演出役物）が設けられ、飾り部材７の右部には、「刀」を模した第２装飾部材３３ｂ（演出役物）が設けられている。
【００４９】
この第１装飾部材３３ａは、ソレノイドやモータ等によって構成される盤用駆動装置３３によって駆動され、上下方向に移動することが可能であって、この上下方向の移動によって画像表示装置３１の前面に移動することができる。同様に、第２装飾部材３３ｂも、盤用駆動装置３３によって駆動され、第２装飾部材３３ｂの下方を支点として左側に倒れて、画像表示装置３１の前面に移動することができる。また、第２装飾部材３３ｂは、鞘を模した鞘部３３ｂ１と、鞘に納められた刀身部３３ｂ２とで構成され、刀身部が盤用駆動装置３３によって駆動されることで上下方向に移動することができる。
【００５０】
なお、第１装飾部材３３ａや第２装飾部材３３ｂの少なくとも一方に液晶表示器を設け、当該液晶表示器に保留アイコン表示領域や当該変動アイコン表示領域の少なくとも一方を設けてもよいし、第１装飾部材３３ａに設けた液晶表示器と第２装飾部材３３ｂに設けた液晶表示器の一方に保留アイコン表示領域を設けると共に他方に当該変動アイコン表示領域を設けてもよい。
【００５１】
第１特別図柄表示装置２０は、第１始動口１４への遊技球の入賞に基づき実行される大当たりの抽選（大当たり判定）の抽選結果（判定結果）を、第１特別図柄を所定時間に亘って変動表示させてから抽選結果に対応する種類の第１特別図柄を停止表示させることで報知するものであり、ＬＥＤ等の複数の点灯部材によって構成されている。
【００５２】
第２特別図柄表示装置２１は、第２始動口１５への遊技球の入賞に基づき実行される大当たり抽選（大当たり判定）の抽選結果（判定結果）を、第２特別図柄を所定時間に亘って変動表示させてから抽選結果に対応する種類の第２特別図柄を停止表示させることで報知するものであり、ＬＥＤ等の複数の点灯部材によって構成されている。
【００５３】
第１特別図柄表示装置２０及び／又は第２特別図柄表示装置２１は、７セグメントのＬＥＤによっても構成することができる。例えば、大当たりに当選した場合には「７」を停止表示し、ハズレであった場合には「−」を停止表示するように構成してもよい。
【００５４】
ここで、「大当たり抽選」とは、第１始動口１４、又は、第２始動口１５に遊技球が入賞（入球）したときに、大当たり判定用乱数値を取得し、取得した大当たり判定用乱数値が「大当たり」に対応する乱数値であるかを判定する処理（大当たり判定）をいう。
【００５５】
また、本実施形態において「大当たり」というのは、第１始動口１４、又は、第２始動口１５に遊技球が入賞（入球）したことに基づいて実行される大当たり抽選において、大当たり遊技（遊技者に有利な特別遊技）を実行する権利を獲得したことをいう。
【００５６】
「大当たり遊技」においては、第１大入賞口１６（第１特別電動役物）、又は、第２大入賞口１７（第２特別電動役物）が開放されるラウンド遊技を、特別電動役物を連続して作動させるための役物連続作動装置が作動することによって所定回数（例えば、４回、又は、１６回）行う。
【００５７】
各ラウンド遊技における第１大入賞口１６、又は、第２大入賞口１７の最大開放時間（特別電動役物の作動時間）については予め定められた時間が設定されており、この間に第１大入賞口１６、又は、第２大入賞口１７に所定個数の遊技球（例えば９個）が入賞（入球）すると、１回のラウンド遊技が終了となる。つまり、「大当たり遊技」は、第１大入賞口１６、又は、第２大入賞口１７に遊技球が入賞（入球）すると共に、当該入球に応じた賞球を遊技者が獲得できる遊技である。なお、本実施形態では、複数種類の大当たり遊技が設けられているが、詳しくは後述する。
【００５８】
また、特別図柄の変動表示中や大当たり遊技（特別遊技）中等、第１始動口１４、又は、第２始動口１５に遊技球が入賞（入球）しても、即座に大当たり抽選が行えない場合には、一定の条件のもとで、大当たり抽選の権利が保留される。
【００５９】
より具体的には、第１始動口１４に遊技球が入賞（入球）したときに取得された特図判定情報を第１保留として４個を限度に記憶し、第２始動口１５に遊技球が入賞（入球）したときに取得された特図判定情報を第２保留として４個を限度に記憶する。第１保留の個数である第１特別図柄保留数（Ｕ１）、及び、第２保留の個数である第２特別図柄保留数（Ｕ２）は、それぞれ第１特別図柄保留表示器２３と第２特別図柄保留表示器２４とに表示される。
【００６０】
なお、第１保留が１つの場合には、第１特別図柄保留表示器２３の最左端のＬＥＤが点灯し、第１保留が２つの場合には、第１特別図柄保留表示器２３の最左端から２つのＬＥＤが点灯する。また、第１保留が３つの場合には、第１特別図柄保留表示器２３の最左端から３つのＬＥＤが点滅すると共に右側のＬＥＤが点灯し、第１保留が４つの場合には、第１特別図柄保留表示器２３の最左端から４つのＬＥＤが点灯する。また、第２特別図柄保留表示器２４においても、上記と同様に第２保留の保留数が表示されることになる。
【００６１】
また、遊技盤２の遊技領域６外に設けられている普通図柄表示装置２２は、普通図柄ゲート１３を遊技球が通過したことを契機として行われた当たり抽選（当たり判定）の抽選結果（判定結果）を、普通図柄を所定時間に亘って変動表示させてから抽選結果に対応する種類の普通図柄を停止表示させることで報知するものであり、ＬＥＤ等によって構成される複数の点灯部材によって構成されている。
【００６２】
ここで、「当たり抽選」とは、普通図柄ゲート１３に遊技球が通過したときに、当たり判定用乱数値を取得し、取得した当たり判定用乱数値が「当たり」に対応する乱数値であるかどうかの判定する処理（当たり判定）をいう。
【００６３】
また、本実施形態において「当たり」というのは、普通図柄ゲート１３に遊技球が通過したことに基づき実行される当たりの抽選において、遊技者に有利な補助遊技を実行する権利を獲得したことをいう。「補助遊技」においては、第２始動口１５の始動可動片１５ｂを所定時間に亘って開放状態に変換制御する。つまり、「補助遊技」は、第２始動口１５に遊技球が入賞（入球）すると共に、当該入賞に応じた賞球を遊技者が獲得できる遊技である。なお、本実施形態では、複数種類の補助遊技が設けられているが、詳しくは後述する。
【００６４】
また、特別図柄と同様に、普通図柄の変動表示中や補助遊技中等、普通図柄ゲート１３に遊技球が通過しても、即座に当たり抽選が行えない場合には、一定の条件のもとで、当たり抽選の権利が保留される。
【００６５】
より具体的には、普通図柄ゲート１３に遊技球が通過したときに取得された普図判定情報を第３保留として４個を限度に記憶する。第３保留の個数である普通図柄保留数（Ｇ）は、上記第１特別図柄保留表示器２３、及び、第２特別図柄保留表示器２４と同様の態様によって、普通図柄保留表示器２５に表示される。
【００６６】
また、図２に示すように、ガラス枠５０は、遊技盤２の前方（遊技者側）において遊技領域６を視認可能に覆うガラス板５２を支持している。なお、ガラス板５２は、ガラス枠５０に対して着脱可能に固定されている。
【００６７】
そして、ガラス枠５０は、左右方向の一端側（たとえば遊技機１に正対して左側）においてヒンジ機構部５１を介して外枠６０に連結されており、ヒンジ機構部５１を支点として左右方向の他端側（たとえば遊技機１に正対して右側）を外枠６０から開放させる方向に回動可能とされている。ガラス枠５０は、ガラス板５２と共に遊技盤２を覆い、ヒンジ機構部５１を支点として扉のように回動することによって、遊技盤２を含む外枠６０の内側部分を開放することができる。
【００６８】
ガラス枠５０における左右方向の他端側には、ガラス枠５０の他端側を外枠６０に固定するロック機構が設けられている。ロック機構による固定は、専用の鍵によって解除することが可能とされている。また、ガラス枠５０には、ガラス枠５０が外枠６０から開放されているか否かを検出する扉開放スイッチ１３３も設けられている。
【００６９】
そして、図３に示すように、遊技機１の裏面には、主制御基板１１０、演出制御基板１２０、払出制御基板１３０、電源基板１４０、遊技情報出力端子板３０等が設けられている。また、電源基板１４０に遊技機１に電力を給電するための電源プラグ１４１、図示しない枠制御基板１８０や電源スイッチが設けられている。
【００７０】
（遊技機１の全体のブロック図）
次に、図４の遊技機１の全体のブロック図を用いて、遊技の進行を制御する制御手段について説明する。図４は、遊技機１の全体のブロック図である。
【００７１】
主制御基板１１０は、遊技の基本動作（進行）を制御し、第１始動口検出スイッチ１４ａ等の各種検出信号を入力して、第１特別図柄表示装置２０や第１大入賞口開閉ソレノイド１６ｃ等を駆動させて遊技を制御するものである。
【００７２】
この主制御基板１１０は、演出制御基板１２０と、払出制御基板１３０と、電源基板１４０とに接続されている。主制御基板１１０と演出制御基板１２０との通信は、主制御基板１１０から演出制御基板１２０への一方向のみにデータを通信可能に構成されており、主制御基板１１０と払出制御基板１３０との通信は、双方向にデータを通信可能に構成されている。また、主制御基板１１０は、電源基板１４０から電源電圧を入力している。
【００７３】
また、主制御基板１１０は、演算処理を行うメインＣＰＵ１１０ａ、遊技制御用のプログラムや遊技制御に必要な各種データやテーブルが格納されるメインＲＯＭ１１０ｂ、及び、演算処理時のワークエリアとなるメインＲＡＭ１１０ｃが内蔵されるワンチップマイコン１１０ｍと、主制御用の入力ポートと出力ポート（図示せず）と、ＲＡＭクリアスイッチ１１１ａを少なくとも備えている。
【００７４】
この主制御用の入力ポートには、払出制御基板１３０、メインＲＡＭ１１０ｃの記憶内容をクリアする信号を入力するためのＲＡＭクリアスイッチ１１１ａ、一般入賞口１２に遊技球が入球したことを検知する一般入賞口検出スイッチ１２ａ、普通図柄ゲート１３に遊技球が通過したことを検知するゲート検出スイッチ１３ａ、第１始動口１４に遊技球が入球したことを検知する第１始動口検出スイッチ１４ａ、第２始動口１５に遊技球が入球したことを検知する第２始動口検出スイッチ１５ａ、第１大入賞口１６に遊技球が入球したことを検知する第１大入賞口検出スイッチ１６ａ、第２大入賞口１７に遊技球が入球したことを検知する第２大入賞口検出スイッチ１７ａが接続されている。この主制御用の入力ポートによって、各種信号が主制御基板１１０に入力される。
【００７５】
また、主制御用の出力ポートには、演出制御基板１２０、払出制御基板１３０、第２始動口１５の始動可動片１５ｂを開閉動作させる始動口開閉ソレノイド１５ｃ、第１大入賞口開閉扉１６ｂを動作させる第１大入賞口開閉ソレノイド１６ｃ、第２大入賞口開閉扉１７ｂを動作させる第２大入賞口開閉ソレノイド１７ｃ、特別図柄を表示する第１特別図柄表示装置２０と第２特別図柄表示装置２１、普通図柄を表示する普通図柄表示装置２２、特別図柄の保留数を表示する第１特別図柄保留表示器２３と第２特別図柄保留表示器２４、普通図柄の保留数を表示する普通図柄保留表示器２５、外部情報信号を出力する遊技情報出力端子板３０等が接続されている。この主制御用の出力ポートによって、各種信号が出力される。
【００７６】
メインＣＰＵ１１０ａは、各検出スイッチやタイマからの入力信号に基づいて、メインＲＯＭ１１０ｂに格納されたプログラムを読み出して演算処理を行うと共に、各装置や表示器を直接制御したり、あるいは演算処理の結果に応じて他の基板にコマンドを送信したりする。
【００７７】
メインＲＯＭ１１０ｂには、遊技制御用のプログラムの他に、大当たり抽選に用いられる大当たり判定テーブル（図５参照）、停止表示する特別図柄を決定するための特別図柄決定テーブル（図６参照）、大当たり終了後の遊技状態を決定するための大当たり遊技終了時設定データテーブル（図７参照）、大入賞口開閉扉の開閉条件を決定する特別電動役物作動態様決定テーブル（図８参照）、大入賞口開放態様テーブル（図９参照）、特別図柄の変動パターンを決定する特図変動パターン決定テーブル（図１０参照）、大当たり抽選の事前判定テーブル（図１１参照）、当たり抽選に参照される当り判定テーブル（図１２参照）等が記憶されている。
なお、上述したテーブルは、本実施形態におけるテーブルのうち、特徴的なテーブルを一例として列挙しているに過ぎず、遊技の進行にあたっては、この他にも不図示のテーブルやプログラムが多数設けられている。
【００７８】
メインＲＡＭ１１０ｃには、特図特電処理データ記憶領域、普図普電処理データ記憶領域、普通図柄保留数（Ｇ）記憶領域、普通図柄保留記憶領域、停止普図データ記憶領域、第１特別図柄保留数（Ｕ１）記憶領域、第２特別図柄保留数（Ｕ２）記憶領域、第１大当たり判定用乱数値記憶領域、第２大当たり判定用乱数値記憶領域、ラウンド遊技回数（Ｒ）記憶領域、開放回数（Ｋ）記憶領域、大入賞口入賞球カウンタ（Ｃ）記憶領域、第２始動口入賞球カウンタ（Ｄ）、始動開放回数カウンタ、高確率遊技フラグ記憶領域、時短遊技フラグ記憶領域、高確率遊技回数（Ｘ）記憶領域、時短遊技回数（Ｊ）記憶領域、遊技状態バッファ、停止特図データ記憶領域、停止普図データ記憶領域、演出用伝送データ格納領域、特別図柄時間カウンタ、特別遊技タイマカウンタ、補助遊技タイマカウンタなど各種のタイマカウンタが設けられている。
なお、上述した記憶領域も一例に過ぎず、この他にも多数の記憶領域が設けられている。
【００７９】
遊技情報出力端子板３０は、主制御基板１１０や払出制御基板１３０において生成された外部情報信号を遊技店のホールコンピュータ等に出力するための基板である。遊技情報出力端子板３０は、主制御基板１１０と配線接続され、外部情報を遊技店のホールコンピュータ等と接続をするための複数のコネクタ（端子）が設けられている。
【００８０】
演出制御基板１２０は、主に遊技中や待機中等の各演出を制御し、遊技の演出の内容を総合して管理する演出制御部１２０ｍと、画像表示装置３１における画像の表示制御を行う画像制御部１５０と、盤用駆動装置３３におけるソレノイドやモータ等の駆動制御を行う駆動制御部１６０と、盤用照明装置３４ａにおけるＬＥＤ等の点灯制御を行うランプ制御部１７０とを備えている。
【００８１】
この演出制御基板１２０は、主制御基板１１０と、電源基板１４０と、枠制御基板１８０と接続されている。演出制御基板１２０と枠制御基板１８０との通信は、双方向にデータを通信可能に構成されており、演出制御基板１２０は、電源基板１４０から電源電圧を入力している。
【００８２】
演出制御部１２０ｍは、サブＣＰＵ１２０ａ、サブＲＯＭ１２０ｂ、サブＲＡＭ１２０ｃを備えている。
【００８３】
サブＣＰＵ１２０ａは、主制御基板１１０から受信したコマンド、又は、後述する枠制御基板１８０から受信した演出ボタン検出スイッチ３５ａ、十字キー検出スイッチ３６ｂ等からの入力信号に基づいて、サブＲＯＭ１２０ｂに格納されたプログラムを読み出して演算処理を行うと共に、当該処理に基づいて、画像制御部１５０、駆動制御部１６０と、ランプ制御部１７０、及び、枠制御基板１８０に各種の演出を実行させるための指示を行う（データを送信する）。
【００８４】
例えば、サブＣＰＵ１２０ａは、主制御基板１１０から特別図柄の変動態様を示す変動パターン指定コマンドを受信すると、受信した変動パターン指定コマンドの内容を解析して、画像表示装置３１、音声出力装置３２、盤用駆動装置３３、盤用照明装置３４ａ、枠用照明装置３４ｂ、演出ボタン駆動モータ３５ｂに所定の演出を実行させるための演出用データ（後述する演出パターン指定コマンド等）を決定する。そして、決定した演出用データを画像制御部１５０、駆動制御部１６０と、ランプ制御部１７０、及び、枠制御基板１８０へ送信することで変動演出を実行するための制御を行う。
【００８５】
サブＲＯＭ１２０ｂには、演出制御用のプログラムの他に、変動演出を実行するための変動演出パターンを決定するための変動演出パターン決定テーブル等がサブＲＯＭ１２０ｂに記憶されている。なお、上述したテーブルは、本実施形態におけるテーブルのうち、特徴的なテーブルを一例として列挙しているに過ぎず、遊技の進行にあたっては、この他にも不図示のテーブルやプログラムが多数設けられている。
【００８６】
サブＲＡＭ１２０ｃは、サブＣＰＵ１２０ａの演算処理時におけるデータのワークエリアとして機能し、複数の記憶領域を有している。
【００８７】
画像制御部１５０は、画像表示装置３１と接続しており、演出制御部１２０ｍ（サブＣＰＵ１２０ａ）から送信された各種の演出用データに基づいて、画像表示装置３１における画像の表示制御を行う。このとき、画像制御部１５０と、画像表示装置３１との間には、画像データを表示させる際に所定の画像形式に変換して出力するブリッジ機能を有する汎用基板３９が設けられている。
【００８８】
この汎用基板３９は、画像データを表示する画像表示装置３１の性能に対応する画像形式に変換するブリッジ機能を有しており、例えば、ＳＸＧＡ（１２８０ドット×１０８０ドット）の１９インチの液晶表示装置を画像表示装置３１として接続したときと、ＸＧＡ（１０２４ドット×７６８ドット）の１７インチの液晶表示装置を画像表示装置３１として接続したときとの解像度の違い等を吸収する。
【００８９】
画像制御部１５０は、液晶制御ＣＰＵ１５０ａ、液晶制御ＲＡＭ１５０ｂ、液晶制御ＲＯＭ１５０ｃ、描画制御部１５１（ＶＤＰ：Video  Display  Processorの略）、ＣＧＲＯＭ１５２、ＶＲＡＭ１５３、水晶発振器１５４を備えている。
【００９０】
液晶制御ＣＰＵ１５０ａは、演出制御部１２０ｍから送信された演出用データ（演出パターン指定コマンド等）に基づいて、描画制御コマンド群から構成されるディスプレイリストを作成し、このディスプレイリストを描画制御部１５１に対して送信することによってＣＧＲＯＭ１５２に記憶されている画像データを画像表示装置３１に表示させる指示を行う。
【００９１】
また、液晶制御ＣＰＵ１５０ａは、描画制御部１５１からＶブランク割込信号や描画終了信号を受信すると、適宜割り込み処理を行う。
【００９２】
液晶制御ＲＡＭ１５０ｂは、液晶制御ＣＰＵ１５０ａに内蔵されており、液晶制御ＣＰＵ１５０ａの演算処理時におけるデータのワークエリアとして機能し、液晶制御ＲＯＭ１５０ｃから読み出されたデータを一時的に記憶するものである。
【００９３】
また、液晶制御ＲＯＭ１５０ｃは、マスクＲＯＭ等で構成されており、液晶制御ＣＰＵ１５０ａの制御処理のプログラム、ディスプレイリストを生成するためのディスプレイリスト生成プログラム、演出用データに対応する画像を用いた演出のアニメーションを表示するためのアニメパターン、アニメシーン情報等が記憶されている。
【００９４】
このアニメパターンは、アニメーションを表示するにあたり参照され、その演出用データに対応する画像のアニメシーン情報の組み合わせや各アニメシーン情報の表示順序等を記憶している。また、アニメシーン情報には、ウェイトフレーム（表示時間）、対象データ（スプライトの識別番号、転送元アドレス等）、パラメータ（スプライトの表示位置、転送先アドレス等）、描画方法、演出画像を表示する表示装置を指定した情報等などの情報を記憶している。
【００９５】
ＣＧＲＯＭ１５２は、フラッシュメモリ、ＥＥＰＲＯＭ、ＥＰＲＯＭ、マスクＲＯＭ等から構成され、所定範囲の画素（例えば、３２ピクセル×３２ピクセル）における画素情報の集まりからなる画像データ（スプライト、ムービー）等を圧縮して記憶している。なお、この画素情報は、それぞれの画素毎に色番号を指定する色番号情報と画像の透明度を示すα値とから構成されている。このＣＧＲＯＭ１５２は、描画制御部１５１によって画像データ単位で読み出しが行われ、このフレームの画像データ単位で画像処理が行われる。
【００９６】
さらに、ＣＧＲＯＭ１５２には、色番号を指定する色番号情報と実際に色を表示するための表示色情報とが対応づけられたパレットデータを圧縮せずに記憶している。なお、ＣＧＲＯＭ１５２は、全ての画像データを圧縮せずとも、一部のみ圧縮している構成でもよい。また、ムービーの圧縮方式としては、ＭＰＥＧ４等の公知の種々の圧縮方式を用いることができる。
【００９７】
水晶発振器１５４は、パルス信号を描画制御部１５１に出力し、このパルス信号を分周することで、描画制御部１５１が制御を行うためのシステムクロック、画像表示装置３１と同期を図るための同期信号等が生成される。
【００９８】
ＶＲＡＭ１５３は、画像データの書込み又は読み出しが高速なＳＲＡＭで構成されている。このＶＲＡＭ１５３は、液晶制御ＣＰＵ１５０ａから出力されたディスプレイリストを一時的に記憶するディスプレイリスト記憶領域、画像表示装置３１に対応するフレームバッファ領域等を有している。
【００９９】
このフレームバッファ領域は、画像を描画、又は、表示するための記憶領域であり、第１フレームバッファ領域と第２フレームバッファ領域とを更に有している。そして、第１フレームバッファ領域と第２フレームバッファ領域とは、描画の開始毎に、「描画用フレームバッファ」と「表示用フレームバッファ」とに交互に切り替わるものである。
【０１００】
描画制御部１５１は、いわゆる画像プロセッサであり、液晶制御ＣＰＵ１５０ａからの指示（ディスプレイリスト）に基づいて、ＣＧＲＯＭ１５２に記憶された画像データをＶＲＡＭ１５３のフレームバッファ領域の「描画用フレームバッファ」に描画する。さらに、描画制御部１５１は、フレームバッファ領域の「表示用フレームバッファ」から画像データを読み出す。そして、読み出した画像データに基づいて、映像信号（ＬＶＤＳ信号やＲＧＢ信号等）を生成して、画像表示装置３１に出力して表示させる。
【０１０１】
駆動制御部１６０は、盤用駆動装置３３と接続しており、演出制御部１２０ｍ（サブＣＰＵ１２０ａ）から送信された各種の演出用データに基づいて、盤用駆動装置３３におけるソレノイドやモータ等の駆動制御を行う。そして、この盤用駆動装置３３を駆動制御することにより、遊技盤２に設けられた第１装飾部材３３ａ、及び、第２装飾部材３３ｂが駆動することになる。
【０１０２】
ランプ制御部１７０は、盤用照明装置３４ａと接続しており、演出制御部１２０ｍ（サブＣＰＵ１２０ａ）から送信された各種の演出用データに基づいて、盤用照明装置３４ａにおけるＬＥＤ等の点灯制御を行う。そして、この盤用照明装置３４ａを点灯制御することにより、遊技盤２に設けられた盤用照明装置３４ａが点灯・消灯することになる。
【０１０３】
枠制御基板１８０は、ガラス枠５０に設けられた音声出力装置３２と、枠用照明装置３４ｂと、演出ボタン３５との演出を制御する。
【０１０４】
この枠制御基板１８０は、演出制御基板１２０と、電源基板１４０と接続されており、上述したように、枠制御基板１８０と演出制御基板１２０との通信は、双方向にデータを通信可能に構成されており、枠制御基板１８０は、電源基板１４０から電源電圧を入力している。
【０１０５】
枠制御基板１８０は、演出制御基板１２０から送信された各種の演出用データに基づいて、所定の音声データを音声出力装置３２に出力する制御を行うと共に、枠用照明装置３４ｂにおけるＬＥＤ等の点灯制御を行い、演出ボタン駆動モータ３５ｂの駆動制御を行う。この枠制御基板１８０の制御により、ガラス枠５０に設けられた音声出力装置３２が音声を出力すると共に、枠用照明装置３４ｂが点灯・消灯し、演出ボタン３５が上下方向に移動することになる。
【０１０６】
さらに、枠制御基板１８０は、演出ボタン検出スイッチ３５ａと、十字キー検出スイッチ３６ｂとからの入力信号を入力すると、その入力信号を演出制御基板１２０に送信する。すなわち、演出制御基板１２０は、演出ボタン検出スイッチ３５ａと、十字キー検出スイッチ３６ｂとからの入力信号を、枠制御基板１８０を介して入力することになる。
【０１０７】
払出制御基板１３０は、遊技球の払い出し制御を行う払出制御部１３１と、遊技球の発射制御を行う発射制御部１３２とを備えている。
【０１０８】
この払出制御基板１３０は、主制御基板１１０と、電源基板１４０と接続されており、上述したように、払出制御基板１３０と主制御基板１１０との通信は、双方向にデータを通信可能に構成されており、払出制御基板１３０は、電源基板１４０から電源電圧を入力している。
【０１０９】
払出制御部１３１は、払出ＣＰＵ１３１ａ、払出ＲＯＭ１３１ｂ、払出ＲＡＭ１３１ｃから構成されるワンチップマイコンから構成されている。
【０１１０】
払出ＣＰＵ１３１ａは、遊技球が払い出されたか否かを検知する払出球計数検知スイッチ１３５、扉開放スイッチ１３３、タイマからの入力信号に基づいて、払出ＲＯＭ１３１ｂに格納されたプログラムを読み出して演算処理を行うと共に、当該処理に基づいて、対応する払出データを主制御基板１１０に送信する。
【０１１１】
また、払出制御基板１３０の出力側には、遊技球の貯留部から所定数の遊技球を払い出すための払出装置の払出モータ１３４が接続されている。払出ＣＰＵ１３１ａは、主制御基板１１０から送信された払出個数指定コマンドに基づいて、払出ＲＯＭ１３１ｂから所定のプログラムを読み出して演算処理を行うと共に、払出装置の払出モータ１３４を制御して所定の遊技球を払い出す。このとき、払出ＲＡＭ１３１ｃは、払出ＣＰＵ１３１ａの演算処理時におけるデータのワークエリアとして機能する。
【０１１２】
発射制御部１３２は、入力側にタッチセンサ３ａ、及び、発射ボリューム３ｂが接続されており、出力側に発射用ソレノイド４ａ、及び、玉送りソレノイド４ｂを接続している。発射制御部１３２は、タッチセンサ３ａからのタッチ信号を入力すると共に、発射ボリューム３ｂから供給された電圧に基づいて、発射用ソレノイド４ａや玉送りソレノイド４ｂを通電させる制御を行う。
【０１１３】
タッチセンサ３ａは、操作ハンドル３の内部に設けられ、遊技者が操作ハンドル３に触れたことによる静電容量の変化を利用した静電容量型の近接スイッチから構成される。タッチセンサ３ａは、遊技者が操作ハンドル３に触れたことを検知すると、発射制御部１３２に発射用ソレノイド４ａの通電を許可するタッチ信号を出力する。発射制御部１３２は、大前提としてタッチセンサ３ａからタッチ信号の入力がなければ、遊技球２００を遊技領域６に発射させないように構成されている。
【０１１４】
発射ボリューム３ｂは、操作ハンドル３が回動する回動部に直結して設けられ、可変抵抗器から構成される。発射ボリューム３ｂは、その発射ボリューム３ｂに印加された定電圧（例えば５Ｖ）を可変抵抗器により分圧して、分圧した電圧を発射制御部１３２に供給する（発射制御部１３２に供給する電圧を可変させる）。発射制御部１３２は、発射ボリューム３ｂにより分圧された電圧に基づいて、発射用ソレノイド４ａを通電して、発射用ソレノイド４ａに直結された打出部材４ｃを回転させることで、遊技球２００を遊技領域６に発射させる。
【０１１５】
発射用ソレノイド４ａは、ロータリーソレノイドから構成され、発射用ソレノイド４ａには打出部材４ｃが直結されており、発射用ソレノイド４ａが回転することで、打出部材４ｃを回転させる。
【０１１６】
ここで、発射用ソレノイド４ａの回転速度は、発射制御部１３２に設けられた水晶発振器の出力周期に基づく周波数から、約９９．９（回／分）に設定されている。これにより、１分間における発射遊技数は、発射用ソレノイドが１回転する毎に１個発射されるため、約９９．９（個／分）となる。すなわち、１個の遊技球は約０．６秒毎に発射されることになる。
【０１１７】
玉送りソレノイド４ｂは、直進ソレノイドから構成され、受け皿４０にある遊技球を、発射用ソレノイド４ａに直結された打出部材４ｃに向けて１個ずつ送り出している。
【０１１８】
電源基板１４０は、コンデンサからなるバックアップ電源を備えており、遊技機１に電源電圧を供給すると共に、遊技機１に供給する電源電圧を監視し、電源電圧が所定値以下となったときに、電断検知信号を主制御基板１１０に出力する。より具体的には、電断検知信号がハイレベルになるとメインＣＰＵ１１０ａは動作可能状態になり、電断検知信号がローレベルになるとメインＣＰＵ１１０ａは動作停止状態になる。なお、バックアップ電源はコンデンサに限らず、例えば、電池でもよく、コンデンサと電池とを併用して用いてもよい。
【０１１９】
（遊技状態の説明）
次に、遊技が進行する際の遊技状態について説明する。本実施形態においては、大当たり抽選に関する状態として「低確率遊技状態」と「高確率遊技状態」とを有し、第２始動口１５が有する始動可動片１５ｂに関する状態として「非時短遊技状態」と「時短遊技状態」とを有する。この大当たり抽選に関する状態（低確率遊技状態、高確率遊技状態）と始動可動片１５ｂに関する状態（非時短遊技状態、時短遊技状態）とは、それぞれの状態を関連させることもでき、独立させることもできる。つまり、
（１）低確率遊技状態且つ時短遊技状態である「低確率時短遊技状態」と、
（２）低確率遊技状態且つ非時短遊技状態である「低確率非時短遊技状態」と、
（３）高確率遊技状態且つ時短遊技状態である「高確率時短遊技状態」と、
（４）高確率遊技状態且つ非時短遊技状態である「高確率非時短遊技状態」と、を設けることが可能になる。
なお、遊技を開始したときの遊技状態、すなわち遊技機１の初期の遊技状態は、「低確率非時短遊技状態」に設定されており、この遊技状態を本実施形態においては「通常遊技状態」と称することにする。
【０１２０】
本実施形態において「低確率遊技状態」というのは、第１始動口１４、又は、第２始動口１５に遊技球が入球したことを条件として行われる大当たり抽選において、大当たりの当選確率が、例えば１／３００と低く設定された遊技状態をいう。これに対して「高確率遊技状態」というのは、低確率遊技状態と比べて大当たりの当選確率が向上し、大当たりの当選確率が、例えば１／６０と高く設定された遊技状態をいう。したがって、「高確率遊技状態」では、「低確率遊技状態」よりも、大当たりに当選しやすいことになる。なお、低確率遊技状態から高確率遊技状態への変更は、後述する大当たり遊技の終了後に行われる。
【０１２１】
本実施形態において「非時短遊技状態」というのは、普通図柄ゲート１３への遊技球の通過に基づき実行される当たり抽選において、その抽選結果に対応する普通図柄の平均の変動時間が「時短遊技状態」よりも長く設定され、かつ、当たりに当選した際の第２始動口１５の開放時間が短く設定されやすい遊技状態をいう。例えば、普通図柄ゲート１３を遊技球が通過すると、当たり抽選が行われて、普通図柄表示装置２２において普通図柄の変動表示が行われるが、普通図柄は変動表示が開始されてから、例えば３０秒後に停止表示する。そして、抽選結果が当たりであった場合には、普通図柄の停止表示後に、第２始動口１５が０．２秒間、開放態様に制御される。
【０１２２】
これに対して「時短遊技状態」というのは、普通図柄ゲート１３への遊技球の通過に基づき実行される当たり抽選において、その抽選結果に対応する普通図柄の平均の変動時間が「非時短遊技状態」よりも短く設定され、かつ、当たりに当選した際の第２始動口１５の開放時間が例えば３秒と、「非時短遊技状態」よりも長く設定された遊技状態をいう。さらに、「非時短遊技状態」においては当たり抽選において当たりに当選する確率が例えば１／１６と低く設定され、「時短遊技状態」においては当たり抽選において当たりに当選する確率が例えば１５／１６と高く設定される。したがって、「時短遊技状態」においては、「非時短遊技状態」よりも、普通図柄ゲート１３を遊技球が通過すると、第２始動口１５が開放状態に制御されやすくなる。これにより、「時短遊技状態」では、遊技者は遊技球の消費を抑えて遊技を進行することが可能となる。
【０１２３】
なお、実施形態において、「時短遊技状態」は、「非時短遊技状態」と比べて、普通図柄の変動時間、第２始動口１５の開放時間、及び、当たり抽選の当選確率が有利になるよう設定している。しかしながら、「時短遊技状態」は、普通図柄の変動時間、第２始動口１５の開放時間、及び、当たり抽選の当選確率のいずれか１つのみが有利になるように設定してもよい。
【０１２４】
次に、図５乃至図１２を参照して、メインＲＯＭ１１０ｂに記憶されている各種テーブルの詳細について説明する。
【０１２５】
（大当たり抽選の大当たり判定テーブル）
図５は、大当たり判定テーブルを示す図である。具体的には、図５（ａ）は、第１始動口１４への遊技球の入球を契機とする大当たり抽選の大当たり判定テーブルであり、図５（ｂ）は、第２始動口１５への遊技球の入球を契機とする大当たり抽選の大当たり判定テーブルである。図５（ａ）と図５（ｂ）とのテーブルでは、大当たり確率は同一である。
【０１２６】
図５（ａ）、図５（ｂ）に示すように大当たり判定テーブルには、確率遊技状態、大当たり判定用乱数値と、大当たり判定結果とが対応付けられている。
【０１２７】
メインＣＰＵ１１０ａは、図５（ａ）、図５（ｂ）に示す大当たり抽選の大当たり判定テーブルを参照し、現在の確率遊技状態と取得された大当たり判定用乱数値に基づいて、「大当たり」であるか「ハズレ」であるかを判定する。
【０１２８】
例えば、図５（ａ）に示す大当たり抽選の大当たり判定テーブルによれば、低確率遊技状態であるときには、「７」、「８」という２個の大当たり判定用乱数値が大当たりと判定される。一方、高確率遊技状態であるときには、「７」から「１６」の１０個の大当たり判定用乱数値が大当たりと判定される。なお、上記以外の乱数値であった場合には、「ハズレ」と判定される。
【０１２９】
従って、大当たり判定用乱数値の乱数範囲が０から５９９であるから、低確率遊技状態のときに大当たりと判定される確率は１／３００であり、高確率遊技状態のときに大当たりと判定される確率は５倍アップして１／６０である。
【０１３０】
（特別図柄決定テーブル）
図６は、変動表示の結果として停止表示される特別図柄の種類を決定するための特別図柄決定テーブルを示す図である。具体的には、図６（ａ）は、ハズレにおける特別図柄決定テーブルであり、図６（ｂ）は、大当たりにおける特別図柄決定テーブルである。
【０１３１】
図６（ａ）に示すようにハズレにおける特別図柄決定テーブルには、特別図柄表示装置の種別と、第１始動口１４、又は、第２始動口１５に遊技球が入球したときに取得される特別図柄決定用乱数値と、ハズレ特別図柄（停止特図データ）とが対応付けられている。なお、ハズレにおいても複数の特別図柄が決定可能なように、複数のハズレ特別図柄と特別図柄決定用乱数値とを対応付けて構成してもよい。
【０１３２】
また、図６（ｂ）に示すように大当たりにおける特別図柄決定テーブルには、特別図柄表示装置の種別（遊技球が入賞した始動口の種別）と、第１始動口１４、又は、第２始動口１５に遊技球が入球したときに取得される特別図柄決定用乱数値と、大当たり特別図柄（停止特図データ）とが対応付けられている。
【０１３３】
メインＣＰＵ１１０ａは、図６に示す特別図柄決定テーブルを参照し、特別図柄表示装置の種別と、特別図柄決定用乱数値等とに基づいて、特別図柄の種類（停止特図データ）を決定する。
【０１３４】
そして、特別図柄の変動開始時には、決定した特別図柄の種類（停止特図データ）に基づいて、特別図柄の情報としての演出図柄指定コマンドを決定する。ここで、演出図柄指定コマンドは、１コマンドが２バイトのデータで構成されており、制御コマンドの分類を識別するため１バイトのＭＯＤＥデータと、実行される制御コマンドの内容を示す１バイトのＤＡＴＡデータとから構成される。このことは、後述する変動パターン指定コマンド等についても同様である。
【０１３５】
ここで、後述するように、特別図柄の種類（停止特図データ）によって、大当たり遊技終了後の遊技状態（図７参照）、及び、大当たり遊技の種類（図８参照）が決定されることから、特別図柄の種類が大当たり遊技終了後の遊技状態と大当たり遊技の種類を決定するものといえる。そのため、図６（ｂ）における特別図柄の欄には、大当たり遊技の種類に対応する説明を補足的に記載している。
【０１３６】
（大当たり遊技終了時設定データテーブル）
図７は、大当たり遊技終了後の遊技状態を決定するための大当たり遊技終了時設定データテーブルである。
【０１３７】
図７に示すように大当たり遊技終了時設定データテーブルには、特別図柄の停止特図データと、遊技状態バッファと、時短遊技状態と、時短遊技回数（Ｊ）と、確率遊技状態と、高確率遊技回数（Ｘ）とが対応付けられている。
【０１３８】
ここで、「遊技状態バッファ」とは、大当たり当選時の遊技状態を示す情報である。そして、遊技状態は、時短遊技状態（又は非時短遊技状態）、及び、高確率遊技状態（又は低確率遊技状態）の組合せから構成されている。
【０１３９】
具体的には、遊技状態バッファが「００Ｈ」であれば、時短遊技フラグと高確率遊技フラグの両方がセットされていない低確率遊技状態かつ非時短遊技状態の遊技状態情報を示す。遊技状態バッファが「０１Ｈ」であれば、時短遊技フラグはセットされていないが高確率遊技フラグはセットされている高確率遊技状態かつ非時短遊技状態の遊技状態情報を示す。遊技状態バッファが「０２Ｈ」であれば、時短遊技フラグがセットされているが高確率遊技フラグがセットされていない低確率遊技状態かつ時短遊技状態の遊技状態情報を示す。遊技状態バッファが「０３Ｈ」であれば、時短遊技フラグと高確率遊技フラグとの両方がセットされている高確率遊技状態かつ時短遊技状態の遊技状態情報を示す。
【０１４０】
メインＣＰＵ１１０ａは、図７に示す大当たり遊技終了時設定データテーブルを参照し、特別図柄の停止特図データと、遊技状態バッファとに基づいて、時短遊技状態と、時短遊技回数（Ｊ）と、確率遊技状態と、高確率遊技回数（Ｘ）を決定する。
【０１４１】
本実施形態における図７に示す大当たり遊技終了時設定データテーブルの特徴としては、全ての大当たり遊技終了後には、大当たり抽選が８０回行われるまでの高確率遊技状態を決定するように構成されている。
【０１４２】
さらに、図７に示す大当たり遊技終了時設定データテーブルの特徴としては、同じ特別図柄の停止特図データであっても、遊技状態バッファに記憶された情報（大当たり当選時の遊技状態）に基づいて、時短遊技フラグの設定や時短遊技回数（Ｊ）を異ならせることを可能にしている。
【０１４３】
例えば、特別図柄の停止特図データが停止特図データ０４（特別図柄４）の場合には、時短遊技フラグ、及び、時短遊技回数（Ｊ）に関して、遊技状態バッファに低確率遊技状態かつ非時短遊技状態を示す遊技状態情報（００Ｈ）が記憶されていれば、大当たり終了後には時短遊技フラグのセットは行わず、時短遊技回数（Ｊ）も０回にセットする。これに対して、上記以外の遊技状態情報（０２Ｈ、０３Ｈ、又は、０４Ｈ）が遊技状態バッファに記憶されていれば、大当たり遊技終了後には時短遊技フラグをセットして、時短遊技回数（Ｊ）を８０回にセットする。
【０１４４】
これにより、大当たり当選時の遊技状態によって時短遊技回数（Ｊ）を変化させ、大当たり当選時の遊技状態に対する興味を遊技者に持たせることができる。
【０１４５】
（特別電動役物作動態様決定テーブル）
図８は、大入賞口開放態様テーブルを決定するための特別電動役物作動態様決定テーブルである。後述するように、この大入賞口開放態様テーブルに基づいて、大当たり遊技が実行されることから、大入賞口開放態様テーブルが大当たり遊技の種類を示すものといえる。なお、本実施形態では、「テーブル」のことを適宜省略して「ＴＢＬ」と記載することにする。
【０１４６】
図８に示すように特別電動役物作動態様決定テーブルには、特別図柄の停止特図データと、大入賞口開放態様テーブルとが対応付けられている。
【０１４７】
メインＣＰＵ１１０ａは、図８に示す特別電動役物作動態様決定テーブルを参照し、特別図柄の停止特図データに基づいて、大入賞口開放態様テーブルを決定することになる。
【０１４８】
（大入賞口開放態様テーブル）
図９は、図８で決定された大入賞口開放態様テーブルの構成を示す図であり、大入賞口開放態様テーブルによって第１大入賞口開閉扉１６ｂ、又は、第２大入賞口開閉扉１７ｂの開閉条件が決定される。
【０１４９】
具体的には、大当たり遊技のときに参照される大当たり用の大入賞口開放態様決定テーブル群であり、第１大当たりテーブル、第２大当たりテーブル、第３大当たりテーブル、及び、第４大当たりテーブルから構成されている。
【０１５０】
図９に示す大入賞口開放態様決定テーブルには、開放する大入賞口の種類（第１大入賞口１６、又は、第２大入賞口１７）と、１回の大当たり遊技における最大ラウンド遊技回数と、１つのラウンドにおける大入賞口への最大入賞個数を示す規定個数と、大当たり遊技の開始から最初のラウンド遊技を実行するまでのオープニング時間と、各ラウンド遊技における大入賞口の最大開放回数と、各ラウンド遊技における大入賞口の１回の開放時間と、各ラウンド遊技における大入賞口の１回の閉鎖時間と、次のラウンド遊技を実行するまでのインターバル時間と、最後のラウンド遊技の終了から大当たり遊技の終了までのエンディング時間が対応付けられている。
【０１５１】
メインＣＰＵ１１０ａは、第１大当たりテーブルに基づいて第１大当たり遊技を実行し、第２大当たりテーブルに基づいて第２大当たり遊技を実行し、第３大当たりテーブルに基づいて第３大当たり遊技を実行し、第４大当たりテーブルに基づいて第４大当たり遊技を実行することになる。
【０１５２】
図９に示す第１大当たりテーブルによれば、第１大入賞口開閉扉１６ｂを作動させて、遊技領域６の右側にある第１大入賞口１６を、１つのラウンドあたり最大２９秒まで開放させる第１大当たり遊技を実行することができる。ただし、開放時間が２９秒を経過するまでに、規定個数（９個）の遊技球が第１大入賞口１６に入賞すると、１つのラウンドの遊技が終了することになる。そして、１６ラウンド遊技が終了すると、第１大当たり遊技が終了することになる。
【０１５３】
また、図９に示す第２大当たりテーブルによれば、第２大入賞口開閉扉１７ｂを作動させて、第２大入賞口１７を１つのラウンドに対して複数回（Ｋ＝３）の開閉動作を行わせる（第２大入賞口１７が３秒の開放と１秒の閉鎖とを繰り返す）第２大当たり遊技を実行することができる。ただし、最大開放回数になるまでに、規定個数（９個）の遊技球が第２大入賞口１７に入賞すると、１つのラウンドの遊技が終了することになる。そして、４ラウンド遊技が終了すると、第２大当たり遊技が終了することになる。
【０１５４】
また、図９に示す第３大当たりテーブルは、第３大当たりテーブルと同様にデータが設定されているが、第３大当たりテーブルと比べて、最大ラウンド遊技回数が大きく設定されている点で異なっている。このため、第３大当たり遊技は、第２大当たり遊技よりも有利な大当たり遊技となる。
【０１５５】
図９に示す第４大当たりテーブルによれば、第１大入賞口開閉扉１６ｂを作動させて、遊技領域６の右側にある第１大入賞口１６を、２ラウンド分（２回）の最大０．０５２秒の開放を行わせる第４大当たり遊技を実行することができる。ただし、開放時間が０．０５２秒を経過するまでに、規定個数（９個）の遊技球が第１大入賞口１６に入賞すると、１つのラウンドの遊技が終了することになる。そして、２ラウンド遊技が終了すると、第４大当たり遊技が終了することになる。
【０１５６】
このように、本実施形態においては、開放する大入賞口、大入賞口の開放動作が異なる第１大当たり遊技から第４大当たり遊技の４種類の「大当たり遊技（特別遊技）」が設けられているため、遊技者にさまざまな特別遊技を楽しませることができる。
【０１５７】
また、第４大当たり遊技の開放時間（０．０５２秒）は、上述したように遊技球が１個発射される時間（約０．６秒）よりも短いため、第１大入賞口開閉扉１６ｂが作動したとしても、第１大入賞口１６に入賞することが困難である。そのため、第４大当たり遊技は「不利な開放態様」といえる。一方、第１大当たり遊技の開放時間（２９秒）、第２、３大当たり遊技の開放時間（３秒）は、遊技球が１個発射される時間（約０．６秒）よりも長いため、「有利な開放態様」といえる。
【０１５８】
（特図変動パターン決定テーブル）
図１０は、後述するように特別図柄の変動パターン（変動時間など）を決定するための特図変動パターン決定テーブルを示す図である。
【０１５９】
図１０に示すように特図変動パターン決定テーブルには、特別図柄表示装置（始動口の種別）、大当たり判定結果と、特別図柄（停止特図データ）と、リーチ判定用乱数値と、特別図柄の保留数（Ｕ１、又は、Ｕ２）と、特図変動用乱数値と、特別図柄の変動パターンと、特別図柄の変動時間とが対応付けられている。
【０１６０】
従って、「特別図柄の変動パターン」とは、少なくとも大当たりの判定結果、及び、特別図柄の変動時間を定めるものといえる。また、大当たりのときには、必ずリーチを行うように構成しているため、大当たりのときにはリーチ判定用乱数値は参照されないように構成されている。なお、リーチ判定用乱数値は、乱数範囲が９７（０〜９６）に設定されており、特図変動用乱数値は、乱数範囲が１００（０〜９９）に設定されている。
【０１６１】
また、図１０に示す特図変動パターン決定テーブルでは、特別図柄の保留数（Ｕ１、又は、Ｕ２）が多くなると、特別図柄の平均変動時間が短くなるように、変動パターン（１）（通常変動）の変動時間（Ｔ１）よりも、変動パターン（２）（短縮変動）の変動時間（Ｔ２）の方が短くなるように設定されている。例えば、変動パターン（１）（通常変動）の変動時間（Ｔ１）は１２秒に設定され、変動パターン（２）（短縮変動）の変動時間（Ｔ２）は３秒に設定されている。なお、特別図柄の保留数としては最大球数の「４」が記憶されることはあるが、特別図柄の変動パターンは、特別図柄の保留数から１を減算した後に決定されるものであることから、保留数として「４」は参照されないことになる。
【０１６２】
メインＣＰＵ１１０ａは、図１０に示す特図変動パターン決定テーブルを参照し、特別図柄表示装置（始動口の種別）、大当たり抽選の抽選結果、停止する特別図柄、特別図柄保留数（Ｕ１、又は、Ｕ２）、リーチ判定用乱数値、及び、特図変動用乱数値に基づいて、特別図柄の変動パターンと特別図柄の変動時間を決定する。
【０１６３】
そして、決定した特別図柄の変動パターンに基づいて、特別図柄の変動パターン指定コマンドが生成され、演出制御基板１２０に特別図柄の変動パターンの情報が送信される。
【０１６４】
ここで、特別図柄の変動パターン指定コマンドは、コマンドの分類を識別するため１バイトのＭＯＤＥデータと、コマンドの内容（機能）を示す１バイトのＤＡＴＡデータとから構成されている。本実施形態では、ＭＯＤＥデータとして「Ｅ６Ｈ」であるときには第１始動口１４に遊技球が入賞したことに対応する第１特別図柄表示装置２０の特別図柄の変動パターン指定コマンドを示し、ＭＯＤＥデータとして「Ｅ７Ｈ」であるときには、第２始動口１５に遊技球が入賞したことに対応する第２特別図柄表示装置２１の特別図柄の変動パターン指定コマンドを示している。
【０１６５】
また、演出制御基板１２０では、後述するように、特別図柄の変動パターン（変動パターン指定コマンド）に基づいて、演出図柄３８等の演出内容が決定される。図１０に示す特図変動パターン決定テーブルの最右欄には、参考として演出図柄３８等の演出内容を記載している。
【０１６６】
ここで、演出内容として、「通常変動」、「短縮変動」とは、複数の演出図柄３８がバラバラに高速で変動して、リーチとならずに停止することを意味しており、通常変動と短縮変動とは、短縮変動が通常変動に比べて短い変動時間で終了する点で相違している。
【０１６７】
また、「リーチ」とは、大当たりを報知する演出図柄３８の組合せの一部が仮停止して、他の演出図柄３８が変動を行うような、遊技者に大当たりの期待感を付与する変動態様を意味する。例えば、大当たりを報知する演出図柄３８の組合せとして「７７７」の３桁の演出図柄３８の組み合わせが設定されている場合に、２つの演出図柄３８が「７」で仮停止して、残りの演出図柄３８が変動を行っている態様をいう。なお、「仮停止」とは、演出図柄３８が小さく揺れ動いたり、演出図柄３８が小さく変形したりして、遊技者に演出図柄３８が停止しているかのようにみせている態様をいう。
【０１６８】
また、「ノーマルリーチ」とは、２つの演出図柄３８が仮停止し、残り１つの演出図柄３８が変動する大当たり遊技が実行される期待度（以下、「大当たり期待度」という）が低いリーチを意味している。なお、本実施形態においては、「ノーマルリーチ」によって大当たりすることはないが、「ノーマルリーチ」によって大当たりするように構成してもよい。
また、「ＳＰリーチ」とは、ノーマルリーチよりも大当たり期待度が高いスーパーリーチを意味している。例えば、仮停止していない演出図柄３８が特殊な変動をしたり、特殊なキャラクタが表示されたりする態様をいう。
また、「ＳＰＳＰリーチ」とは、スーパーリーチの後に行われ、スーパーリーチよりも大当たり期待度が高いスペシャルリーチを意味している。
また、「全回転リーチ」とは、大当たりを報知する複数の演出図柄３８の組合せが全て揃った状態で低速に変動する態様を意味し、本実施形態においては、大当たり抽選において当選したときにのみ実行されるリーチを意味している。
【０１６９】
また、「擬似連回数」とは、「擬似連続予告の実行回数」を意味しており、「擬似連続予告」とは、１回の大当たりの抽選に対応する特別図柄の変動表示中に、演出図柄３８を一旦仮停止させた後に再び変動させて、演出図柄３８の変動と仮停止とを複数回行う変動態様による予告を意味している。
【０１７０】
（大当たり抽選の事前判定テーブル）
図１１は、大当たり抽選の結果を事前に判定するための事前判定テーブルを示す図である。
【０１７１】
図１１に示すように事前判定テーブルには、特別図柄表示装置（始動口の種別）、大当たり判定用乱数値と、特別図柄決定用乱数値と、リーチ判定用乱数値と、特図変動用乱数値と、予定変動パターンとが対応付けられている。
【０１７２】
ここで、遊技球の始動口への入球時に取得された大当たり判定用乱数値によって「大当たり」、「小当たり」、「ハズレ」か、を事前に判定でき、特別図柄決定用乱数値によって特別図柄の種類（大当たり特別図柄、小当たり特別図柄、ハズレ特別図柄）を事前に判定できる。
さらに、リーチ判定用乱数値、及び、特図変動用乱数値によって予定変動パターン（リーチの発生の有無、リーチの種類といった演出内容）が事前に判定可能になるので、始動口入賞指定コマンドに、大当たりの種別、予定変動パターンを含ませることが可能となる。
【０１７３】
メインＣＰＵ１１０ａは、図１１に示す事前判定テーブルを参照し、特別図柄表示装置（始動口の種別）、大当たり判定用乱数値、特別図柄決定用乱数値、リーチ判定用乱数値、及び、特図変動用乱数値に基づいて、予定変動パターンを決定する。そして、決定した予定変動パターンに応じた始動口入賞指定コマンドが生成される。
【０１７４】
この始動口入賞指定コマンドは、コマンドの分類を識別するため１バイトのＭＯＤＥデータと、コマンドの内容（機能）を示す１バイトのＤＡＴＡデータとから構成される。本実施形態では、ＭＯＤＥデータとして「Ｅ８Ｈ」であるときには第１始動口１４に遊技球が入賞したことに対応する始動口入賞指定コマンドを示し、ＭＯＤＥデータとして「Ｅ９Ｈ」であるときには、第２始動口１５に遊技球が入賞したことに対応する始動口入賞指定コマンドを示している。
【０１７５】
なお、図１１に示す事前判定テーブルは、図１０に示す特図変動パターン決定テーブルと類似しているものである。ただし、図１１に示す事前判定テーブルは遊技球の始動口への入球時に用いられるに対し、図１０に示す特図変動パターン決定テーブルは特別図柄の変動開始時に用いられると点で相違している。加えて、「保留数」を参照するかしないかでも相違している。
このため、図１１に示す事前判定テーブルでは、大当たりやリーチの種別は判別可能であるが、「通常変動」と「短縮変動」との判別のみが不可能となっている（図１１に示す「予定変動パターン」参照）。
【０１７６】
また、図１１に示す事前判定テーブルは、低確率遊技状態で参照される大当たり抽選の事前判定テーブルであるが、図示は省略するが、高確率遊技状態で参照される大当たり抽選の事前判定テーブルもメインＲＯＭ１１０ｂに記憶されている。
なお、高確率遊技状態で参照される大当たり抽選の事前判定テーブルでは、図１１に示す事前判定テーブルと同様に構成されているが、「大当たり」であるか「ハズレ」であるかを事前に判定するための大当たり判定用乱数値の値が異なっている。
【０１７７】
図１２は、普通図柄、及び、第２始動口１５の始動可動片１５ｂに関するテーブルを示す図である。具体的には、図１２（ａ）は、当たり抽選の当り判定テーブルを示す図であり、図１２（ｂ）は、変動表示の結果として停止表示される普通図柄の種類を決定するための普通図柄決定テーブルを示す図である。また、図１２（ｃ）は、普通図柄の変動時間を決定するための普図変動パターン決定テーブルであり、図１２（ｄ）は、当たり抽選に当選したときの始動可動片１５ｂの開放態様を決定するための始動口開放態様決定テーブルを示す図である。
【０１７８】
（当たり抽選の当たり判定テーブル）
図１２（ａ）に示すように当り判定テーブルには、時短遊技状態の有無と、当たり判定用乱数値と、当たり判定結果とが対応付けられている。
【０１７９】
メインＣＰＵ１１０ａは、図１２（ａ）に示す当り判定テーブルを参照し、現在の時短遊技状態と取得された当たり判定用乱数値とに基づいて、「当たり」であるか「ハズレ」であるかを判定する。例えば、図１２（ａ）に示す当り判定テーブルによれば、非時短遊技状態であるときには、「０」という１個の特定の当たり判定用乱数値が当たりと判定される。一方、時短遊技状態であるときには、「０」から「１４」の１５個の当たり判定用乱数値が当たりと判定される。なお、上記以外の乱数値であった場合には、「ハズレ」と判定される。従って、当たり判定用乱数値の乱数範囲が０から１５であるから、非時短遊技状態のときに当たりと判定される確率は１／１６であり、時短遊技状態のときに当たりと判定される確率は１５／１６である。
【０１８０】
（普通図柄決定テーブル）
図１２（ｂ）に示すように普通図柄決定テーブルには、時短遊技状態の有無と、当たり判定結果と、普通図柄決定用乱数値と、普通図柄（停止普図データ）とが対応付けられている。
【０１８１】
メインＣＰＵ１１０ａは、図１２（ｂ）に示す普通図柄決定テーブルを参照し、現在の時短遊技状態と、当たり判定結果と、取得された普通図柄決定用乱数値とに基づいて、停止表示する普通図柄（停止普図データ）を決定する。
【０１８２】
そして、メインＣＰＵ１１０ａは、普通図柄の変動開始時には、決定した普通図柄の種類（停止普図データ）に基づいて、普通図柄の情報としての普図指定コマンドを決定して、決定した普図指定コマンドを演出制御基板１２０に送信することになる。
【０１８３】
ここで、図１２（ｄ）に示すように、普通図柄（停止普図データ）によって、始動可動片１５ｂの開放態様が決定されることから、普通図柄の種類が始動可動片１５ｂの開放態様を決定するものといえる。
【０１８４】
（普図変動パターン決定テーブル）
図１２（ｃ）は、後述するように普通図柄の変動パターン（変動時間など）を決定するための普図変動パターン決定テーブルを示す図である。
【０１８５】
図１２（ｃ）に示すように普図変動パターン決定テーブルには、時短遊技状態の有無と、当たり抽選の抽選結果と、普図変動用乱数値と、普通図柄の変動時間とが対応付けられている。
【０１８６】
メインＣＰＵ１１０ａは、図１２（ｃ）に示す普図変動パターン決定テーブルを参照し、現在の時短遊技状態と、当たり判定結果と、取得された普図変動用乱数値とに基づいて、普通図柄の変動時間を決定する。
【０１８７】
そして、メインＣＰＵ１１０ａは、普通図柄の変動開始時には、決定した普通図柄の変動時間に基づいて、普通図柄の変動時間の情報としての普図変動指定コマンドを決定して、決定した普図変動指定コマンドを演出制御基板１２０に送信することになる。
【０１８８】
図１２（ｃ）に示す普図変動パターン決定テーブルの特徴として、時短遊技状態の変動時間（３秒、又は、５秒）は、非時短遊技状態の変動時間（３０秒、又は、４０秒）よりも短くなるように構成されている。
【０１８９】
（始動可動片の始動口開放態様決定テーブル）
図１２（ｄ）に示すように始動口開放態様決定テーブルには、停止普図データ（普通図柄）と、始動可動片１５ｂの最大開放回数と、補助遊技のオープニング時間と、第２始動口１５の開放時間と、インターバル時間と、補助遊技のエンディング時間とが対応付けられている。
【０１９０】
メインＣＰＵ１１０ａは、図１２（ｄ）に示す始動口開放態様決定テーブルを参照し、停止普図データに基づいて、始動可動片１５ｂの最大開放回数、オープニング時間、開放時間、閉鎖時間、インターバル時間、エンディング時間を決定する。
【０１９１】
本実施形態では、図１２（ｄ）に示す始動口開放態様決定テーブルでは、停止普図データ＝０２に基づく始動口開放態様が、停止普図データ＝０１に基づく始動口開放態様よりも有利な開放態様となっており、停止普図データ＝０３に基づく始動口開放態様が、停止普図データ＝０２に基づく始動口開放態様よりも有利な開放態様となっている。
【０１９２】
そして、図１２（ｂ）の普通図柄決定テーブルに示すように、時短遊技状態において当たりとなったときに、最も有利な開放態様となる停止普図データ＝０３が選択されることになる。これにより、時短遊技状態では、非時短遊技状態よりも遊技者に有利に始動可動片１５ｂが作動することになる。
【０１９３】
（各種記憶領域）
図１３は、メインＲＡＭ１１０ｃに設定される各種記憶領域を示す図である。具体的には、図１３（ａ）は、第１始動口１４や第２始動口１５に遊技球が入球した場合に取得される特図判定情報（大当たり判定用乱数値、特別図柄決定用乱数値、リーチ判定用乱数値、特図変動用乱数値）が記憶される特図判定情報記憶領域を示す図であり、図１３（ｂ）は、特図判定情報記憶領域の各記憶部の構成を示す図であり、図１３（ｃ）は、普通図柄ゲート１３を遊技球が通過した場合に取得される普図判定情報（当たり判定用乱数値、普通図柄決定用乱数値、普図変動用乱数値）が記憶される普図判定情報記憶領域であり、図１３（ｄ）は、普図判定情報記憶領域の各記憶部の構成を示す図である。
【０１９４】
図１３（ａ）に示すように、特図判定情報記憶領域は、第１始動口１４への遊技球の入賞に基づき取得される特図判定情報が記憶される第１特図判定情報保留記憶領域と、第２始動口１５への遊技球の入賞に基づき取得される特図判定情報が記憶される第２特図判定情報保留記憶領域と、変動表示を実行中の特図判定情報が記憶される特図実行記憶領域とで構成されており、第１特図判定情報保留記憶領域、及び、第２特図判定情報保留記憶領域は、それぞれ第１記憶部から第４記憶部まで分かれている。
【０１９５】
なお、第１特図判定情報保留記憶領域の第１記憶部〜第４記憶部に記憶された未判定の特図判定情報の個数が第１特別図柄保留数（Ｕ１）となり、これら未判定の特図判定情報に対応する数の保留アイコンが第１保留アイコン表示領域３１ａに表示され、第２特図判定情報保留記憶領域に記憶された未判定の特図判定情報の個数が第２特別図柄保留数（Ｕ２）となり、これら未判定の特図判定情報に対応する数の保留アイコンが第２保留アイコン表示領域３１ｂに表示され、特図実行記憶領域に記憶される変動表示（変動演出）を実行中の特図判定情報に対応する当該変動アイコンが当該変動アイコン表示領域３１ｃに表示されることになる。
【０１９６】
図１３（ｂ）に示すように、各記憶部は、大当たり判定用乱数値を記憶するための大当たり判定用乱数値記憶領域と、特別図柄決定用乱数値を記憶するための特別図柄決定用乱数値記憶領域と、リーチ判定用乱数値を記憶するためのリーチ判定用乱数値記憶領域と、特図変動用乱数値を記憶するための特図変動用乱数値記憶領域とに分かれている。
【０１９７】
そして、第１始動口１４に遊技球が入球して特図判定情報が取得されると、第１特図判定情報保留記憶領域の第１〜第４記憶部のうちで特図判定情報が記憶されていない最も番号の小さい記憶部に取得した特図判定情報が記憶される。また、第２始動口１５に遊技球が入球して特図判定情報が取得されると、第２特図判定情報保留記憶領域の第１〜第４記憶部のうちで特図判定情報が記憶されていない最も番号の小さい記憶部に取得した特図判定情報が記憶されることになる。
【０１９８】
特図実行記憶領域は、第１特別図柄の変動表示の開始条件が成立すると、第１特図判定情報保留記憶領域の第１記憶に記憶されていた特図判定情報がシフトされ、第１特別図柄の変動表示を実行するために参照される。また、第２特別図柄の変動表示の開始条件が成立すると、第２特図判定情報保留記憶領域の第１記憶部に記憶されていた特図判定情報がシフトされ、第２特別図柄の変動表示を実行するために参照される。
【０１９９】
図１３（ｃ）に示すように、普図判定情報記憶領域は、普通図柄ゲート１３への遊技球の通過に基づき取得される普図判定情報が記憶される普図判定情報保留記憶領域と、変動表示を実行中の普図判定情報が記憶される普図実行記憶領域とで構成されており、普図判定情報保留記憶領域は、第１記憶部から第４記憶部まで分かれている。なお、普図判定情報保留記憶領域の第１記憶部〜第４記憶部に記憶された未判定の普図判定情報の個数が普通図柄保留数（Ｇ）となる。
【０２００】
図１３（ｄ）に示すように、各記憶部は、当たり判定用乱数値を記憶するための当たり判定用乱数値記憶領域と、普通図柄決定用乱数値を記憶するための普通図柄決定用乱数値記憶領域と、普図変動用乱数値を記憶するための普図変動用乱数値記憶領域とに分かれている。そして、普通図柄ゲート１３に遊技球が通過して普図判定情報が取得されると、普図判定情報保留記憶領域の第１〜第４記憶部のうちで普図判定情報が記憶されていない最も番号の小さい記憶部に取得した普図判定情報が記憶されることになる。
【０２０１】
普図実行記憶領域は、普通図柄の変動表示の開始条件が成立すると、普図判定情報保留記憶領域の第１記憶部に記憶されていた普図判定情報がシフトされ、普通図柄の変動表示を実行するために参照される。
【０２０２】
次に、遊技機１における遊技の進行について、フローチャートを用いて説明する。
【０２０３】
（主制御基板のメイン処理）
図１４を用いて、主制御基板１１０のメイン処理を説明する。図１４は、主制御基板１１０におけるメイン処理を示すフローチャートである。
【０２０４】
電源基板１４０により電源が供給されると、メインＣＰＵ１１０ａにシステムリセットが発生し、メインＣＰＵ１１０ａは、以下のメイン処理を行う。
【０２０５】
まず、メインＣＰＵ１１０ａは、ステップＳ１〜Ｓ１５によって構成される初期化処理を行う。具体的には、メインＣＰＵ１１０ａは、ステップＳ１において、メインＲＡＭ１１０ｃへのアクセスを許可する。
【０２０６】
メインＣＰＵ１１０ａは、ステップＳ２において、メインＲＡＭ１１０ｃに電源復旧であることを示すバックアップフラグがセットされているか否かを判定する。バックアップフラグがセットされている場合には、ステップＳ３に処理を移し、バックアップフラグがセットされていない場合には、ステップＳ１２に処理を移す。
【０２０７】
メインＣＰＵ１１０ａは、ステップＳ３において、メインＲＡＭ１１０ｃのチェックサムを算出し、ステップＳ４において、前回の電源断時にメインＲＡＭ１１０ｃに記憶されたチェックサムと、新たに算出したチェックサムとを比較し、チェックサムが正常か否かの判定を行う。チェックサムが正常である場合には、ステップＳ６に処理を移し、チェックサムが正常でない場合には、ＲＡＭ１１０ｃに記憶されているデータに異常がある（電源断前の制御状態に正常に復帰できない）ものとして、ステップＳ１２に処理を移す。
【０２０８】
メインＣＰＵ１１０ａは、ステップＳ６において、ＲＡＭクリアスイッチ１１１ａがＯＮしているか否かを判定する。ＲＡＭクリアスイッチ１１１ａがＯＮしていない場合には、電源復旧時の処理を行うものとしてステップＳ７に処理を移し、ＲＡＭクリアスイッチ１１１ａがＯＮしている場合には、電源投入時の処理を行うものとしてステップＳ１３に処理を移す。
【０２０９】
メインＣＰＵ１１０ａは、ステップＳ７において、メインＲＡＭ１１０ｃに記憶されるバックアップフラグ、及び、チェックサムをクリアし、電源復旧時のＲＡＭの設定を行う。この処理を行うことで、遊技の進行状態（制御状態）が電源断前の状態に復帰（復旧）するので、電源断前の状態から遊技を再開することが可能となる。
【０２１０】
メインＣＰＵ１１０ａは、ステップＳ８において、ＣＰＵ周辺のデバイスの初期設定を行う。具体的には、演出制御基板１２０への出力設定、使用するＣＴＣ（Counter Timer Circuit）の設定、使用するＣＴＣの割込みタイマ（４ミリ秒）等を設定する。
【０２１１】
メインＣＰＵ１１０ａは、ステップＳ９において、遊技の制御状態が復旧したこと、及び、停電発生前の遊技状態を示す電源復旧指定コマンドをメインＲＡＭ１１０ｃの演出用伝送データ格納領域にセットし、ステップＳ２０に処理を移す。これにより、電源復旧指定コマンドが演出制御基板１２０に送信され、演出制御基板１２０によって電源復旧報知を実行するための処理が行われることになる。
【０２１２】
なお、電源復旧報知とは、画像表示装置３１に電源が復旧したことを示す電源復旧画面（画像）を表示したり、音声出力装置３２から電源が復旧したことを示す電源復旧報知音を出力したりすることである。
【０２１３】
なお、電源復旧指定コマンドに現在の遊技状態を示す情報を含めずに、電源復旧指定コマンドを送信する前、又は、後に現在の遊技状態を示す遊技状態指定コマンドを送信するようにしてもよい。
【０２１４】
メインＣＰＵ１１０ａは、ステップＳ１０において、第１特別図柄保留数（Ｕ１）、及び、第２特別図柄保留数（Ｕ２）を示す特別図柄記憶指定コマンドをメインＲＡＭ１１０ｃの演出用伝送データ格納領域にセットする。これにより、特別図柄記憶指定コマンドが演出制御基板１２０に送信され、演出制御基板１２０では特別図柄保留数を把握することが可能となると共に、画像表示装置３１に第１保留アイコンや第２保留アイコンを表示させるための処理が行われることになる。
【０２１５】
メインＣＰＵ１１０ａは、ステップＳ１１において、普通図柄保留数（Ｇ）を示す普通図柄記憶指定コマンドをメインＲＡＭ１１０ｃの演出用伝送データ格納領域にセットする。これにより、普通図柄記憶指定コマンドが演出制御基板１２０に送信され、演出制御基板１２０で普通図柄記憶数を把握することが可能となる。
【０２１６】
メインＣＰＵ１１０ａは、ステップＳ１２において、メインＲＡＭ１１０ｃの全ての領域をクリアし、電源投入時のＲＡＭの設定を行い、ステップＳ１４に処理を移す。
【０２１７】
メインＣＰＵ１１０ａは、ステップＳ１３において、メインＲＡＭ１１０ｃの使用領域をクリアし、電源投入時のＲＡＭの設定を行い、ステップＳ１４に処理を移す。この処理を行うことで、遊技の進行状態（制御状態）が初期状態に初期化されることになる。
【０２１８】
メインＣＰＵ１１０ａは、ステップＳ１４において、ＣＰＵ周辺のデバイスの初期設定を行う。具体的には、演出制御基板１２０への出力設定、使用するＣＴＣ（Counter Timer Circuit）の設定、使用するＣＴＣの割込みタイマ（４ミリ秒）等を設定する。
【０２１９】
メインＣＰＵ１１０ａは、ステップＳ１５において、遊技の制御状態が初期化（ＲＡＭクリア）されたことを示す電源投入指定コマンドをメインＲＡＭ１１０ｃの演出用伝送データ格納領域にセットし、ステップＳ２０に処理を移す。これにより、電源投入指定コマンドが演出制御基板１２０に送信され、演出制御基板１２０によって電源投入報知を実行するための処理が行われることになる。
【０２２０】
なお、電源投入報知とは、画像表示装置３１に電源が投入されたことを示す電源投入画面（画像）を表示したり、音声出力装置３２からメインＲＡＭ１１０ｃが初期化されたことを示すＲＡＭクリア報知音を出力したりすることである。
【０２２１】
メインＣＰＵ１１０ａは、ステップＳ２０において、特別図柄の変動パターン（変動時間）を決定するためのリーチ判定用乱数値、及び、特図変動用乱数値を更新する処理を行い、ステップＳ３０において、大当たり判定用初期乱数値、特別図柄決定用初期乱数値、当たり判定用初期乱数値、普通図柄決定用初期乱数値の更新を行う。
【０２２２】
メインＣＰＵ１１０ａは、ステップＳ３１において、電源断が発生したか否かの判定を行う。具体的には、電源基板１４０に設けられる電断検出回路から電源断検出信号が入力されたか否かを判定する。電源断が発生した場合には、ステップＳ３２に処理を移し、電源断が発生していない場合には、処理がループするようにステップＳ２０に処理を移す。
【０２２３】
メインＣＰＵ１１０ａは、ステップＳ３２において、タイマ割込を禁止し、ステップＳ３３において、出力ポートをクリアし、ステップＳ３４において、メインＲＡＭ１１０ｃのチェックサムを算出してメインＲＡＭ１１０ｃの所定の領域にセットし、ステップＳ３５において、電源断からの復旧時に参照するバックアップフラグをメインＲＡＭ１１０ｃの所定の領域にセットし、ステップＳ４５において、メインＲＡＭ１１０ｃへのアクセスを禁止し、電源電圧の供給が完全に断たれるまで待機する。
【０２２４】
なお、電源断が発生したとき、及び、電源が投入されたときに、メインＲＡＭ１１０ｃの全使用領域のチェックサムを算出して比較するようにしているが、未使用領域を含む全ての領域のチェックサムを算出して比較するようにしてもよい。
【０２２５】
（主制御基板のタイマ割込処理）
図１５を用いて、主制御基板１１０のタイマ割込処理を説明する。図１５は、主制御基板１１０におけるタイマ割込処理を示すフローチャートである。
【０２２６】
主制御基板１１０に設けられたリセット用クロックパルス発生回路によって、所定の周期（４ミリ秒）毎にクロックパルスが発生されることで、以下に述べるタイマ割込処理が実行される。
【０２２７】
まず、メインＣＰＵ１１０ａは、ステップＳ１００において、メインＣＰＵ１１０ａのレジスタに格納されている情報をスタック領域に退避させる。
【０２２８】
メインＣＰＵ１１０ａは、ステップＳ１１０において、時間制御処理を行う。具体的には、特別図柄時間カウンタの更新処理、特別電動役物の開放時間等などの特別遊技タイマカウンタの更新処理、普通図柄時間カウンタの更新処理、始動可動片１５ｂの開閉時間の更新処理等の各種タイマカウンタを更新（１減算）する処理を行う。
【０２２９】
メインＣＰＵ１１０ａは、ステップＳ１２０において、乱数更新処理を行う。具体的には、大当たり判定用乱数値、特別図柄決定用乱数値、当たり判定用乱数値、普通図柄決定用乱数値、普図変動用乱数値を更新する処理を行う。より具体的には、それぞれの乱数値、及び、乱数カウンタを１加算する。なお、加算した乱数カウンタが乱数範囲の最大値を超えた場合（乱数カウンタが１周した場合）には、乱数カウンタを０に戻し、その時の初期乱数値からそれぞれの乱数値を新たに更新する。
【０２３０】
メインＣＰＵ１１０ａは、ステップＳ１３０において、初期乱数値更新処理を行う。具体的には、大当たり判定用初期乱数値、特別図柄決定用初期乱数値、当たり判定用初期乱数値、普通図柄決定用初期乱数値を更新（１加算）する処理を行う。
【０２３１】
メインＣＰＵ１１０ａは、ステップＳ２００において、入力制御処理を行う。具体的には、一般入賞口検出スイッチ１２ａ、第１大入賞口検出スイッチ１６ａ、第２大入賞口検出スイッチ１７ａ、第１始動口検出スイッチ１４ａ、第２始動口検出スイッチ１５ａ、ゲート検出スイッチ１３ａの各種スイッチに入力があったか否か判定し、入力があった場合には所定のデータをセットする処理を行う。詳しくは、図１６を用いて後述する。
【０２３２】
メインＣＰＵ１１０ａは、ステップＳ３００において、特図特電制御処理を行う。具体的には、大当たり抽選、特別図柄の変動表示、第１大入賞口１６、又は、第２大入賞口１７の開閉、遊技状態の変化等を制御する処理を行う。詳しくは、図１９を用いて後述する。
【０２３３】
メインＣＰＵ１１０ａは、ステップＳ４００において、普図普電制御処理を行う。具体的には、当たり抽選、普通図柄の変動表示、始動可動片１５ｂの開閉等を制御する処理を行う。詳しくは、図２６を用いて後述する。
【０２３４】
メインＣＰＵ１１０ａは、ステップＳ５００において、払出制御処理を行う。具体的には、それぞれの賞球カウンタを参照し、各種入賞口に対応する払出個数指定コマンドを生成してメインＲＡＭ１１０ｃの送信バッファに、セットする処理を行う。これにより、払出個数指定コマンドが払出制御基板１３０に送信され、払出個数指定コマンドに応じた個数の遊技球を払出装置から払い出すための処理が行われることになる。
【０２３５】
メインＣＰＵ１１０ａは、ステップＳ６００において、遊技進行データ作成処理を行う。具体的には、遊技情報出力端子板３０から出力する外部情報信号、始動口開閉ソレノイド１５ｃの駆動データ、第１大入賞口開閉ソレノイド１６ｃの駆動データ、第２大入賞口開閉ソレノイド１７ｃの駆動データ、第１特別図柄表示装置２０の表示データ、第２特別図柄表示装置２１の表示データ、普通図柄表示装置２２の表示データ、第１特別図柄保留表示器２３の表示データ、第２特別図柄保留表示器２４の表示データ、普通図柄保留表示器２５の表示データ等の遊技進行に係る出力データを作成する処理を行う。
【０２３６】
メインＣＰＵ１１０ａは、ステップＳ７００において、出力制御処理を行う。具体的には、上記ステップＳ６００やステップＳ６６０で作成した外部情報信号、各種の駆動データ、各種の表示データを出力させる処理を行う。また、メインＲＡＭ１１０ｃの演出用伝送データ格納領域や送信バッファにセットされているコマンドを演出制御基板１２０や払出制御基板１３０に送信するための処理も行う。
【０２３７】
メインＣＰＵ１１０ａは、ステップＳ８００において、ステップＳ１００で退避した情報をメインＣＰＵ１１０ａのレジスタに復帰させる。
【０２３８】
（主制御基板の入力制御処理）
図１６を用いて、主制御基板１１０の入力制御処理を説明する。図１６は、主制御基板１１０における入力制御処理を示すフローチャートである。
【０２３９】
メインＣＰＵ１１０ａは、ステップＳ２１０において、一般入賞口検出スイッチ入力処理を行う。具体的には、一般入賞口検出スイッチ１２ａから検出信号が入力されたか否かを判定し、検出信号が入力された場合に一般入賞口用の賞球カウンタに１加算する処理を行う。
【０２４０】
メインＣＰＵ１１０ａは、ステップＳ２２０において、大入賞口検出スイッチ入力処理を行う。具体的には、第１大入賞口検出スイッチ１６ａ、又は、第２大入賞口検出スイッチ１７ａから検出信号が入力されたか否かを判定し、検出信号が入力された場合に大入賞口用の賞球カウンタに１加算する処理を行う。
【０２４１】
メインＣＰＵ１１０ａは、ステップＳ２３０において、第１始動口検出スイッチ入力処理を行う。具体的には、第１始動口検出スイッチ１４ａから検出信号が入力されたか否かを判定し、検出信号が入力された場合に第１始動口用の賞球カウンタに１加算し、第１特別図柄保留数（Ｕ１）が４個未満であれば第１特別図柄保留数（Ｕ１）を１加算すると共に、特図判定情報を取得して特図判定情報記憶領域の所定の記憶部（第１記憶部〜第４記憶部）に記憶させると処理を行う。詳しくは、図１７を用いて後述する。
【０２４２】
メインＣＰＵ１１０ａは、ステップＳ２４０において、第２始動口検出スイッチ入力処理を行う。具体的には、第２始動口検出スイッチ１５ａからの検出信号が入力されたか否かを判定し、検出信号が入力された場合に第２始動口用の賞球カウンタに１加算し、第２特別図柄保留数（Ｕ２）が４未満であれば第２特別図柄保留数（Ｕ２）を１加算すると共に、特図判定情報を取得して特図判定情報記憶領域の所定の記憶部（第１記憶部〜第４記憶部）に記憶させる処理を行う。詳しくは、図１８を用いて後述する。
【０２４３】
メインＣＰＵ１１０ａは、ステップＳ２５０において、ゲート検出スイッチ入力処理を行い、今回の入力制御処理を終了する。具体的には、ゲート検出スイッチ１３ａから検出信号を入力したか否かを判定し、検出信号を入力した場合に普通図柄保留数（Ｇ）が４未満であれば普通図柄保留数（Ｇ）を１加算すると共に、普図判定情報を取得して普図判定情報記憶領域の所定の記憶部（第１記憶部〜第４記憶部）に記憶させる処理を行う。
【０２４４】
（主制御基板の第１始動口検出スイッチ入力処理）
図１７を用いて、主制御基板１１０の第１始動口検出スイッチ入力処理を説明する。図１７は、主制御基板１１０における第１始動口検出スイッチ入力処理を示すフローチャートである。
【０２４５】
まず、メインＣＰＵ１１０ａは、ステップＳ２３０−１において、第１始動口検出スイッチ１４ａから検出信号が入力されたか否かを判定する。検出信号が入力された場合には、ステップＳ２３０−２に処理を移し、検出信号が入力されなかった場合には、今回の第１始動口検出スイッチ入力処理を終了する。
【０２４６】
メインＣＰＵ１１０ａは、ステップＳ２３０−２において、賞球のために用いる第１始動口用の賞球カウンタ（３個賞球カウンタ）に１加算して更新する処理を行う。
【０２４７】
メインＣＰＵ１１０ａは、ステップＳ２３０−３において、第１特別図柄保留数（Ｕ１）が４未満であるか否かを判定する。第１特別図柄保留数（Ｕ１）が４未満である場合には、ステップＳ２３０−４に処理を移し、第１特別図柄保留数（Ｕ１）が４未満でない場合には、今回の第１始動口検出スイッチ入力処理を終了する。
【０２４８】
メインＣＰＵ１１０ａは、ステップＳ２３０−４において、第１特別図柄保留数（Ｕ１）に「１」を加算して記憶し、ステップＳ２３０−５において、第１特別図柄保留数（Ｕ１）を示す特別図柄記憶指定コマンドをメインＲＡＭ１１０ｃの演出用伝送データ格納領域にセットする。これにより、特別図柄記憶指定コマンドが演出制御基板１２０に送信され、画像表示装置３１に第１保留アイコンを表示する等の処理を行うことが可能となる。
【０２４９】
メインＣＰＵ１１０ａは、ステップＳ２３０−６において、特図判定情報を取得して第１特図判定情報記憶領域にある第１記憶部から順に空いている記憶部を検索していき、空いている記憶部に取得した特図判定情報を記憶する。
【０２５０】
メインＣＰＵ１１０ａは、ステップＳ２３０−７において、事前判定処理を行う。具体的には、図１１に示す大当たり抽選の事前判定テーブルを参照し、特別図柄表示装置の種類、今回取得した大当たり判定用乱数値、特別図柄決定用乱数値、リーチ判定用乱数値、及び、特図変動用乱数値に基づいて予定変動パターンを決定する処理を行う。
【０２５１】
メインＣＰＵ１１０ａは、ステップＳ２３０−８において、上記ステップＳ２３０−７の事前判定処理で決定された予定変動パターンを示す始動口入賞指定コマンドをメインＲＡＭ１１０ｃの演出用伝送データ格納領域にセットし、今回の第１始動口検出スイッチ入力処理を終了する。
【０２５２】
これにより、始動口入賞指定コマンドが演出制御基板１２０に送信され、今回の第１始動口１４への遊技球の入賞を契機とする特別図柄の変動表示が開始される前から（１、又は、複数の特別図柄の変動表示に亘って）、大当たり遊技が実行される可能性があることを予告する（大当たり遊技の実行を期待させる）先読み演出を実行することが可能となる。
【０２５３】
（主制御基板の第２始動口検出スイッチ入力処理）
図１８を用いて、主制御基板１１０の第２始動口検出スイッチ入力処理を説明する。図１８は、主制御基板１１０における第２始動口検出スイッチ入力処理を示すフローチャートである。
【０２５４】
まず、メインＣＰＵ１１０ａは、ステップＳ２４０−１において、第２始動口検出スイッチ１５ａから検出信号が入力されたか否かを判定する。検出信号が入力された場合には、ステップＳ２４０−２に処理を移し、検出信号が入力されなかった場合には、今回の第２始動口検出スイッチ入力処理を終了する。
【０２５５】
メインＣＰＵ１１０ａは、ステップＳ２４０−２において、賞球のために用いる第２始動口用の賞球カウンタ（１個賞球カウンタ）に１加算して更新する処理を行う。
【０２５６】
メインＣＰＵ１１０ａは、ステップＳ２４０−３において、現在が補助遊技中であるか否かを判定する。補助遊技中でない場合には、ステップＳ２４０−５に処理を移し、補助遊技中である場合には、ステップＳ２４０−４において、第２始動口入賞球カウンタ（Ｄ）に１加算して更新する。
【０２５７】
メインＣＰＵ１１０ａは、ステップＳ２４０−５において、第２特別図柄保留数（Ｕ２）が４未満であるか否かを判定する。第２特別図柄保留数（Ｕ２）が４未満である場合には、ステップＳ２４０−６に処理を移し、第２特別図柄保留数（Ｕ２）が４未満でない場合には、今回の第２始動口検出スイッチ入力処理を終了する。
【０２５８】
メインＣＰＵ１１０ａは、ステップＳ２４０−６において、第２特別図柄保留数（Ｕ２）に「１」を加算して記憶し、ステップＳ２４０−７において、第２特別図柄保留数（Ｕ２）を示す特別図柄記憶指定コマンドをメインＲＡＭ１１０ｃの演出用伝送データ格納領域にセットする。これにより、特別図柄記憶指定コマンドが演出制御基板１２０に送信され、画像表示装置３１に第２保留アイコンを表示する等の処理を行うことが可能となる。
【０２５９】
メインＣＰＵ１１０ａは、ステップＳ２４０−８において、特図判定情報を取得して第２特図判定情報記憶領域にある第１記憶部から順に空いている記憶部を検索していき、空いている記憶部に取得した特図判定情報を記憶する。
【０２６０】
メインＣＰＵ１１０ａは、ステップＳ２４０−９において、事前判定処理を行う。具体的には、図１１に示す大当たり抽選の事前判定テーブルを参照し、特別図柄表示装置の種類、今回取得した大当たり判定用乱数値、特別図柄決定用乱数値、リーチ判定用乱数値、及び、特図変動用乱数値に基づいて予定変動パターンを決定する処理を行う。
【０２６１】
メインＣＰＵ１１０ａは、ステップＳ２４０−１０において、上記ステップＳ２４０−９の事前判定処理で決定された予定変動パターンを示す始動口入賞指定コマンドをメインＲＡＭ１１０ｃの演出用伝送データ格納領域にセットし、今回の第２始動口検出スイッチ入力処理を終了する。
【０２６２】
これにより、始動口入賞指定コマンドが演出制御基板１２０に送信され、今回の第２始動口１５への遊技球の入賞を契機とする特別図柄の変動表示が開始される前から（１、又は、複数の特別図柄の変動表示に亘って）、大当たり遊技が実行される可能性があることを予告する（大当たり遊技の実行を期待させる）先読み演出を実行することが可能となる。
【０２６３】
（主制御基板の特図特電制御処理）
図１９を用いて、主制御基板１１０の特図特電制御処理を説明する。図１９は、主制御基板１１０における特図特電制御処理を示すフローチャートである。
【０２６４】
まず、メインＣＰＵ１１０ａは、ステップＳ３０１において、特図特電処理データをロードし、特図特電処理データ＝０であれば特別図柄記憶判定処理（ステップＳ３１０）に処理を移し、特図特電処理データ＝１であれば特別図柄変動処理（ステップＳ３２０）に処理を移し、特図特電処理データ＝２であれば特別図柄停止処理（ステップＳ３３０）に処理を移し、特図特電処理データ＝３であれば大当たり遊技処理（ステップＳ３４０）に処理を移し、特図特電処理データ＝４であれば大当たり遊技終了処理（ステップＳ３５０）に処理を移す。
【０２６５】
この「特図特電処理データ」は、後述するように特図特電制御処理の各サブルーチンの中で必要に応じてセットされていくので、遊技の進行において必要なサブルーチンが適宜処理されていくことになる。
【０２６６】
メインＣＰＵ１１０ａは、ステップＳ３１０において、特別図柄記憶判定処理を行い、今回の特図特電制御処理を終了する。具体的には、大当たり判定処理、停止表示する特別図柄の決定をする特別図柄決定処理、特別図柄の変動時間を決定する変動時間決定処理等を行う。詳しくは、図２０を用いて後述する。
【０２６７】
メインＣＰＵ１１０ａは、ステップＳ３２０において、特別図柄変動処理を行い、今回の特図特電制御処理を終了する。具体的には、特別図柄の変動時間が経過したか否かを判定する処理を行い、特別図柄の変動時間が経過した場合には、ステップＳ３３０の特別図柄停止処理に移行させる処理を行う。詳しくは、図２２を用いて後述する。
【０２６８】
メインＣＰＵ１１０ａは、ステップＳ３３０において、特別図柄停止処理を行い、今回の特図特電制御処理を終了する。具体的には、停止表示された特別図柄（大当たり図柄、ハズレ図柄）に対応する処理を行うと共に、時短遊技回数（Ｊ）、時短遊技フラグ、高確率遊技回数（Ｘ）、高確率遊技フラグを設定する処理を行う。詳しくは、図２３を用いて後述する。
【０２６９】
メインＣＰＵ１１０ａは、ステップＳ３４０において、大当たり遊技処理を行い、今回の特図特電制御処理を終了する。具体的には、大当たり遊技を制御する処理を行う。詳しくは、図２４を用いて後述する。
【０２７０】
メインＣＰＵ１１０ａは、ステップＳ３５０において、大当たり遊技終了処理を行い、今回の特図特電制御処理を終了する。具体的には、高確率遊技状態、又は、低確率遊技状態のいずれかの確率遊技状態を決定すると共に、時短遊技状態、又は、非時短遊技状態のいずれかの遊技状態を決定する処理を行う。詳しくは、図２５を用いて後述する。
【０２７１】
（主制御基板の特別図柄記憶判定処理）
図２０を用いて、主制御基板１１０の特別図柄記憶判定処理を説明する。図２０は、主制御基板１１０における特別図柄記憶判定処理を示すフローチャートである。
【０２７２】
まず、メインＣＰＵ１１０ａは、ステップＳ３１０−１において、特別図柄の変動表示中であるか否かを判定する。特別図柄の変動表示中である（特別図柄時間カウンタ≠０）場合には、今回の特別図柄記憶判定処理を終了し、特別図柄の変動表示中でない（特別図柄時間カウンタ＝０）場合には、ステップＳ３１０−２に処理を移す。
【０２７３】
メインＣＰＵ１１０ａは、ステップＳ３１０−２において、第２特別図柄保留数（Ｕ２）が１以上であるかを判定する。第２特別図柄保留数（Ｕ２）が１以上である場合には、ステップＳ３１０−３に処理を移し、第２特別図柄保留数（Ｕ２）が１以上でない場合には、ステップＳ３１０−４に処理を移す。
【０２７４】
メインＣＰＵ１１０ａは、ステップＳ３１０−３において、第２特別図柄保留数（Ｕ２）から１を減算して更新し、ステップＳ３１０−６に処理を移す。
【０２７５】
メインＣＰＵ１１０ａは、ステップＳ３１０−４において、第１特別図柄保留数（Ｕ１）が１以上であるかを判定する。第１特別図柄保留数（Ｕ１）が１以上であると判定した場合には、ステップＳ３１０−５に処理を移し、第１特別図柄保留数（Ｕ１）が１以上でない場合には、ステップＳ３１８−１に処理を移す。
【０２７６】
メインＣＰＵ１１０ａは、ステップＳ３１０−５において、第１特別図柄保留数（Ｕ１）から１を減算して更新し、ステップＳ３１０−６に処理を移す。
【０２７７】
メインＣＰＵ１１０ａは、ステップＳ３１０−６において、上記ステップＳ３１０−３、又は、ステップＳ３１０−５で減算された特別図柄保留数（Ｕ）に対応する特図判定情報保留記憶領域に記憶された特図判定情報のシフト（記憶領域シフト）を行う。具体的には、第１特図判定情報記憶領域、又は、第２特図判定情報記憶領域にある第１記憶部から第４記憶部に記憶された各特図判定情報を１つ前の記憶部にシフトさせる。ここで、第１記憶部に記憶されている特図判定情報は、特図実行記憶領域（第０記憶部）にシフトされる。このとき、既に特図実行記憶領域（第０記憶部）に書き込まれていた前回の特別図柄の変動表示で用いた特図判定情報は消去される。
【０２７８】
なお、本実施形態では、第２特別図柄保留数（Ｕ２）を第１特別図柄保留数（Ｕ１）よりも優先して減算することにしたが、始動口に入賞した順序で、第１特別図柄保留数（Ｕ１）、第２特別図柄保留数（Ｕ２）を減算するようにしてもよいし、第１特別図柄保留数（Ｕ１）を第２特別図柄保留数（Ｕ２）よりも優先して減算するようにしてもよい。
【０２７９】
メインＣＰＵ１１０ａは、ステップＳ３１０−７において、上記ステップＳ３１０−３、又は、ステップＳ３１０−５で減算された第１特別図柄保留数（Ｕ１）、又は、第２特別図柄保留数（Ｕ２）を示す特別図柄記憶指定コマンドを決定し、決定した特別図柄記憶指定コマンドを演出用伝送データ格納領域にセットする。これにより、特別図柄記憶指定コマンドが演出制御基板１２０に送信され、画像表示装置３１に表示されている第１保留アイコン、又は、第２保留アイコンの数を減らしたり、第１保留アイコン、又は、第２保留アイコンを当該変動アイコンに変化させたりする処理が行われることになる。
【０２８０】
メインＣＰＵ１１０ａは、ステップＳ３１１において、大当たり判定処理を行う。具体的には、図５に示す大当たり判定テーブルを参照して、確率遊技状態、及び、特図実行記憶領域に記憶されている大当たり判定用乱数値に基づいて大当たりか否かを決定し、図６に示す特別図柄決定テーブルを参照して、特別図柄表示装置（始動口の種別）、及び、特図実行記憶領域に記憶されている特別図柄決定用乱数値に基づいて特別図柄の種類（停止特図データ）を決定する。詳しくは、図２１を用いて後述する。
【０２８１】
メインＣＰＵ１１０ａは、ステップＳ３１２においては、特図変動パターン決定処理を行う。具体的には、図１０に示す特図変動パターン決定テーブルを参照して、特別図柄表示装置（始動口の種別）、大当たり抽選の結果、特別図柄、特別図柄保留数（Ｕ）、特図実行記憶領域に記憶されているリーチ判定用乱数値、及び、特図変動用乱数値に基づいて、特別図柄の変動パターンを決定する。
【０２８２】
メインＣＰＵ１１０ａは、ステップＳ３１３において、決定した変動パターンに対応する変動パターン指定コマンドを演出用伝送データ格納領域にセットする。これにより、変動パターン指定コマンドが演出制御基板１２０に送信され、演出制御基板１２０によって特別図柄の変動表示に対応するように変動パターンに応じた変動演出を実行するための処理が行われることになる。
【０２８３】
メインＣＰＵ１１０ａは、ステップＳ３１４において、変動開始時の遊技状態を確認し、現在の遊技状態に対応する遊技状態指定コマンドを演出用伝送データ格納領域にセットする。これにより、遊技状態指定コマンドが演出制御基板１２０に送信され、演出制御基板１２０において遊技状態を把握することが可能となる。
【０２８４】
メインＣＰＵ１１０ａは、ステップＳ３１５において、上記ステップＳ３１２において決定した変動パターンに基づいた特別図柄の変動時間（カウンタ値）を特別図柄時間カウンタにセットする。なお、特別図柄時間カウンタは上記Ｓ１１０において４ｍｓ毎に減算処理されていく。
【０２８５】
メインＣＰＵ１１０ａは、ステップＳ３１６において、特別図柄の変動表示を開始する。具体的には、特別図柄の変動表示データをメインＲＡＭ１１０ｃの所定の領域にセットする。これにより、上記ステップＳ６００で第１特別図柄表示装置２０、又は、第２特別図柄表示装置で特別図柄を変動表示するための表示データが作成され、作成されたデータがステップＳ７００において出力されることで、第１特別図柄表示装置２０、又は、第２特別図柄表示装置２１で特別図柄の変動表示が行われることになる。
【０２８６】
メインＣＰＵ１１０ａは、ステップＳ３１７において、特図特電処理データ＝１をセットし、図２２に示す特別図柄変動処理に処理を移す準備を行い、今回の特別図柄記憶判定処理を終了する。
【０２８７】
メインＣＰＵ１１０ａは、ステップＳ３１８−１において、特別図柄の変動表示や大当たり遊技が実行されていない客待ち状態（待機状態）であることを示す客待ち状態フラグがあるか否かを判定する。客待ち状態フラグがある場合には、今回の特別図柄記憶判定処理を終了し、客待ち状態フラグがない場合には、ステップＳ３１８−２に処理を移す。
【０２８８】
メインＣＰＵ１１０ａは、ステップＳ３１８−２において、メインＲＡＭ１１０ｃの所定の領域に客待ち状態であることを示す客待ち状態フラグをセットし、ステップＳ３１８−３において、客待ち状態であることを示す客待ち状態指定コマンドを演出用伝送データ格納領域にセットし、今回の特別図柄記憶判定処理を終了する。これにより、客待ち状態指定コマンドが演出制御基板１２０に送信され、演出制御基板１２０によって客待ち演出を実行するための処理が行われることになる。
【０２８９】
（主制御基板の大当たり判定処理）
図２１を用いて、主制御基板１１０の大当たり判定処理を説明する。図２１は、主制御基板１１０における大当たり判定処理を示すフローチャートである。
【０２９０】
メインＣＰＵ１１０ａは、ステップＳ３１１−１において、大当たりであるか否かを判定する。具体的には、特図実行記憶領域に格納されている特図判定情報が第１特図判定情報保留記憶領域からシフトされたものである場合には、図５（ａ）に示す大当たり抽選の大当たり判定テーブルを参照し、特図実行記憶領域に格納されている特図判定情報が第２特図判定情報保留記憶領域からシフトされたものである場合には、図５（ｂ）に示す大当たり抽選の大当たり判定テーブルを参照し、特図実行記憶領域に格納されている大当たり判定用乱数値に基づいて、「大当たり」であるか否かを判定する。大当たりである場合には、ステップＳ３１１−２に処理を移し、大当たりでない場合には、ステップＳ３１１−５に処理を移す。
【０２９１】
メインＣＰＵ１１０ａは、ステップＳ３１１−２において、大当たり図柄決定処理を行う。具体的には、図６（ｂ）に示す大当たりにおける特別図柄決定テーブルを参照し、特図実行記憶領域に格納されている特別図柄決定用乱数値に基づいて、停止表示させる大当たり特別図柄の種類を決定し、決定した大当たり特別図柄の種類に対応する停止特図データを停止特図データ記憶領域にセットする。
【０２９２】
なお、停止特図データ記憶領域にセットされた停止特図データは、後述する図２３の特別図柄停止処理において「大当たり図柄」であるのか否かの判定に用いられると共に、図２４の大当たり遊技処理において大入賞口の作動態様を決定するのにも用いられ、図２５の大当たり遊技終了処理において大当たり終了後の遊技状態を決定するためにも用いられる。
【０２９３】
メインＣＰＵ１１０ａは、ステップＳ３１１−３において、上記ステップＳ３１１−２で決定された停止特図データに対応する大当たり用の演出図柄指定コマンドをメインＲＡＭ１１０ｃの演出用伝送データ格納領域にセットする。これにより、演出図柄指定コマンドが演出制御基板１２０に送信され、演出制御基板１２０において停止表示される大当たり特別図柄の種類（停止特図データ）を把握することが可能となる。
【０２９４】
メインＣＰＵ１１０ａは、ステップＳ３１１−４において、遊技状態記憶領域（時短遊技フラグ記憶領域、高確率遊技フラグ記憶領域）にセットされた情報から大当たり当選時の遊技状態を判定し、大当たり当選時の遊技状態を示す遊技状態情報を遊技状態バッファにセットする。具体的には、時短遊技フラグと高確率遊技フラグの両方がセットされていなければ００Ｈをセットし、時短遊技フラグはセットされていないが高確率遊技フラグはセットされていれば０１Ｈをセットし、時短遊技フラグがセットされているが高確率遊技フラグがセットされていなければ０２Ｈをセットし、時短遊技フラグと高確率遊技フラグとの両方がセットされていれば０３Ｈをセットする。
【０２９５】
このように遊技状態記憶領域（時短遊技フラグ記憶領域、高確率遊技フラグ記憶領域）とは別に、遊技状態バッファに大当たり当選時の遊技状態をセットすることにしたのは、大当たり遊技中には遊技状態記憶領域（時短遊技フラグ記憶領域、高確率遊技フラグ記憶領域）にある高確率遊技フラグや時短遊技フラグがリセットされてしまうため、大当たり終了後に大当たりの当選時の遊技状態に基づいて、新たに大当たり終了時の遊技状態を決定する場合には、遊技状態記憶領域を参照することができないからである。このため、遊技状態記憶領域とは別に、大当たり当選時の遊技状態を示す遊技情報を記憶するための遊技状態バッファを設けることにより、大当たり終了後に遊技状態バッファにある遊技情報を参照することで、大当たり当選時の遊技状態に基づいて新たに大当たり終了後の遊技状態（時短遊技状態や時短遊技回数など）を設定できる。
【０２９６】
メインＣＰＵ１１０ａは、ステップＳ３１１−５において、ハズレ図柄決定処理を行う。具体的には、図６（ａ）に示すハズレにおける特別図柄決定テーブルを参照し、特図実行記憶領域に格納されている特別図柄決定用乱数値に基づいて、停止表示させるハズレ特別図柄の種類を決定し、決定したハズレ特別図柄の種類に対応する停止特図データを停止特図データ記憶領域にセットする。
【０２９７】
メインＣＰＵ１１０ａは、ステップＳ３１１−６において、上記ステップＳ３１１−５で決定された停止特図データに対応するハズレ用の演出図柄指定コマンドをメインＲＡＭ１１０ｃの演出用伝送データ格納領域にセットして、今回の大当たり判定処理を終了する。これにより、演出図柄指定コマンドが演出制御基板１２０に送信され、演出制御基板１２０において停止表示されるハズレ特別図柄の種類（停止特図データ）を把握することが可能となる。
【０２９８】
（主制御基板の特別図柄変動処理）
図２２を用いて、主制御基板１１０の特別図柄変動処理を説明する。図２２は、主制御基板１１０における特別図柄変動処理を示すフローチャートである。
【０２９９】
メインＣＰＵ１１０ａは、ステップＳ３２０−１において、特別図柄時間カウンタにセットされた変動時間が経過したか否かを判定する。変動時間が経過していない場合には、今回の特別図柄変動処理を終了し、変動時間が経過した場合には、ステップＳ３２０−２に処理を移す。
【０３００】
メインＣＰＵ１１０ａは、ステップＳ３２０−３において、特別図柄の変動表示を停止表示させる。具体的には、上記ステップＳ３１６でセットされた変動表示データをクリアして、上記ステップＳ３１１−２、Ｓ３１１−５でセットされた特別図柄を第１特別図柄表示装置２０、又は、第２特別図柄表示装置２１に停止表示させるための停止表示データをメインＲＡＭ１１０ｃの所定の領域にセットする。これにより、第１特別図柄表示装置２０、又は、第２特別図柄表示装置２１に特別図柄が停止表示され、遊技者に大当たり判定結果が報知されることになる。
【０３０１】
メインＣＰＵ１１０ａは、ステップＳ３２０−３において、特別図柄が停止表示したことを示す図柄確定コマンドをメインＲＡＭ１１０ｃの演出用伝送データ格納領域にセットする。これにより、図柄確定コマンドが演出制御基板１２０に送信され、演出制御基板１２０によって変動演出を終了させるための処理が行われることになる。
【０３０２】
メインＣＰＵ１１０ａは、ステップＳ３２０−４において、特別図柄の停止表示させる図柄停止時間（０．５秒）を特別図柄時間カウンタにセットする。なお、特別図柄時間カウンタは上記Ｓ１１０において４ｍｓ毎に１を減算して更新されていく。
【０３０３】
メインＣＰＵ１１０ａは、ステップＳ３２０−５において、特図特電処理データに２をセットし、図２３に示す特別図柄停止処理に処理を移す準備を行い、今回の特別図柄変動処理を終了する。
【０３０４】
（主制御基板の特別図柄停止処理）
図２３を用いて、主制御基板１１０の特別図柄停止処理を説明する。図２３は、主制御基板１１０における特別図柄停止処理を示すフローチャートである。
【０３０５】
メインＣＰＵ１１０ａは、ステップＳ３３０−１において、ステップＳ３２０−４においてセットされた図柄停止時間が経過したか否か（特別図柄時間カウンタ＝０か？）を判定する。図柄停止時間が経過した場合には、ステップＳ３３０−２に処理を移し、図柄停止時間が経過していない場合には、今回の特別図柄停止処理を終了する。
【０３０６】
メインＣＰＵ１１０ａは、ステップＳ３３０−２において、時短遊技終了判定処理を行う。具体的には、メインＲＡＭ１１０ｃに時短遊技フラグがセットされている場合に、時短遊技回数（Ｊ）から１を減算して更新し、新たな時短遊技回数（Ｊ）が「０」であるか否かを判定する。その結果、時短遊技回数（Ｊ）が「０」である場合に、時短遊技フラグをクリアして、ステップＳ３３０−３に処理を移す。一方、時短遊技フラグがセットされていない場合や、時短遊技回数（Ｊ）が「０」でない場合には、そのままステップＳ３３０−３に処理を移す。
【０３０７】
メインＣＰＵ１１０ａは、ステップＳ３３０−３において、高確率遊技終了判定処理を行う。具体的には、メインＲＡＭ１１０ｃに高確率遊技フラグがセットされている場合に、高確率遊技回数（Ｘ）から１を減算して更新し、新たな高確率遊技回数（Ｘ）が「０」であるか否かを判定する。その結果、高確率遊技回数（Ｘ）が「０」である場合に、高確率遊技フラグをクリアして、ステップＳ３３０−４に処理を移す。一方、高確率遊技フラグがセットされていない場合や、高確率遊技回数（Ｘ）が「０」でない場合には、そのままステップＳ３３０−４に処理を移す。
【０３０８】
メインＣＰＵ１１０ａは、ステップＳ３３０−４において、現在の遊技状態に対応する遊技状態指定コマンドをメインＲＡＭ１１０ｃの演出用伝送データ格納領域にセットする。これにより、遊技状態指定コマンドが演出制御基板１２０に送信され、演出制御基板１２０において遊技状態を把握することが可能となる。
【０３０９】
メインＣＰＵ１１０ａは、ステップＳ３３０−５において、停止特図データ記憶領域に記憶されている停止特図データが大当たり図柄であるか否かを判定する。大当たり図柄である場合には、ステップＳ３３０−７に処理を移し、大当たり図柄でない場合には、ステップＳ３３０−６に処理を移す。
【０３１０】
メインＣＰＵ１１０ａは、ステップＳ３３０−６において、特図特電処理データに０をセットし、図２０に示す特別図柄記憶判定処理に処理を移す準備を行い、今回の特別図柄停止処理を終了する。
【０３１１】
メインＣＰＵ１１０ａは、ステップＳ３３０−７において、特図特電処理データに３をセットし、図２４に示す大当たり遊技処理に処理を移す準備を行う。
【０３１２】
メインＣＰＵ１１０ａは、ステップＳ３３０−８において、通常遊技状態移行処理を行う。具体的には、高確率遊技フラグ、高確率遊技回数（Ｘ）、時短遊技フラグ、時短遊技回数（Ｊ）をクリアして、通常遊技状態（低確率非時短遊技状態）に移行させる。
【０３１３】
メインＣＰＵ１１０ａは、ステップＳ３３０−９において、大当たり開始準備設定処理を行う。具体的には、図８に示す特別電動役物作動態様決定テーブルを参照して、停止特図データに基づいて大当たり遊技の種類を決定し、図９に示す大当たり用の大入賞口開放態様決定テーブル群から大当たり遊技の種類に応じた大入賞口開放態様決定テーブル（「第１大当たりテーブル」、「第２大当たりテーブル」、「第３大当たりテーブル」、「第４大当たりテーブル」）を決定する。
【０３１４】
メインＣＰＵ１１０ａは、ステップＳ３３０−１０において、大当たり遊技の種類（第１大当たり遊技〜第４大当たり遊技）に応じたオープニング指定コマンドをメインＲＡＭ１１０ｃの演出用伝送データ格納領域にセットする。これにより、オープニング指定コマンドが演出制御基板１２０に送信され、演出制御基板１２０によって大当たり遊技のオープニング演出を実行するための処理が行われることになる。
【０３１５】
メインＣＰＵ１１０ａは、ステップＳ３３０−１１において、大当たり遊技のオープニング時間を特別遊技タイマカウンタにセットし、今回の特別図柄停止処理を終了する。具体的には、上記ステップＳ３３０−９で決定した大入賞口開放態様決定テーブル（図９参照）から大当たり遊技の種類に応じたオープニング時間を判定して特別遊技タイマカウンタにセットする。なお、特別遊技タイマカウンタは、上記ステップＳ１１０において、４ｍｓ毎に減算処理される。
【０３１６】
（主制御基板の大当たり遊技処理）
図２４を用いて、主制御基板１１０の大当たり遊技処理を説明する。図２４は、主制御基板１１０における大当たり遊技処理を示すフローチャートである。
【０３１７】
まず、メインＣＰＵ１１０ａは、ステップＳ３４０−１において、現在が大当たり遊技のオープニング中であるか否かを判定する。具体的には、ラウンド遊技回数（Ｒ）記憶領域に「０」が記憶されていれるか否かを判定する。オープニング中である場合には、ステップＳ３４０−２に処理を移し、オープニング中でない場合には、Ｓ３４０−６に処理を移す。
【０３１８】
メインＣＰＵ１１０ａは、ステップＳ３４０−２において、特別遊技タイマカウンタにセットされているオープニング時間が経過したか否かを判定する。オープニング時間が経過していない場合には、今回の大当たり遊技処理を終了し、オープニング時間が経過している場合には、ステップＳ３４０−３に処理を移す。
【０３１９】
メインＣＰＵ１１０ａは、ステップＳ３４０−３において、ラウンド遊技回数（Ｒ）記憶領域に記憶されたラウンド遊技回数（Ｒ）に１をセットする。
【０３２０】
メインＣＰＵ１１０ａは、ステップＳ３４０−４において、大入賞口開放処理を行う。具体的には、開放回数（Ｋ）に「１」を加算し、第１大入賞口開閉ソレノイド１６ｃ、又は、第２大入賞口開閉ソレノイド１７ｃを通電させるための通電データをセットすると共に、上記ステップＳ３３０−９で決定した大入賞口開放態様決定テーブル（図９参照）を参照して、現在のラウンド遊技回数（Ｒ）、及び、開放回数（Ｋ）に基づいて、第１大入賞口１６、又は、第２大入賞口１７の開放時間を特別遊技タイマカウンタにセットする。これにより、第１大入賞口１６、又は、第２大入賞口１７が開放することになる。
【０３２１】
メインＣＰＵ１１０ａは、ステップＳ３４０−５において、ラウンド指定コマンド送信判定処理を行う。具体的には、開放回数（Ｋ）が「１」である場合、つまり、ラウンド遊技が開始される場合に、ラウンド遊技回数（Ｒ）に対応するラウンド指定コマンドをメインＲＡＭ１１０ｃの演出用伝送データ格納領域にセットする。これにより、ラウンド指定コマンドが演出制御基板１２０に送信され、演出制御基板１２０によって大当たり遊技のラウンド演出を実行するための処理が行われることになる。
【０３２２】
メインＣＰＵ１１０ａは、ステップＳ３４０−６において、現在が大当たり遊技のエンディング中であるか否かを判定する。エンディングとは、予め設定されたラウンド遊技を全て終了した後の期間となっている。エンディング中である場合には、ステップＳ３４０−１８に処理を移し、エンディング中でない場合には、ステップＳ３４０−７に処理が移される。
【０３２３】
メインＣＰＵ１１０ａは、ステップＳ３４０−７において、大入賞口の閉鎖中であるか否かを判定する。具体的には、第１大入賞口開閉ソレノイド１６ｃ、又は、第２大入賞口開閉ソレノイド１７ｃを通電させるための通電データがセットされている否かを判定する。大入賞口の閉鎖中である場合には、ステップＳ３４０−８に処理を移し、大入賞口の閉鎖中でない場合には、ステップＳ３４０−９に処理を移す。
【０３２４】
メインＣＰＵ１１０ａは、ステップＳ３４０−８において、特別遊技タイマカウンタにセットされている大入賞口の閉鎖時間が経過したか否かを判定する。閉鎖時間が経過していない場合には、今回の大当たり遊技処理を終了し、閉鎖時間が経過した場合には、大入賞口を開放させるためステップＳ３４０−４に処理を移す。
【０３２５】
メインＣＰＵ１１０ａは、ステップＳ３４０−９において、大入賞口の開放を終了させるための開放終了条件が成立したか否かを判定する。具体的には、大入賞口入賞球カウンタ（Ｃ）の値が規定個数（９個）に達すること、及び、開放回数（Ｋ）における１回あたりの開放時間が経過することの何れか一方が成立したか否かを判定する。開放終了条件が成立したと判定した場合には、ステップＳ３４０−１０に処理を移し、開放終了条件が成立しないと判定した場合には、今回の大当たり遊技処理を終了する。
【０３２６】
メインＣＰＵ１１０ａは、ステップＳ３４０−１０において、大入賞口閉鎖処理を行う。具体的には、第１大入賞口開閉ソレノイド１６ｃ、又は、第２大入賞口開閉ソレノイド１７ｃを通電させるための通電データをクリアし、上記ステップＳ３３０−９で決定された大入賞口開放態様決定テーブル（図９参照）を参照して、現在のラウンド遊技回数（Ｒ）、及び、開放回数（Ｋ）に基づいて、第１大入賞口１６、又は、第２大入賞口１７の閉鎖時間（閉鎖インターバル時間、又は、１回の閉鎖時間）を特別遊技タイマカウンタにセットする。これにより、第１大入賞口１６、又は、第２大入賞口１７が閉鎖することになる。
【０３２７】
メインＣＰＵ１１０ａは、ステップＳ３４０−１１において、１回のラウンドが終了したか否かを判定する。具体的には、大入賞口入賞球カウンタ（Ｃ）の値が規定個数（９個）に達すること、及び、開放回数（Ｋ）が最大開放回数になることの何れか一方が成立したか否かを判定する。１回のラウンドが終了した場合には、ステップＳ３４０−１２に処理を移し、１回のラウンドが終了していない場合には、今回の大当たり遊技処理を終了する。
【０３２８】
メインＣＰＵ１１０ａは、ステップＳ３４０−１２において、ラウンドデータ初期化処理を行う。具体的には、開放回数（Ｋ）、及び、大入賞口入賞球カウンタ（Ｃ）をクリアする。ただし、ラウンド遊技回数（Ｒ）はクリアしない。
【０３２９】
メインＣＰＵ１１０ａは、ステップＳ３４０−１３において、ラウンド遊技回数（Ｒ）が最大ラウンド遊技回数となっているか否かを判定する。最大ラウンド遊技回数である場合には、ステップＳ３４０−１５に処理を移し、最大ラウンド遊技回数でない場合には、ステップＳ３４０−１４に処理を移す。
【０３３０】
メインＣＰＵ１１０ａは、ステップＳ３４０−１４において、ラウンド遊技回数（Ｒ）に「１」を加算して記憶し、今回の大当たり遊技処理を終了する。
【０３３１】
メインＣＰＵ１１０ａは、ステップＳ３４０−１５において、ラウンド遊技回数（Ｒ）をクリアし、ステップＳ３４０−１６において、上記ステップＳ３３０−９で決定された大入賞口開放態様決定テーブル（図９参照）に基づいて、特別遊技の種類（長当たり遊技、短当たり遊技、発展当たり遊技）を判定し、大当たり遊技の種類に応じたエンディング指定コマンドを演出用伝送データ格納領域にセットする。これにより、エンディング指定コマンドが演出制御基板１２０に送信され、演出制御基板１２０によって大当たり遊技のエンディング演出を実行するための処理が行われることになる。
【０３３２】
メインＣＰＵ１１０ａは、ステップＳ３４０−１７において、上記ステップＳ３３０−９で決定された大入賞口開放態様決定テーブル（図９参照）に基づいて、大当たり遊技の種類に応じたエンディング時間を特別遊技タイマカウンタにセットする。
【０３３３】
メインＣＰＵ１１０ａは、ステップＳ３４０−１８において、特別遊技タイマカウンタにセットされているエンディング時間が経過したか否かを判定する。エンディング時間が経過した場合には、ステップＳ３４０−１９に処理を移し、エンディング時間が経過していない場合には、今回の大当たり遊技処理を終了する。
【０３３４】
メインＣＰＵ１１０ａは、ステップＳ３４０−１９において、特図特電処理データに４をセットし、図２５に示す大当たり遊技終了処理に処理を移す準備を行い、今回の大当たり遊技処理を終了する。
【０３３５】
（主制御基板の大当たり遊技終了処理）
図２５を用いて、主制御基板１１０の大当たり遊技終了処理を説明する。図２５は、主制御基板１１０における大当たり遊技終了処理を示すフローチャートである。
【０３３６】
メインＣＰＵ１１０ａは、ステップＳ３５０−１において、停止特図データ記憶領域にセットされた停止特図データ、及び、遊技状態バッファにある遊技状態情報をロードする。
【０３３７】
メインＣＰＵ１１０ａは、ステップＳ３５０−２において、高確率遊技フラグ設定処理を行う。具体的には、図７に示す大当たり遊技終了時設定データテーブルを参照し、ロードした停止特図データ、及び、遊技状態情報に基づいて、大当たり遊技の終了時に高確率遊技状態に移行させるか否かを判定し、高確率遊技状態に移行させる場合に、高確率遊技状態であることを示す高確率遊技フラグを高確率遊技フラグ記憶領域にセットする。例えば、停止特図データが「０１」であれば、高確率遊技フラグがセットされる。
【０３３８】
メインＣＰＵ１１０ａは、ステップＳ３５０−３において、高確率遊技回数設定処理を行う。具体的には、図７に示す大当たり遊技終了時設定データテーブルを参照し、ロードした停止特図データ、及び、遊技状態情報に基づいて、高確率遊技状態で実行可能な変動表示の回数である高確率遊技回数（Ｘ）を決定し、決定した高確率遊技回数（Ｘ）を高確率遊技回数（Ｘ）記憶領域にセットする。例えば、停止特図データが「０１」であれば、高確率遊技回数（Ｘ）として８０回がセットされる。
【０３３９】
メインＣＰＵ１１０ａは、ステップＳ３５０−４において、時短遊技フラグ設定処理を行う。具体的には、図７に示す大当たり遊技終了時設定データテーブルを参照し、ロードした停止特図データ、及び、遊技情報に基づいて、大当たり遊技の終了時に時短遊技状態に移行させるか否かを判定し、時短遊技状態に移行させる場合に、時短遊技状態であることを示す時短遊技フラグを時短遊技フラグ記憶領域にセットする。例えば、遊技状態情報が０１Ｈ、０２Ｈ、又は、０３Ｈのときには時短遊技フラグがセットされる。
【０３４０】
メインＣＰＵ１１０ａは、ステップＳ３５０−５において、時短遊技回数決定処理を行う。具体的には、図７に示す大当たり遊技終了時設定データテーブルを参照し、ロードした停止特図データ、及び、遊技状態情報に基づいて、時短遊技状態で実行可能な変動表示の回数である時短遊技回数（Ｊ）を決定し、決定した時短遊技回数（Ｊ）を時短遊技回数（Ｊ）記憶領域にセットする。例えば、停止特図データが「０４」であって遊技状態情報が００Ｈのときには時短遊技回数（Ｊ）に０回をセットし、遊技状態情報が０１Ｈ、０２Ｈ、又は、０３Ｈのときには時短遊技回数（Ｊ）に８０回をセットする。
【０３４１】
メインＣＰＵ１１０ａは、ステップＳ３５０−６において、高確率遊技フラグ、及び、時短遊技フラグの有無を確認して遊技状態を特定し、特定した遊技状態を示す遊技状態指定コマンドを演出用伝送データ格納領域にセットする。これにより、遊技状態指定コマンドが演出制御基板１２０に送信され、演出制御基板１２０で遊技状態を把握することが可能となる。
【０３４２】
メインＣＰＵ１１０ａは、ステップＳ３５０−７において、特図特電処理データに０をセットし、図２０に示す特別図柄記憶判定処理に処理を移す準備を行い、今回の大当たり遊技終了処理を終了する。
【０３４３】
（主制御基板の普図普電制御処理）
図２６を用いて、主制御基板１１０の普図普電制御処理を説明する。図２６は、主制御基板１１０における普図普電制御処理を示すフローチャートである。
【０３４４】
まず、メインＣＰＵ１１０ａは、ステップＳ４０１において、普図普電処理データをロードし、普図普電処理データ＝０であれば普通図柄変動処理（ステップＳ４１０）に処理を移し、普図普電処理データ＝１であれば補助遊技処理（ステップＳ４２０）に処理を移す。
【０３４５】
この「普図普電処理データ」は、後述するように普図普電制御処理の各サブルーチンの中で必要に応じてセットされていくので、遊技の進行において必要なサブルーチンが適宜処理されていくことになる。
【０３４６】
メインＣＰＵ１１０ａは、ステップＳ４１０において、普通図柄変動処理を行い、今回の普図普電制御処理を終了する。具体的には、当たり判定処理、普通図柄を変動表示させる処理、普通図柄を停止表示させる処理等を行う。詳しくは、図２７を用いて後述する。
【０３４７】
メインＣＰＵ１１０ａは、ステップＳ４２０において、補助遊技処理を行い、今回の普図普電制御処理を終了する。具体的には、補助遊技を制御する処理を行う。詳しくは、図２８を用いて後述する。
【０３４８】
（主制御基板の普通図柄変動処理）
図２７を用いて、主制御基板１１０の普通図柄変動処理を説明する。図２７は、主制御基板１１０における普通図柄変動処理を示すフローチャートである。
【０３４９】
メインＣＰＵ１１０ａは、ステップＳ４１０−１において、普通図柄の変動表示中であるか否かを判定する。普通図柄の変動表示中である場合には、ステップＳ４１０−９に処理を移し、普通図柄の変動表示中でない場合には、ステップＳ４１０−２に処理を移す。
【０３５０】
メインＣＰＵ１１０ａは、ステップＳ４１０−２において、普通図柄保留数（Ｇ）が１以上であるかを判定する。普通図柄保留数（Ｇ）が１以上である場合には、ステップＳ４１０−３に処理を移し、普通図柄保留数（Ｇ）が１以上でない場合には、今回の普通図柄変動処理を終了する。
【０３５１】
メインＣＰＵ１１０ａは、ステップＳ４１０−３において、普通図柄保留数（Ｇ）から１を減算して更新し、ステップＳ４１０−４に処理を移す。
【０３５２】
メインＣＰＵ１１０ａは、ステップＳ４１０−４において、普通図柄保留記憶領域に記憶された普図判定情報のシフトを行う。具体的には、第１記憶部から第４記憶部に記憶された各普図判定情報を１つ前の記憶部にシフトさせる。ここで、第１記憶部に記憶されている普図判定情報は、普図実行記憶領域（第０記憶部）にシフトされる。このとき、既に普図実行記憶領域（第０記憶部）に書き込まれていた前回の普通図柄の変動表示で用いた特図判定情報は消去される。
【０３５３】
メインＣＰＵ１１０ａは、ステップＳ４１０−５において、当たり判定処理を行う。具体的には、図１２（ａ）に示す当たり判定テーブルを参照して、遊技状態、及び、普図実行記憶領域に記憶されている当たり判定用乱数値に基づいて当たりか否かを決定する。
【０３５４】
メインＣＰＵ１１０ａは、ステップＳ４１０−６において、普通図柄決定処理を行う。具体的には、図１２（ｂ）に示す普通図柄決定テーブルを参照し、現在の時短遊技状態と、当たり抽選の抽選結果と、取得された普通図柄決定用乱数値とに基づいて、停止表示する普通図柄（停止普図データ）を決定し、決定した停止普図データを停止普図データ記憶領域にセットし、停止普図データに対応する普図指定コマンドをメインＲＡＭ１１０ｃの演出用伝送データ格納領域にセットする。これにより、普図指定コマンドが演出制御基板１２０に送信され、演出制御基板１２０において停止普図データを把握することが可能となる。
【０３５５】
メインＣＰＵ１１０ａは、ステップＳ４１０−７において、普通図柄の変動時間決定処理を行う。具体的には、図１２（ｃ）に示す普図変動パターン決定テーブルを参照し、遊技状態、当たり判定結果、普図実行記憶領域に記憶されている普図変動用乱数値に基づいて、普通図柄の変動時間を決定して普通図柄時間カウンタにセットし、普通図柄の変動時間に対応する普図変動指定コマンドをメインＲＡＭ１１０ｃの演出用伝送データ格納領域にセットする。これにより、普図変動指定コマンドが演出制御基板１２０に送信され、演出制御基板１２０において普通図柄の変動時間を把握することが可能となる。
【０３５６】
メインＣＰＵ１１０ａは、ステップＳ４１０−８において、普通図柄の変動表示を開始し、今回の普通図柄変動処理を終了する。具体的には、普通図柄の変動表示データをメインＲＡＭ１１０ｃの所定の領域にセットする。これにより、上記ステップＳ６００において普通図柄表示装置２２で普通図柄を変動表示するための表示データが作成され、作成されたデータがステップＳ７００において出力されることで、普通図柄表示装置２２で普通図柄の変動表示が行われることになる。
【０３５７】
メインＣＰＵ１１０ａは、ステップＳ４１０−９において、普通図柄時間カウンタにセットされた変動時間が経過したか否かを判定する。変動時間が経過していない場合には、今回の普通図柄変動処理を終了し、変動時間が経過した場合には、ステップＳ４１０−１０に処理を移す。
【０３５８】
メインＣＰＵ１１０ａは、ステップＳ４１０−１０において、普通図柄の変動表示を停止させる。具体的には、上記ステップＳ４１０−８でセットされた変動表示データをクリアして、上記ステップＳ４１０−６でセットされた普通図柄を普通図柄表示装置２２に停止表示させるための停止表示データをメインＲＡＭ１１０ｃの所定の領域にセットする。これにより、普通図柄表示装置２２に普通図柄が停止表示され、遊技者に当たり判定結果が報知されることになる。
【０３５９】
メインＣＰＵ１１０ａは、ステップＳ４１０−１１において、停止普図データ記憶領域にセットされた停止普図データが当たり普通図柄であるか否かを判定する。当たり普通図柄である場合には、ステップＳ４１０−１２に処理を移し、当たり普通図柄でない場合には、今回の普通図柄変動処理を終了する。
【０３６０】
メインＣＰＵ１１０ａは、ステップＳ４１０−１２において、普図普電処理データ＝１をセットし、図２８に示す補助遊技処理に処理を移す準備を行い、ステップＳ４１０−１３において、開放態様決定処理を行う。具体的には、図１２（ｄ）に示す始動口開放態様決定テーブルを参照し、停止普図データに基づいて、始動可動片１５ｂの最大開放回数、補助遊技のオープニング時間、第２始動口１５の開放時間、インターバル時間、補助遊技のエンディング時間を決定する。
【０３６１】
メインＣＰＵ１１０ａは、ステップＳ４１０−１４において、補助遊技のオープニング時間を補助遊技タイマカウンタにセットし、今回の普通図柄変動処理を終了する。なお、補助遊技タイマカウンタは、上記ステップＳ１１０において、４ｍｓ毎に減算処理される。
【０３６２】
（主制御基板の補助遊技処理）
図２８を用いて、主制御基板１１０の補助遊技処理を説明する。図２８は、主制御基板１１０における補助遊技処理を示すフローチャートである。
【０３６３】
まず、メインＣＰＵ１１０ａは、ステップＳ４２０−１において、現在が補助遊技のオープニング中であるか否かを判定する。オープニング中である場合には、ステップＳ４２０−２に処理を移し、オープニング中でない場合には、Ｓ４２０−４に処理を移す。
【０３６４】
メインＣＰＵ１１０ａは、ステップＳ４２０−２において、補助遊技タイマカウンタにセットされているオープニング時間が経過したか否かを判定する。オープニング時間が経過していない場合には、今回の補助遊技処理を終了し、オープニング時間が経過している場合には、ステップＳ４２０−３に処理を移す。
【０３６５】
メインＣＰＵ１１０ａは、ステップＳ４２０−３において、第２始動口開放処理を行い、今回の補助遊技処理を終了する。具体的には、開放回数（Ｓ）に「１」を加算し、始動口開閉ソレノイド１５ｃを通電させるための通電データをセットすると共に、開放回数（Ｓ）に対応する第２始動口１５の開放時間を補助遊技タイマカウンタにセットする。これにより、第２始動口１５が開放することになる。
【０３６６】
メインＣＰＵ１１０ａは、ステップＳ４２０−４において、現在が補助遊技のエンディング中であるか否かを判定する。エンディング中である場合には、ステップＳ４２０−１２に処理を移し、エンディング中でない場合には、ステップＳ４２０−５に処理を移す。
【０３６７】
メインＣＰＵ１１０ａは、ステップＳ４２０−５において、第２始動口１５の閉鎖（インターバル）中であるか否かを判定する。具体的には、始動口開閉ソレノイド１５ｃを通電させるための通電データがセットされているか否かを判定する。第２始動口１５の閉鎖中である場合には、ステップＳ４２０−６に処理を移し、第２始動口１５の閉鎖中でない場合には、ステップＳ４２０−７に処理を移す。
【０３６８】
メインＣＰＵ１１０ａは、ステップＳ４２０−６において、補助遊技タイマカウンタにセットされている第２始動口１５の閉鎖時間（インターバル時間）が経過したか否かを判定する。閉鎖時間が経過してない場合には、今回の補助処理を終了し、閉鎖時間が経過している場合には、第２始動口１５を開放させるためステップＳ４２０−３に処理を移す。
【０３６９】
メインＣＰＵ１１０ａは、ステップＳ４２０−７において、第２始動口１５の開放を終了させるための開放終了条件が成立したか否かを判定する。具体的には、第２始動口入賞球カウンタ（Ｄ）の値が規定個数（１０個）に達すること、及び、開放回数（Ｓ）における１回あたりの開放時間が経過することの何れか一方が成立したか否かを判定する。開放終了条件が成立したと判定した場合には、ステップＳ４２０−８に処理を移し、開放終了条件が成立していないと判定した場合には、今回の補助遊技処理を終了する。
【０３７０】
メインＣＰＵ１１０ａは、ステップＳ４２０−８において、第２始動口閉鎖処理を行う。具体的には、始動口開閉ソレノイド１５ｃを通電させるための通電データをクリアし、上記ステップＳ４１０−１３で決定された第２始動口１５の閉鎖時間を補助遊技タイマカウンタにセットする。これにより、第２始動口１５が閉鎖することになる。
【０３７１】
メインＣＰＵ１１０ａは、ステップＳ４２０−９において、補助遊技が終了するか否かを判定する。具体的には、第２始動口の開放回数（Ｓ）が最大開放回数になっているか否かを判定する。補助遊技を終了させる場合には、ステップＳ４２０−１０に処理を移し、補助遊技を終了させない場合には、今回の補助遊技処理を終了する。
【０３７２】
メインＣＰＵ１１０ａは、ステップＳ４２０−１０において、補助遊技終了処理を行う。具体的には、開放回数（Ｓ）、及び、第２始動口入賞球カウンタ（Ｄ）をクリアする。
【０３７３】
メインＣＰＵ１１０ａは、ステップＳ４２０−１１において、上記ステップＳ４１０−１３で決定されたエンディング時間を補助遊技タイマカウンタにセットする。
【０３７４】
メインＣＰＵ１１０ａは、ステップＳ４２０−１２において、補助遊技タイマカウンタにセットされているエンディング時間が経過したか否かを判定する。エンディング時間が経過した場合には、ステップＳ４２０−１３に処理を移し、エンディング時間が経過していない場合には、今回の補助遊技処理を終了する。
【０３７５】
メインＣＰＵ１１０ａは、ステップＳ４２０−１３において、普図普電処理データに０をセットし、図２７に示す普通図柄変動処理に処理を移す準備を行い、今回の補助遊技処理を終了する。
【０３７６】
（演出制御部のメイン処理）
演出制御部１２０ｍにおけるサブＣＰＵ１２０ａにより実行される処理について説明する。まず、図２９を用いて、演出制御部１２０ｍのメイン処理を説明する。図２９は、演出制御部１２０ｍにおけるメイン処理を示すフローチャートである。
【０３７７】
まず、サブＣＰＵ１２０ａは、ステップＳ１０００において、初期化処理を行う。この処理において、サブＣＰＵ１２０ａは、電源投入に応じて、サブＲＯＭ１２０ｂからメイン処理プログラムを読み込むと共に、サブＲＡＭ１２０ｃに記憶されるフラグなどを初期化し、設定する処理を行う。
【０３７８】
サブＣＰＵ１２０ａは、ステップＳ１１００において、サブ乱数更新処理を行う。この処理において、サブＣＰＵ１２０ａは、サブＲＡＭ１２０ｃに記憶される各種乱数値を更新する処理を行う。以降は、所定の割込み処理が行われるまで、上記ステップＳ１１００の処理を繰り返し行う。
【０３７９】
（演出制御部のタイマ割込処理）
図３０を用いて、演出制御部１２０ｍのタイマ割込処理を説明する。図３０は、演出制御部１２０ｍにおけるタイマ割込処理を示すフローチャートである。なお、図示はしないが、演出制御部１２０ｍに設けられたリセット用クロックパルス発生回路によって、所定の周期（２ミリ秒）毎にクロックパルスが発生され、タイマ割込処理プログラムを読み込み、演出制御基板のタイマ割込処理が実行される。
【０３８０】
ステップＳ１３００において、サブＣＰＵ１２０ａは、サブＣＰＵ１２０ａのレジスタに格納されている情報をスタック領域に退避させる。
【０３８１】
ステップＳ１４００において、サブＣＰＵ１２０ａは、コマンド解析処理を行う。この処理において、サブＣＰＵ１２０ａは、サブＲＡＭ１２０ｃの受信バッファに格納されているコマンドを解析する処理を行う。コマンド解析処理の詳細については、図３１、及び、図３２を用いて後述する。
【０３８２】
なお、演出制御部１２０ｍは、主制御基板１１０から送信されたコマンドを受信すると、図示しない演出制御部１２０ｍのコマンド受信割込処理が発生し、受信したコマンドをサブＲＡＭ１２０ｃの受信バッファに格納するようになっている。
【０３８３】
ステップＳ１５００において、サブＣＰＵ１２０ａは、演出制御部１２０ｍで用いられる各種タイマカウンタの更新するタイマ更新処理を行う。
【０３８４】
ステップＳ１７００において、サブＣＰＵ１２０ａは、枠制御基板１８０を介して演出ボタン検出スイッチ３５ａ、及び、十字キー検出スイッチ３６ｂの信号を入力したか否かを判定し、演出ボタン検出スイッチ３５ａ等の信号を入力した場合には、画像制御部１５０に演出ボタン信号等を送信する演出入力制御処理を行う。
【０３８５】
ステップＳ１８００において、サブＣＰＵ１２０ａは、サブＲＡＭ１２０ｃの送信バッファにセットされている各種のコマンドを枠制御基板１８０や画像制御部１５０へ送信するデータ出力処理を行う。
【０３８６】
ステップＳ１９００において、サブＣＰＵ１２０ａは、ステップＳ１３００で退避した情報をサブＣＰＵ１２０ａのレジスタに復帰させる。
【０３８７】
（演出制御部のコマンド解析処理）
次に、図３１、及び、図３２を用いて、演出制御部１２０ｍのコマンド解析処理を説明する。図３１は、演出制御部１２０ｍにおけるコマンド解析処理（１）を示すフローチャートであり、図３２は、演出制御部１２０ｍにおけるコマンド解析処理（２）を示すフローチャートである。コマンド解析処理（２）は、コマンド解析処理（１）に引き続いて行われる。
【０３８８】
サブＣＰＵ１２０ａは、ステップＳ１４０１において、受信バッファを参照してコマンドを受信したか否かを判定する。コマンドを受信している場合には、ステップＳ１４１０に処理を移し、コマンドを受信していない場合には、今回のコマンド解析処理を終了する。
【０３８９】
サブＣＰＵ１２０ａは、ステップＳ１４１０において、受信バッファに格納されているコマンドが特別図柄記憶指定コマンドであるか否かを判定する。特別図柄記憶指定コマンドである場合には、ステップＳ１４１１に処理を移し、特別図柄記憶指定コマンドでなければ、ステップＳ１４２０に処理を移す。
【０３９０】
サブＣＰＵ１２０ａは、ステップＳ１４１１において、保留記憶更新処理を行い、今回のコマンド解析処理を終了する。具体的には、受信した特別図柄記憶指定コマンドから保留記憶数を解析して、解析した保留記憶数をサブＲＡＭ１２０ｃの保留記憶数カウンタにセットする等の処理を行う。
【０３９１】
サブＣＰＵ１２０ａは、ステップＳ１４２０において、受信バッファに格納されているコマンドが始動口入賞指定コマンドであるか否かを判定する。始動口入賞指定コマンドである場合には、ステップＳ１４２１に処理を移し、始動口入賞指定コマンドでない場合には、ステップＳ１４３０に処理を移す。
【０３９２】
サブＣＰＵ１２０ａは、ステップＳ１４２１において、アイコン変化演出決定処理を行い、今回のコマンド解析処理を終了する。具体的には、受信した始動口入賞指定コマンドの内容に基づいて、アイコン変化演出の実行の有無や変化シナリオを決定するための処理を行う。このアイコン変化演出決定処理の詳細は、図３３を用いて後述する。
【０３９３】
なお、アイコン変化演出とは、画像表示装置３１に表示されるアイコン（保留アイコン、当該変動アイコン）の表示態様を変化させることで、１、又は、複数の変動演出に亘って大当たり遊技が実行される可能性があることを示唆する（大当たり遊技が実行されることを期待させる）先読み演出の１種となっている。
【０３９４】
サブＣＰＵ１２０ａは、ステップＳ１４３０において、受信バッファに格納されているコマンドが演出図柄指定コマンドであるか否かを判定する。演出図柄指定コマンドである場合には、ステップＳ１４３１に処理を移し、演出図柄指定コマンドでない場合には、ステップＳ１４４０に処理を移す。
【０３９５】
サブＣＰＵ１２０ａは、ステップＳ１４３１において、基礎図柄データ決定処理を行い、今回のコマンド解析処理を終了する。具体的には、受信した演出図柄指定コマンドの内容に基づいて、大当たりの有無、大当たりの種別を識別可能とする基礎図柄データ（第１〜４大当たり図柄データ、ハズレ図柄データ）を決定するための処理を行う。
【０３９６】
サブＣＰＵ１２０ａは、ステップＳ１４４０において、受信バッファに格納されているコマンドが変動パターン指定コマンドであるか否かを判定する。変動パターン指定コマンドである場合には、ステップＳ１４４１に処理を移し、変動パターン指定コマンドでない場合には、ステップＳ１４５０に処理を移す。
【０３９７】
サブＣＰＵ１２０ａは、ステップＳ１４４１において、変動演出パターン決定処理を行う。具体的には、受信した変動パターン指定コマンドの内容に基づいて、各種の演出装置を用いて実行される変動演出の演出態様である変動演出パターンを決定し、決定された変動演出パターンに応じた変動演出パターンコマンドをサブＲＡＭ１２０ｃの送信バッファにセットする処理を行う。これにより、変動演出パターンコマンドが画像制御部１５０や枠制御基板１８０に送信され、変動演出を実行するための処理が行われることになる。なお、この変動演出パターン決定処理の詳細は、図３６を用いて後述する。
【０３９８】
サブＣＰＵ１２０ａは、ステップＳ１４４２において、アイコン表示態様更新処理を行う。具体的には、上述したアイコン変化演出決定処理で決定された変化シナリオ、及び、決定された変動演出パターンに基づいて、画像表示装置３１に表示される保留アイコンや当該変動アイコンの表示態様を更新してアイコン変化演出を実行するための処理を行う。
【０３９９】
サブＣＰＵ１２０ａは、ステップＳ１４４３において、大当たり予告演出決定処理を行う。具体的には、決定された変動演出パターンに基づいて、大当たり予告演出の有無や実行する大当たり予告演出の種類等を決定するための処理を行う。この大当たり予告演出決定処理の詳細は、図３８を用いて後述する。
【０４００】
なお、大当たり予告演出とは、実行中の変動演出の結果として大当たり遊技が実行される可能性があることを示唆する（大当たり遊技が実行されることを期待させる）演出となっている。
【０４０１】
サブＣＰＵ１２０ａは、ステップＳ１４４４において、カウントアップ演出決定処理を行う。具体的には、決定された変動演出パターンがカウントアップ演出を行うものである場合に、変動演出パターンに基づいて、カウントアップ演出の演出態様を決定するための処理を行う。このカウントアップ演出決定処理の詳細は、図４２を用いて後述する。
【０４０２】
なお、カウントアップ演出とは、画像表示装置３１において数値のカウントアップ表示（加算表示）を行い、最終的に表示された数値によって実行される可能性があるリーチ演出の種類（大当たり期待度）を予告（示唆）する演出となっている。
【０４０３】
サブＣＰＵ１２０ａは、ステップＳ１４４５において、タイマー演出決定処理を行い、今回のコマンド解析処理を終了する。具体的には、アイコン変化演出の有無、決定された変動演出パターン等に基づいて、タイマー演出の実行の有無や実行するタイマー演出の演出態様を決定するための処理を行う。このタイマー演出決定処理の詳細は、図４５を用いて後述する。
【０４０４】
なお、タイマー演出とは、画像表示装置３１に表示した数値（タイマー）のカウントダウン表示（減算表示）を行うことで変動演出中に所定のイベント（アイコン変化演出、各種リーチ演出、ゾーン演出、カウントアップ演出、演出ボタン３５の有効期間、大当たり図柄の停止表示等）が発生すること、及び、所定のイベントが発生するタイミングを示唆する演出となっている。また、タイマー演出におけるカウントダウン表示（減算表示）は、実際の時間の計時と略同じ間隔で更新される。
【０４０５】
サブＣＰＵ１２０ａは、ステップＳ１４５０において、受信バッファに格納されているコマンドが図柄確定コマンドであるか否かを判定する。図柄確定コマンドである場合には、ステップＳ１４５１に処理を移し、図柄確定コマンドでない場合には、ステップＳ１４６０に処理を移す。
【０４０６】
サブＣＰＵ１２０ａは、ステップＳ１４５１において、演出図柄停止処理を行い、今回のコマンド解析処理を終了する。具体的には、演出図柄３８を停止表示させるために、演出図柄を停止表示させるための停止指定コマンドをサブＲＡＭ１２０ｃの送信バッファにセットする処理を行う。これにより、停止指定コマンドが画像制御部１５０や枠制御基板１８０に送信され、変動演出を停止表示させるための処理が行われることになる。
【０４０７】
サブＣＰＵ１２０ａは、ステップＳ１４６０において、受信バッファに格納されているコマンドが遊技状態指定コマンドであるか否かを判定する。遊技状態指定コマンドである場合には、ステップＳ１４６１に処理を移し、遊技状態指定コマンドでない場合には、ステップＳ１４７０に処理を移す。
【０４０８】
サブＣＰＵ１２０ａは、ステップＳ１４６１において、遊技状態設定処理を行い、今回のコマンド解析処理を終了する。具体的には、受信した遊技状態指定コマンドを参照して現在の遊技状態を特定し、該特定した遊技状態を示すデータをサブＲＡＭ１２０ｃの所定の領域にセットする処理を行う。
【０４０９】
サブＣＰＵ１２０ａは、ステップＳ１４７０において、受信バッファに格納されているコマンドがオープニング指定コマンドであるか否かを判定する。オープニング指定コマンドである場合には、ステップＳ１４７１に処理を移し、オープニング指定コマンドでない場合には、ステップＳ１４８０に処理を移す。
【０４１０】
サブＣＰＵ１２０ａは、ステップＳ１４７１において、オープニング演出パターン決定処理を行い、今回のコマンド解析処理を終了する。具体的には、オープニング指定コマンドに基づいて、大当たり遊技の開始時に行われるオープニング演出の演出パターンを決定し、決定した演出パターンに対応するオープニング演出指定コマンドをサブＲＡＭ１２０ｃの送信バッファにセットする処理を行う。これにより、オープニング演出指定コマンドが画像制御部１５０や枠制御基板１８０に送信され、オープニング演出を実行するための処理が行われることになる。
【０４１１】
サブＣＰＵ１２０ａは、ステップＳ１４８０において、受信バッファに格納されているコマンドがラウンド指定コマンドであるか否かを判定する。ラウンド指定コマンドである場合には、ステップＳ１４８１に処理を移し、ラウンド指定コマンドない場合には、ステップＳ１４９０に処理を移す。
【０４１２】
サブＣＰＵ１２０ａは、ステップＳ１４８１において、ラウンド演出パターン決定処理を行い、今回のコマンド解析処理を終了する。具体的には、ラウンド指定コマンドに基づいて、ラウンド遊技中に行われるラウンド演出の演出パターンを決定し、決定した演出パターンに対応するラウンド演出指定コマンドをサブＲＡＭ１２０ｃの送信バッファにセットする処理を行う。これにより、ラウンド演出指定コマンドが画像制御部１５０や枠制御基板１８０に送信され、ラウンド演出を実行するための処理が行われることになる。
【０４１３】
サブＣＰＵ１２０ａは、ステップＳ１４９０において、受信バッファに格納されているコマンドがエンディング指定コマンドであるか否かを判定する。エンディング指定コマンドである場合には、ステップＳ１４９１に処理を移し、エンディング指定コマンドでない場合には、今回のコマンド解析処理を終了する。
【０４１４】
サブＣＰＵ１２０ａは、ステップＳ１４９１において、大当たり終了演出パターン決定処理を行い、今回のコマンド解析処理を終了する。具体的には、エンディング指定コマンドに基づいて、大当たり遊技の終了時に行われるエンディング演出の演出パターンを決定し、決定した演出パターンに対応するエンディング指定コマンドをサブＲＡＭ１２０ｃの送信バッファにセットする処理を行う。これにより、エンディング演出指定コマンドが画像制御部１５０や枠制御基板１８０に送信され、エンディング演出を実行するための処理が行われることになる。
【０４１５】
（アイコン変化演出決定処理）
次に、図３３を用いて、演出制御部１２０ｍのアイコン変化演出決定処理を説明する。図３３は、演出制御部１２０ｍにおけるアイコン変化演出決定処理を示すフローチャートである。
【０４１６】
まず、サブＣＰＵ１２０ａは、ステップＳ１４２１−１において、受信した始動口入賞指定コマンドを参照する。具体的には、この処理において、サブＣＰＵ１２０ａは、受信した始動口入賞指定コマンドを解析し、大当たりの当落、大当たりの種別、演出内容（予定される変動パターン）を把握する。
【０４１７】
サブＣＰＵ１２０ａは、ステップＳ１４２１−２において、現在がアイコン変化演出の実行可能期間であるか否かを判定する。アイコン変化演出の実行可能期間であると判定した場合には、ステップＳ１４２１−３に処理を移し、アイコン変化演出の実行可能期間でないと判定した場合には、今回のアイコン変化演出決定処理を終了する。
【０４１８】
なお、アイコン変化演出の実行可能期間であるか否かの判定では、アイコン変化演出の実行が規制される演出モード中でないことや、大当たり遊技の実行中でないことや、アイコン変化演出の実行中でない場合に実行可能期間であると判定する。なお、上記３つの条件の何れか１つの条件、又は、２つの条件だけを設けるようにしてもよい。
【０４１９】
サブＣＰＵ１２０ａは、ステップＳ１４２１−３において、先に受信した始動口入賞指定コマンドに対応する保留記憶、つまり、先行保留の事前判定結果が全てノーマルリーチ以下であるか否かを判定する。全てノーマルリーチ以下である場合には、ステップＳ１４２１−４に処理を移し、全てノーマルリーチ以下でない場合には、ステップ１４２１−７に処理を移す。
なお、ノーマルリーチ以下とは、通常変動、短縮変動、及び、ノーマルリーチのことである。つまり、このステップＳ１４２１−３においては、先行保留の事前判定結果が全て通常変動、短縮変動、又は、ノーマルリーチか否かを判定する。
【０４２０】
サブＣＰＵ１２０ａは、ステップＳ１４２１−４において、画像表示装置３１に表示されるアイコンの最終表示態様を決定するためのアイコン表示態様決定用乱数値を取得し、ステップＳ１４２１−５において、アイコンの最終表示態様を決定するためのアイコン最終表示態様決定テーブル（図３４参照）を選択する。このアイコン最終表示態様決定テーブルの詳細は、図３４を用いて後述する。
【０４２１】
サブＣＰＵ１２０ａは、ステップＳ１４２１−６において、アイコン最終表示態様を決定する。具体的には、この処理において、サブＣＰＵ１２０ａは、アイコン最終表示態様決定テーブルを参照し、始動口入賞指定コマンド、アイコン表示態様決定用乱数値に基づいて、複数のアイコン最終表示態様の中から１つのアイコン最終表示態様を決定する。
【０４２２】
サブＣＰＵ１２０ａは、ステップＳ１４２１−７において、アイコン変化演出を実行しない場合のアイコン最終表示態様として、通常表示態様である通常アイコンを決定する。
【０４２３】
サブＣＰＵ１２０ａは、ステップＳ１４２１−８において、決定されたアイコン最終表示態様がアイコン変化演出を実行する表示態様（特別アイコン）であるか否かを判定する。アイコン最終表示態様がアイコン変化演出を実行する表示態様である場合には、ステップＳ１４２１−９に処理を移し、アイコン最終表示態様がアイコン変化演出を実行する表示態様でない場合には、ステップＳ１４２１−１１に処理を移す。
【０４２４】
サブＣＰＵ１２０ａは、ステップＳ１４２１−９において、アイコン変化演出のシナリオを決定するための変化シナリオ決定テーブル（図３５参照）を選択する。この変化シナリオ決定テーブルの詳細は、図３５を用いて後述する。
【０４２５】
サブＣＰＵ１２０ａは、ステップＳ１４２１−１０において、変化シナリオを決定してサブＲＡＭ１２０ｃの保留記憶数カウンタに対応する先読み情報記憶領域にセットし、ステップＳ１４２１−１２に処理を移す。具体的には、この処理において、サブＣＰＵ１２０ａは、変化シナリオ決定テーブルを参照し、アイコン最終表示態様、始動口入賞指定コマンドに対応する特別図柄の保留数、及び、選択率に基づいて、複数の変化シナリオの中から１つの変化シナリオを決定する。
【０４２６】
サブＣＰＵ１２０ａは、ステップＳ１４２１−１１において、アイコン変化演出が実行されない非変化シナリオを決定してサブＲＡＭ１２０ｃの保留記憶数カウンタに対応する先読み情報記憶領域にセットし、ステップＳ１４２１−１２に処理を移す。
【０４２７】
サブＣＰＵ１２０ａは、ステップＳ１４２１−１２において、決定された変化シナリオ、又は、非変化シナリオから画像表示装置３１に最初にアイコンが表示されるときの初期表示態様を特定し、初期表示態様に応じたアイコン初期表示態様コマンドをサブＲＡＭ１２０ｃの送信バッファにセットし、今回のアイコン変化演出決定処理を終了する。これにより、アイコン初期表示態様コマンドが画像制御部１５０や枠制御基板１８０に送信され、アイコン初期表示態様コマンドに対応する表示態様の保留アイコンが画像表示装置３１に表示されたり、所定の効果音が出力されたりすることになる。
【０４２８】
なお、本実施形態のアイコン変化演出決定処理では、先行保留の事前判定結果が全てノーマルリーチ以下である場合にアイコン変化演出（保留アイコン変化演出、当該変動アイコン変化演出）が実行されるようにしたが、先行保留の事前判定結果がリーチ演出を行わないものである場合にアイコン変化演出が実行されるようにし、リーチ演出を行うものである場合にアイコン変化演出が実行されないようにしてもよい。このようにすると、リーチ演出が実行される先行保留に対応する変動演出中には保留アイコンの表示態様の変化が発生せずに、リーチ演出が実行されない先行保留に対応する変動演出中に保留アイコンの表示態様の変化が発生するようになり、アイコン変化演出によってリーチ演出を阻害することがなくなり、遊技の興趣を向上させることが可能となる。
【０４２９】
また、先行保留の事前判定結果がリーチ演出を行うものを含む場合であっても、アイコン変化演出が実行されるようにしてもよいが、そのようにする場合、先行保留の事前判定結果がリーチ演出を行うものを含まない場合の方が、リーチ演出を行うものを含む場合よりもアイコン変化演出が実行され易い（高い割合で実行される）ようにすればよい。
【０４３０】
（アイコン最終表示態様決定テーブル）
図３４は、アイコン最終表示態様を決定する場合に参照されるアイコン最終表示態様決定テーブルを示す図である。アイコン最終表示態様決定テーブルには、始動口入賞指定コマンドの種類、アイコン最終表示態様毎の振分割合（％）、及び、決定されるアイコン最終表示態様が対応付けられている。
【０４３１】
アイコン最終表示態様には、通常アイコンとしての白色で表示される白アイコンと、アイコン変化演出が実行されることで大当たりとなる（大当たり遊技が実行される）可能性があることを示唆する特別アイコンとしての青色で表示される青アイコン、緑色で表示される緑アイコン、赤色で表示される赤アイコン、ゼブラ柄（色）で表示されるゼブラアイコン、及び、虹色で表示される虹アイコンが設定されており、特別アイコンに係る大当たり期待度は、（白アイコン＜）青アイコン＜緑アイコン＜赤アイコン＜ゼブラアイコン＜虹アイコンの順で高くなっており、虹アイコンは大当たりとなることが確定するアイコンとなっている。
【０４３２】
図３４に示すアイコン最終表示態様決定テーブルの第１の特徴としては、演出内容に応じて、アイコン最終表示態様の選択率を異ならせている。始動入賞情報（始動口入賞指定コマンド）には、大当たりの当落、大当たりの種別、演出内容（リーチ演出等、擬似連回数）の情報が定められている点が挙げられる。
【０４３３】
具体的には、本実施形態では、演出内容がＳＰリーチやＳＰＳＰリーチであることを示す特定の始動入賞情報である場合、演出内容がリーチにならない通常変動や短縮変動やノーマルリーチであることを示す通常の始動入賞情報である場合よりも、特別アイコンが高い割合で選択されるようなっている。
【０４３４】
また、図３４に示すアイコン最終表示態様決定テーブルの第２の特徴としては、擬似連回数に応じて、アイコン最終表示態様の選択率を異ならせている。具体的には、擬似連回数が０回の場合よりも、１回の場合の方が、大当たり期待度が高い特別アイコンが高い割合で選択されるようになっており、擬似連回数が１回よりも、２回の場合の方が、大当たり期待度が高い特別アイコンが高い割合で選択されるようになっており、擬似連回数が３回の場合には大当たり確定の虹アイコンが選択されるようになっている。
【０４３５】
（変化シナリオ決定テーブル）
図３５は、変化シナリオを決定する場合に参照される変化シナリオ決定テーブルを示す図である。変化シナリオ決定テーブルには、アイコン最終表示態様、始動口入賞指定コマンドに対応する特別図柄の保留数、シナリオ毎の振分割合（％）、及び、決定される変化シナリオの種類が対応付けられており、参考として各変化シナリオにおける事前変動、及び、当該変動における更新態様が記載されている。
【０４３６】
ここで、「事前変動」とは、新たに受信した始動口入賞指定コマンドに対応する特図判定情報よりも以前に記憶された特図判定情報に基づいて実行される変動表示（変動演出）のことであり、「当該変動」とは、新たに受信した始動口入賞指定コマンドに対応する特図判定情報に基づいて実行される変動表示（変動演出）のことである。
【０４３７】
変化シナリオには、アイコンの表示態様が事前変動の実行中には変化せず（保留アイコン変化演出が実行されず）に当該変動の実行中には変化する（当該変動アイコン変化演出が実行される）シナリオ（例えば、シナリオ０１等）や、アイコンの表示態様が事前変動の実行中には変化する（保留アイコン変化演出が実行される）が当該変動の実行中には変化しない（当該変動アイコン変化演出が実行されない）シナリオ（例えば、シナリオ０２等）や、アイコンの表示態様が事前変動の実行中、及び、当該変動の実行中に変化する（保留アイコン変化演出、及び、当該変動アイコン変化演出が実行される）シナリオ（例えば、シナリオ１２等）が設定されている。
【０４３８】
変化シナリオの一例として、第１始動口１４への遊技球の入賞に基づく始動口入賞指定コマンドの受信に応じて変化シナリオ３９が選択された場合について説明する。
【０４３９】
変化シナリオ３９では、第１始動口１４への遊技球の入賞時において、画像表示装置３１の第１保留アイコン表示領域３１ａのうちの保留数「４」に対応する位置に保留アイコンとして白アイコンが表示される。そして、白アイコンの表示時点で実行中の４変動前の事前変動が終了するまで白アイコンを維持する。その後、３変動前の事前変動が開始されると、白アイコンが保留数「３」に対応する位置に移動し、保留アイコン変化演出が実行されて白アイコンが青アイコンに変化する。そして、２変動前の事前変動が開始されると、青アイコンが保留数「２」に対応する位置に移動し、この２変動前の事前変動が終了まで青アイコンを維持する。その後、１変動前の事前変動が開始されると、青アイコンが保留数「１」に対応する位置に移動し、保留アイコン変化演出が実行されて青アイコンが緑アイコンに変化する。そして、当該変動が開始されると、緑アイコンが当該変動アイコンとなり、当該変動アイコン変化演出が実行されて緑アイコンが所定のタイミングで赤アイコンに変化し、その後の所定のタイミングでゼブラアイコンに変化する。
なお、アイコン最終表示態様として青アイコン、緑アイコン、赤アイコン、及び、ゼブラアイコンに変化する場合の当該変動では、１段階ずつ表示態様が変化するようにしていたが、アイコン最終表示態様として虹アイコンに変化する場合の当該変動のように２段階変化（赤→虹）するパターンを設けても良いし、３段階変化するパターン（例えば、青アイコンからゼブラアイコンに変化）を設けても良い。
【０４４０】
図３５に示す変化シナリオ決定テーブルの第１の特徴として、始動口への遊技球の入賞時にアイコンの表示態様が変化するシナリオよりも当該変動の実行中にアイコンの表示態様が変化するシナリオの方が高い割合で選択されるようになっている。このようにすることで、アイコンの表示態様が変化するか（アイコン変化演出が実行されるか）否かの期待感を当該変動まで持続させることができ、遊技の興趣を向上させることが可能となる。
【０４４１】
また、図３５に示す変化シナリオ決定テーブルの第２の特徴として、複数段階に亘ってアイコンの表示態様が変化する（アイコン最終表示態様に緑、赤、ゼブラアイコンが決定されている）場合において、事前変動の実行中にアイコンが変化する段階数よりも当該変動の実行中にアイコンが変化する段階数が多くなり易いように設定されている。このようにすることで、当該変動においてアイコンの表示態様が複数段階に亘って変化する期待感を向上させることができ、遊技の興趣を向上させることが可能となる。
【０４４２】
なお、本実施形態の変化シナリオ決定テーブルでは、事前変動においてリーチ演出（ノーマルリーチ以外のリーチであってもよい）が実行されるか否かに拘らずにアイコンの表示態様を変化させるシナリオを決定するようになっているが、事前変動において大当たり遊技が実行される可能性があることを示唆するリーチ演出が実行されるか否かを判定要素とした変化シナリオ決定テーブルによってアイコンの表示態様を変化させるシナリオを決定するようにしてもよい。このような変化シナリオ決定テーブルを用いる場合には、リーチ演出が実行される事前変動の実行中にアイコンの表示態様の変化が発生せずに、リーチ演出が実行されない事前変動の実行中にアイコンの表示態様の変化が発生するように各種のシナリオを設定しておくとよい。また、リーチ演出が実行される事前変動、及び、リーチ演出が実行されない事前変動の実行中にアイコンの表示態様の変化が発生するが、リーチ演出が実行される事前変動の実行中よりもリーチ演出が実行されない事前変動の実行中の方が高い割合でアイコンの表示態様の変化が発生するように各種のシナリオを設定しておいてもよい。
【０４４３】
（変動演出パターン決定処理）
次に、図３６を用いて、演出制御部１２０ｍの変動演出パターン決定処理を説明する。図３６は、演出制御部１２０ｍにおけるアイコン変化演出決定処理を示すフローチャートである。
【０４４４】
サブＣＰＵ１２０ａは、ステップＳ１４４１−１において、受信した変動パターン指定コマンドを参照し、ステップＳ１４４１−２において、変動演出パターン決定テーブル（図３７参照）を選択する。
【０４４５】
サブＣＰＵ１２０ａは、ステップＳ１４４１−３において、変動演出パターン決定テーブルを参照し、変動パターン指定コマンド、振分割合（％）に基づいて、複数の変動演出パターンの中から１つの変動演出パターンを決定する。この変動演出パターン決定テーブルの詳細は、図３７を用いて後述する。
【０４４６】
サブＣＰＵ１２０ａは、ステップＳ１４４１−４において、決定した変動演出パターンに対応する変動演出パターン指定コマンドをサブＲＡＭ１２０ｃの送信バッファにセットし、今回の変動演出パターン決定処理を終了する。これにより、変動演出パターン指定コマンドが画像制御部１５０や枠制御基板１８０に送信され、変動演出を実行するための処理が行われることになる。
【０４４７】
（変動演出パターン決定テーブル）
図３７は、変動演出パターンを決定する場合に参照される変動演出パターン決定テーブルを示す図である。変動演出パターン決定テーブルには、変動演出パターン指定コマンド、変動演出パターン毎の振分割合（％）、及び、決定される変動演出パターンが対応付けられており、参考として変動演出パターン毎の演出構成が記載されている。
【０４４８】
変動演出パターンとは、画像表示装置３１、音声出力装置３２、盤用駆動装置３３、盤用照明装置３４ａ、枠用照明装置３４ｂ、演出ボタン３５、十字キー３６の演出装置を用いて行われる変動演出の演出態様であり、擬似連続予告の有無、リーチ演出の有無、リーチ演出の内容等が規定されている。
【０４４９】
ここで、図３７に示す変動演出パターン決定テーブルの演出構成に記載されている各用語について説明する。
【０４５０】
「通常変動」とは、演出図柄３８によってリーチ状態が形成されない通常変動演出が行われることを示している。
「短縮変動」とは、通常変動演出よりも短く演出図柄３８によってリーチ状態が形成されない短縮変動演出が行われることを示している。
「ノーマルリーチ」とは、演出図柄３８によってリーチ状態が形成されるノーマルリーチ演出が行われることを示している。
「ＳＰリーチ」とは、演出図柄３８によってリーチ状態が形成され、ノーマルリーチ演出よりも大当たり期待度が高いＳＰリーチ演出が行われることを示している。
「ＳＰＳＰリーチ」とは、演出図柄３８によってリーチ状態が形成され、ＳＰリーチ演出よりも大当たり期待度が高いＳＰＳＰリーチ演出が行われることを示している。
【０４５１】
「擬似連失敗」とは、擬似連続予告が実行されるか否かの煽り演出が実行されるが、最終的に擬似連続予告が実行されない結果となることを示している。
「擬似連成功」とは、擬似連続予告が実行されるか否かの煽り演出が実行されて、最終的に擬似連続予告が実行される結果となることを示している。
【０４５２】
「ボタン非突」とは、対応するリーチ演出の最終局面（終盤）において演出ボタン３５の操作を促す操作促進演出が実行され、この操作促進演出において演出ボタン３５が操作されるか演出ボタン３５の有効期間が経過すると、大当たりであるか否かを報知する当落報知演出を実行するが、この操作促進演出における有効期間において演出ボタン３５が上方に移動せずに非突出状態（通常状態）に維持されることを示している。
「ボタン突」とは、対応するリーチ演出の最終局面（終盤）において演出ボタン３５の操作を促す操作促進演出が実行され、この操作促進演出において演出ボタン３５が操作されるか演出ボタン３５の有効期間が経過すると、大当たりであるか否かを報知する当落報知演出を実行するが、この操作促進演出における有効期間において演出ボタン３５が上方に移動して突出状態（特別状態）となることを示している。
【０４５３】
「カウントアップ演出」とは、画像表示装置３１において数値のカウントアップ表示（加算表示）を行い、最終的に表示された数値によって実行される可能性があるリーチ演出の種類（大当たり期待度）を予告するカウントアップ演出が行われることを示している。なお、カウントアップ演出におけるカウントアップ表示（加算表示）は、タイマー演出におけるカウンタダウン表示（減算表示）とは異なり、実際の時間の計時とは異なる間隔（不規則な間隔）で更新される。
「ゾーン演出」とは、画像表示装置３１において通常の演出（背景）とは異なる特定演出（背景表示）を行い、大当たり遊技が実行される可能性があることを予告する（大当たり遊技が実行されることを期待させる）ゾーン演出が行われることを示している。
「熱ゾーン演出」とは、通常のゾーン演出とは異なる特定演出（背景表示）を行い、大当たり遊技が実行される可能性が通常のゾーン演出よりも高いことを予告する（大当たり遊技が実行されることを期待させる）熱ゾーン演出が行われることを示している。
【０４５４】
なお、カウントアップ演出におけるカウントアップ表示（加算表示）の実際の時間の計時とは異なる間隔（不規則な間隔）で更新されるとは、具体的には後述するが、本実施形態のようなカウントアップ表示（加算表示）の途中で計時が遅くなる（スロー）ものである。また、実際の時間の計時の数倍速で計時されるようなもの（例えば、実際の時間が１秒経過する間に演出（表示）上は５秒カウント）でも良いし、飛び飛びで計時（例えば、５秒間隔で計時）されるものでも良い。
【０４５５】
「次回予告」とは、変動演出において最終的に行われるリーチ演出の種類（本実施形態では、ＳＰＳＰリーチ演出、全回転リーチ演出）を予告する次回予告演出が行われることを示している。
【０４５６】
図３７に示す変動演出パターン決定テーブルの第１の特徴としては、擬似連続予告が実行されない場合よりも、擬似連続予告演出が実行された場合の方が、リーチ演出が実行され易く、擬似連続予告の実行回数が多いほど大当たり期待度が高くなる点が挙げられる。このようにすることで、擬似連続予告が実行されるか否か、又は、擬似連続予告の実行回数に対する遊技者の期待感を盛り上げることができ、遊技の興趣を向上させることが可能となる。
【０４５７】
また、図３７に示す変動演出パターン決定テーブルの第２の特徴としては、リーチ演出の最終局面（終盤）において発生する有効期間において演出ボタン３５が通常状態のままになっている場合よりも、演出ボタン３５が特別状態となる場合の方が、大当たり期待度が高くなる点が挙げられる。このようにすることで、演出ボタン３５が特別状態になるか否かに対する遊技者の期待感を盛り上げることができ、遊技の興趣を向上させることが可能となる。
【０４５８】
また、図３７に示す変動演出パターン決定テーブルの第３の特徴としては、通常のゾーン演出しか実行されない場合よりも、熱ゾーン演出が実行された場合の方が、リーチ演出の最終局面（終盤）において発生する有効期間において演出ボタン３５が特別状態になり易い点が挙げられる。このようにすることで、何れの種類のゾーン演出が実行されるかに対する遊技者の期待感を盛り上げることができ、遊技の興趣を向上させることが可能となる。
【０４５９】
また、図３７に示す変動演出パターン決定テーブルの第４の特徴としては、次回予告演出が実行されるとＳＰＳＰリーチ演出、又は、全回転リーチ演出の実行が確定する点が挙げられる。このようにすることで、次回予告演出が実行されるか否かに対する遊技者の期待感を盛り上げることができ、遊技の興趣を向上させることが可能となる。
【０４６０】
なお、図３７に示す変動演出パターン決定テーブルには、ノーマルリーチが行われ、ＳＰリーチが行われた後、ＳＰＳＰリーチが行われる変動演出パターンが設けられていなかったが、設けても良い。
【０４６１】
（大当たり予告演出決定処理）
次に、図３８を用いて、演出制御部１２０ｍの大当たり予告演出決定処理を説明する。図３８は、演出制御部１２０ｍにおける大当たり予告演出決定処理を示すフローチャートである。
【０４６２】
まず、サブＣＰＵ１２０ａは、ステップＳ１３４３−１において、決定された変動演出パターンを参照し、ステップＳ１４４３−２において、リーチ前予告決定テーブル（図３９参照）を用いて、リーチ前予告演出の実行の有無や実行するリーチ前予告演出の種類が定められた予告パターンを決定する。このリーチ前予告決定テーブルの詳細は、図３９を用いて後述する。
【０４６３】
サブＣＰＵ１２０ａは、ステップＳ１４４３−３において、決定された予告パターンがセリフ予告演出を実行する予告パターンであるか否かを判定する。セリフ予告演出を実行する予告パターンである場合には、ステップＳ１４４３−４に処理を移し、セリフ予告演出を実行しない予告パターンである場合には、ステップＳ１４４３−６に処理を移す。
【０４６４】
なお、セリフ予告演出とは、演出ボタン３５の操作に基づいて大当たり期待度を示唆するセリフを画像表示装置３１に表示させると共に、該セリフに応じた音声を音声出力装置３２から出力する大当たり予告演出の１種となっている。
【０４６５】
サブＣＰＵ１２０ａは、ステップＳ１４４３−４において、セリフパターン決定テーブル（図４０（ａ）参照）を用いて、セリフ予告演出の演出態様であるセリフパターンを決定してサブＲＡＭ１２０ｃの所定の領域にセットする。このセリフパターン決定テーブルの詳細は、図４０（ａ）を用いて後述する。
【０４６６】
サブＣＰＵ１２０ａは、ステップＳ１４４３−５において、決定したセリフパターンに応じたセリフ予告演出指定コマンドをサブＲＡＭ１２０ｃの送信バッファにセットする。これにより、セリフ予告演出指定コマンドが画像制御部１５０や枠制御基板１８０に送信され、セリフ予告演出を実行するための処理が行われることになる。
【０４６７】
サブＣＰＵ１２０ａは、ステップＳ１４４３−６において、決定された予告パターンがステップアップ予告演出（ＳＵ予告演出）を実行する予告パターンであるか否かを判定する。ステップアップ予告演出を実行する予告パターンである場合には、ステップＳ１４４３−７に処理を移し、ステップアップ予告演出を実行する予告パターンでない場合には、ステップＳ１４４３−９に処理を移す。
【０４６８】
なお、ステップアップ予告演出とは、第１ステップ（第１段階）から最終ステップ（最終段階）までの複数のステップ（段階）の何れかとなるまで、大当たり期待度に応じて第１ステップから所定の順序でステップ演出を実行する大当たり予告演出の１種となっている。具体的には、大当たり遊技が実行されない場合よりも大当たり遊技が実行される場合の（大当たり期待度が高い）方が多くのステップ演出が実行され易いようになっている。
【０４６９】
サブＣＰＵ１２０ａは、ステップＳ１４４３−７において、ステップアップパターン決定テーブル（図４０（ｂ）参照）を用いて、ステップアップ予告演出の演出態様であるステップアップパターンを決定してサブＲＡＭ１２０ｃの所定の領域にセットする。このステップアップパターン決定テーブルの詳細は、図４０（ｂ）を用いて後述する。
【０４７０】
サブＣＰＵ１２０ａは、ステップＳ１４４３−８において、決定したステップアップパターンに応じたステップアップ予告演出指定コマンドをサブＲＡＭ１２０ｃの送信バッファにセットする。これにより、ステップアップ予告演出指定コマンドが画像制御部１５０や枠制御基板１８０に送信され、ステップアップ予告演出を実行するための処理が行われることになる。
【０４７１】
サブＣＰＵ１２０ａは、ステップＳ１４４３−９において、リーチ中予告決定テーブル（図４１（ａ）参照）を用いて、リーチ中予告演出の実行の有無や実行するリーチ中予告演出の種類が定められた予告パターンを決定する。このリーチ中予告決定テーブルの詳細は、図４１（ａ）を用いて後述する。
【０４７２】
サブＣＰＵ１２０ａは、ステップＳ１４４３−１０において、決定された予告パターンがキャラ群予告演出を実行する予告パターンであるか否かを判定する。キャラ群予告演出を実行する予告パターンである場合には、ステップＳ１４４３−１１に処理を移し、キャラ群予告演出を実行しない予告パターンである場合には、今回の大当たり予告演出決定処理を終了する。
【０４７３】
なお、キャラ群予告演出とは、大当たり期待度が異なる複数種類のキャラクタの１つを群として画像表示装置３１に表示させる大当たり予告演出の１種となっている。
【０４７４】
サブＣＰＵ１２０ａは、ステップＳ１４４３−１１において、キャラ群パターン決定テーブル（図４１（ｂ）参照）を用いて、キャラ群予告演出の演出態様であるキャラ群パターンを決定してサブＲＡＭ１２０ｃの所定の領域にセットする。このキャラ群パターン決定テーブルの詳細は、図４１（ｂ）を用いて後述する。
【０４７５】
サブＣＰＵ１２０ａは、ステップＳ１４４３−１２において、決定したキャラ群パターンに応じたキャラ群予告演出指定コマンドをサブＲＡＭ１２０ｃの送信バッファにセットし、今回の大当たり予告演出決定処理を終了する。これにより、キャラ群予告演出指定コマンドが画像制御部１５０や枠制御基板１８０に送信され、キャラ群予告演出が実行されることになる。
【０４７６】
（リーチ前予告決定テーブル）
図３９は、リーチ前予告の予告パターンを決定する場合に参照されるリーチ前予告決定テーブルを示す図である。リーチ前予告決定テーブルには、大当たり抽選結果、変動演出パターン種別、予告パターン毎の振分割合（％）、決定される予告パターンが対応付けられている。
【０４７７】
リーチ前予告の予告パターンには、リーチ前予告が実行されない「予告なし」、セリフ予告演出が実行される「セリフ予告演出」、ステップアップ予告演出が実行される「ステップアップ予告演出」の３種類が設定されており、大当たり期待度は、予告なし＜セリフ予告演出＜ステップアップ予告演出となっている。
【０４７８】
図３９に示すリーチ前予告決定テーブルの特徴としては、大当たり抽選結果がハズレの場合よりも、大当たりの場合の方が、リーチ前予告が実行され易く、且つ、大当たり期待度が低い変動演出パターンが決定されている場合よりも、大当たり期待度が高い変動演出パターンが決定されている場合の方が、リーチ前予告が実行され易い点が挙げられる。このようにすることで、大当たり遊技が実行されることに対する遊技者の期待感を盛り上げることができ、遊技の興趣を向上させることが可能となる。
【０４７９】
（セリフパターン決定テーブル）
図４０（ａ）は、セリフパターンを決定する場合に参照されるセリフパターン決定テーブルを示す図である。セリフパターン決定テーブルには、大当たり抽選結果、変動演出パターン種別、セリフパターン毎の振分割合（％）、決定されるセリフパターンが対応付けられている。
【０４８０】
セリフパターンには、大当たり遊技が実行される可能性があるか否かが不明な「ノーマルセリフ」、リーチ演出が実行されることが確定する「リーチ確定セリフ」、リーチ演出が実行されることが確定すると共に、大当たり遊技が実行される可能性があることを示唆する「期待度ＵＰセリフ」、大当たりとなることが確定する「当確セリフ（プレミア）」の４分類が設定されており、分類毎に複数のセリフが設定されており、大当たり期待度は、ノーマルセリフ＜リーチ確定セリフ＜期待度ＵＰセリフ＜当確セリフ（大当たり確定）となっている。
【０４８１】
図４０（ａ）に示すセリフパターン決定テーブルの特徴としては、大当たり抽選結果がハズレの場合よりも、大当たりの場合の方が、リーチ確定セリフ以上のセリフ（リーチ確定セリフ、期待度ＵＰセリフ、当確セリフ）が決定され易く、大当たり期待度が低い変動演出パターンが決定されている場合よりも、大当たり期待度が高い変動演出パターンが決定されている場合の方が、リーチ確定セリフ以上のセリフ（リーチ確定セリフ、期待度ＵＰセリフ、当確セリフ）が決定され易い点が挙げられる。このようにすることで、大当たり遊技が実行されることに対する遊技者の期待感を盛り上げることができ、遊技の興趣を向上させることが可能となる。
【０４８２】
（ステップアップパターン決定テーブル）
図４０（ｂ）は、ステップアップパターンを決定する場合に参照されるステップアップパターン決定テーブルを示す図である。ステップアップパターン決定テーブルには、大当たり抽選結果、変動演出パターン種別、ステップアップパターン毎の振分割合（％）、決定されるステップアップパターンが対応付けられている。
【０４８３】
ステップアップパターンには、第１ステップ演出が実行される「通常ＳＵ１」、第１、及び、第２ステップ演出が実行される「通常ＳＵ２」、第１〜第３ステップ演出が実行される「通常ＳＵ３」、第１〜第４ステップ演出が実行される「通常ＳＵ４」、第１〜第５ステップ演出が実行される「通常ＳＵ５」、第１〜第５ステップ演出が実行されると共に大当たり遊技が実行されることが確定する「当確ＳＵ５（プレミア）」の６種類が設定されており、大当たり期待度は、通常ＳＵ１＜通常ＳＵ２＜通常ＳＵ３＜通常ＳＵ４、通常ＳＵ５＜当確ＳＵ５となっている。
【０４８４】
図４０（ｂ）に示すステップアップパターン決定テーブルの特徴としては、大当たり抽選結果がハズレの場合よりも、大当たりの場合の方が、ステップ演出の実行数が多いステップアップパターンが決定され易く、大当たり期待度が低い変動演出パターンが決定されている場合よりも、大当たり期待度が高い変動演出パターンが決定されている場合の方が、ステップ演出の実行数が多いステップアップパターンが決定され易い点が挙げられる。このようにすることで、大当たり遊技が実行されることに対する遊技者の期待感を盛り上げることができ、遊技の興趣を向上させることが可能となる。
【０４８５】
（リーチ中予告決定テーブル）
図４１（ａ）は、リーチ中予告の予告パターンを決定する場合に参照されるリーチ中予告決定テーブルを示す図である。リーチ中予告決定テーブルには、大当たり抽選結果、変動演出パターン種別、予告パターン毎の振分割合（％）、決定される予告パターンが対応付けられている。
【０４８６】
リーチ中予告の予告パターンには、リーチ中予告が実行されない「予告なし」、キャラ群予告演出が実行される「キャラ群予告演出」の２種類が設定されており、大当たり期待度は、予告なし＜キャラ群予告演出となっている。
【０４８７】
図４１（ａ）に示すリーチ中予告決定テーブルの特徴としては、大当たり抽選結果がハズレの場合よりも、大当たりの場合の方が、リーチ中予告（キャラ群予告演出）が実行され易く、且つ、大当たり期待度が低い変動演出パターンが決定されている場合よりも、大当たり期待度が高い変動演出パターンが決定されている場合の方が、リーチ中予告（キャラ群予告演出）が実行され易い点が挙げられる。このようにすることで、大当たり遊技が実行されることに対する遊技者の期待感を盛り上げることができ、遊技の興趣を向上させることが可能となる。
【０４８８】
（キャラ群パターン決定テーブル）
図４１（ｂ）は、キャラ群パターンを決定する場合に参照されるキャラ群パターン決定テーブルを示す図である。キャラ群パターン決定テーブルには、大当たり抽選結果、変動演出パターン種別、キャラ群パターン毎の振分割合（％）、決定されるキャラ群パターンが対応付けられている。
【０４８９】
キャラ群パターンには、第１キャラクタ群が表示される「第１キャラ群」、第２キャラクタ群が表示される「第２キャラ群」、第３キャラクタ群が表示される「第３キャラ群」、第４キャラクタ群が表示されると共に大当たりとなることが確定する「第４キャラ群（プレミア）」の４種類が設定されており、大当たり期待度は、第１キャラ群＜第２キャラ群＜第３キャラ群＜第４キャラ群（大当たり確定）となっている。
【０４９０】
図４１（ｂ）に示すキャラ群パターン決定テーブルの特徴としては、キャラ群予告演出が実行された時点でＳＰリーチ演出以上の変動演出パターンが実行されることが確定することが挙げられる。このようにすることで、キャラ群予告演出が実行されるか否かに対する遊技者の期待感を盛り上げることができ、遊技の興趣を向上させることが可能となる。
【０４９１】
（カウントアップ演出決定処理）
次に、図４２を用いて、演出制御部１２０ｍのカウントアップ演出決定処理を説明する。図４２は、演出制御部１２０ｍにおけるカウントアップ演出決定処理を示すフローチャートである。
【０４９２】
まず、サブＣＰＵ１２０ａは、ステップＳ１４４４−１において、決定された変動演出パターンを参照し、ステップＳ１４４４−２において、変動演出パターンの演出構成にカウントアップ演出が含まれるか否かを判定する。カウントアップ演出が含まれる場合には、ステップＳ１４４４−３に処理を移し、カウントアップ演出が含まれない場合には、今回のカウントアップ演出決定処理を終了する。
【０４９３】
サブＣＰＵ１２０ａは、ステップＳ１４４４−３において、最終カウント値決定テーブル（図４３参照）を用いて、カウントアップ演出において最終的に表示される最終カウント値を決定する。この最終カウント値決定テーブルの詳細は、図４３を用いて後述する。
【０４９４】
サブＣＰＵ１２０ａは、ステップＳ１４４４−４において、決定された最終カウント値に応じたカウントアップ演出指定コマンドをサブＲＡＭ１２０ｃの送信バッファにセットし、今回のカウントアップ演出決定処理を終了する。これにより、カウントアップ演出指定コマンドが画像制御部１５０や枠制御基板１８０に送信され、カウントアップ演出を実行するための処理が行われることになる。
【０４９５】
（最終カウント値決定テーブル）
図４３は、カウントアップ演出における最終カウント値を決定する場合に参照される最終カウント値決定テーブルを示す図である。最終カウント値決定テーブルには、大当たり抽選結果、変動演出において最終的に実行されるリーチ演出種別、最終カウント値（秒）毎の振分割合（％）、決定される最終カウント値が対応付けられている。
【０４９６】
最終カウント値には、最終的にノーマルリーチ演出が実行されることを示唆する「６秒」、最終的にノーマルリーチ演出、又は、ＳＰリーチ演出が実行されることを示唆する「９秒」、最終的にＳＰＳＰリーチ演出が実行されることを示唆する「１２秒」、最終的にＳＰＳＰリーチ演出が実行されると共に大当たりとなることを報知する「７．７秒（プレミア）」の４種類が設定されている。
【０４９７】
このように、カウントアップ演出では、最終カウント値が複数設定されているので、カウント値が最終到達点（最大値（本実施例では、１２秒））までカウントされない場合もある。
【０４９８】
図４３に示す最終カウント値決定テーブルの第１の特徴としては、最終カウント値が最大値（１２秒）である場合、大当たり期待度が高いＳＰＳＰリーチ演出が実行されることが確定することが挙げられる。このようにすることで、カウントアップ演出におけるカウント値が最大値までカウントアップ表示（加算表示）されるか否かに対する遊技者の期待感を盛り上げることができ、遊技の興趣を向上させることが可能となる。
【０４９９】
図４３に示す最終カウント値決定テーブルの第２の特徴としては、大当たり期待度が低いリーチ演出が実行される場合よりも、大当たり期待度が高いリーチ演出が実行される場合の方が、大きい最終カウント値が決定され易い点が挙げられる。このようにすることで、大当たり遊技が実行されることに対する遊技者の期待感を盛り上げることができ、遊技の興趣を向上させることが可能となる。
【０５００】
図４３に示す最終カウント値決定テーブルの第３の特徴としては、基本的には最終カウント値が最大値（１２秒）となることで、大当たり期待度が高いＳＰＳＰリーチ演出が実行されることを報知するような最終カウント値毎の振分割合（％）としているが、例外的に振分割合（％）が極端に低いプレミア要素として最大値（１２秒）よりも小さい値であって大当たりとなることが確定する「７．７秒（プレミア）」が設けられている点が挙げられる。このようにすることで、カウントアップ演出に意外性を持たせることができ、遊技の興趣を向上させることが可能となる。
【０５０１】
（カウントアップ演出の演出例）
次に、図４４を用いて、変動演出の実行中にカウントアップ演出が実行される場合の演出例について説明する。
【０５０２】
まず、図４４（ａ）に示すように、第１特別図柄保留数が「２」となっている状態で第１特別図柄の変動時間が終了すると、画像表示装置３１では演出図柄３８「１４８」が停止表示されて変動演出が終了する。また、小演出図柄４８も「１４８」で停止表示されている。
【０５０３】
そして、図４４（ｂ）に示すように、第１特別図柄の変動表示が開始されると、第１保留アイコンの１つが当該変動アイコンＴＩに変化し、演出図柄３８の変動表示が開始されて変動演出が実行される。また、小演出図柄４８の変動表示も開始される。
【０５０４】
その後、図４４（ｃ）に示すように、通常変動期間中に発生した有効期間中に演出ボタン３５が操作されると、画像表示装置３１にはキャラクタＡの期待度ＵＰセリフ（「き、兆しか？！」）が表示されてセリフ予告演出が実行される。なお、演出ボタン３５が操作されずに有効期間が終了した場合も、セリフ予告演出は実行されることになる。
【０５０５】
また、図４４（ｄ）に示すように、カウントアップ演出の導入演出が開始されると、画像表示装置３１に敵キャラクタを味方キャラクタが待ち伏せすることを示す文字（「待ち伏せ開始！」）と共に味方キャラクタ、及び、敵キャラクタが表示されるカウントアップ演出が開始される。
【０５０６】
なお、カウントアップ演出が開始されると、演出図柄３８は消去されるが、小演出図柄４８は消去されずに変動表示が継続される。
【０５０７】
そして、図４４（ｅ）に示すように、カウントアップ演出が開始されると、時間経過と共に数値のカウントアップ表示（加算表示）が行われる（ここでは、１．０５秒が経過）。
【０５０８】
その後、カウントアップ演出が終了するか否かの最初の分岐値である「６．００秒」に近づくと数値のカウントアップ表示（加算表示）が遅くなり、図４４（ｆ）（ｇ）に示すように、カウントアップ表示（加算表示）が６．００秒になると、最もカウントアップ表示（加算表示）が遅くなり（最終的には略一時停止）、数値が拡大表示され、６．０１秒となるか否か、すなわち、カウントアップ演出が終了するか否か、を煽るように表示されるカウントアップ煽り演出が実行される。このタイミングでカウントアップ演出が終了すると、ノーマルリーチ演出に発展して変動演出が終了することになる。
【０５０９】
なお、ここで、カウントアップ演出が継続する場合は、カウントアップ表示（加算表示）の数値が６．０１秒を超えるとカウントアップ表示（加算表示）の更新速度は元の速度に戻ることとなる。
【０５１０】
さらに、数値のカウントアップ表示（加算表示）が行われていき、カウントアップ演出が終了するか否かの２回目の分岐値である「９．００秒」に近づくと数値のカウントアップ表示（加算表示）が遅くなり、図４４（ｈ）（ｉ）に示すように、カウントアップ表示（加算表示）が９．００秒になると、最もカウントアップ表示（加算表示）が遅くなり（最終的には略一時停止）、数値が拡大表示され、９．０１秒となるか否か、すなわち、最初の分岐値と同様なカウントアップ煽り演出が実行される。このタイミングでカウントアップ演出が終了すると、ノーマルリーチ演出、又は、ノーマルリーチを経由して最終的にＳＰリーチ演出に発展して変動演出が終了することになる。
【０５１１】
なお、ここで、カウントアップ演出が継続する場合は、カウントアップ表示（加算表示）の数値が９．０１秒を超えるとカウントアップ表示（加算表示）の更新速度は元の速度に戻ることとなる。
【０５１２】
さらに、数値のカウントアップ表示（加算表示）が行われていき、図４４（ｊ）に示すように、カウントアップ表示（加算表示）の数値が最大値である１２．００秒になると、味方キャラクタの待ち伏せが成功し、敵キャラクタを捕まえた演出が表示されることでカウントアップ演出が終了し、ノーマルリーチを経由して最終的にＳＰＳＰリーチ演出に発展して変動演出が終了することになる。
【０５１３】
図示していないが、カウントアップ表示（加算表示）の数値が７．７０秒となったタイミングでカウントアップ演出が終了すると、ノーマルリーチを経由して最終的にＳＰＳＰリーチ演出に発展して変動演出が終了することになる。なお、「７．７０秒」の場合は、他の秒数とは異なり、「７．７０秒」に近づいても、数値のカウントアップ表示（加算表示）が遅くなることはないようになっている。
なお、このカウントアップ表示（加算表示）の数値が７．７０秒となり、カウントアップ演出が終了したタイミングで大当たりとなることを確定的に報知する確定演出を実行するようにしても良い。
【０５１４】
このように、カウント値が分岐値（６．００、９．００、１２．００）に近づくとカウントアップ表示（加算表示）が遅くなり、カウントアップ演出が終了するか否かを煽っていることで、遊技者をドキドキさせることができ、カウントアップ演出の演出効果を向上させることが可能となる。
【０５１５】
また、大当たりとなることが確定する「７．７０秒」でカウントアップ演出が終了する場合、「７．７０秒」に近づいても、数値のカウントアップ表示（加算表示）が遅くなることなく、カウントアップ表示（加算表示）が終了するので、遊技者に大きな驚きと高揚感を与えることができ、遊技の興趣を向上させることが可能となる。
【０５１６】
また、実行されるリーチの種類を予告する遊技者から注目度の高い演出であるカウントアップ演出が開始されると演出図柄３８を消去し、小演出図柄４８は、継続して表示されるようになっている。このようにすることで、より効果的にカウントアップ演出に遊技者を注目させることができると共に（カウントアップ演出を阻害することなく）、第１特別図柄（第２特別図柄）の変動表示の実行状態を遊技者が把握可能となる。
【０５１７】
なお、カウントアップ演出の実行後に必ずノーマルリーチが実行されるようになっているが、ノーマルリーチを実行せずに発展演出を実行してＳＰリーチ演出やＳＰＳＰリーチ演出に発展させるようにしてもよい。また、ノーマルリーチを実行して発展させる場合と、ノーマルリーチを実行せずに発展演出を実行して発展させる場合とを混在させるようにしてもよい。混在させるようにした場合、ノーマルリーチを実行せずに発展演出を実行して発展させる場合の方が、ノーマルリーチを実行して発展させる場合よりも大当たり期待度が高くなるようにすれば良い。
【０５１８】
また、カウントアップ演出では、カウントアップ表示（加算表示）の表示色が変化することはなかったが、カウントアップ表示（加算表示）の数値が大きくなる毎に表示色が変化するようにしても良い。例えば、６．００秒までは通常色で表示し、６．０１秒から９．００秒までは青色で表示し、９．０１秒から１２．００秒までは赤色で表示するようにすれば良い。このようにすることで、カウントアップ表示（加算表示）がどこまで進展するかわからないカウントアップ演出をカウントアップ表示（加算表示）の表示色によって効果的に盛り上げることができる。
【０５１９】
（タイマー演出決定処理）
次に、図４５を用いて、演出制御部１２０ｍのタイマー演出決定処理を説明する。図４５は、演出制御部１２０ｍにおけるタイマー演出決定処理を示すフローチャートである。
【０５２０】
まず、サブＣＰＵ１２０ａは、ステップＳ１４４５−１において、当該変動アイコンに対応するアイコンの変化シナリオを参照し、ステップＳ１４４５−２において、当該変動アイコン変化演出を実行するものであるか否かを判定する。当該アイコン変化演出を実行するものである場合には、ステップＳ１４４５−３に処理を移し、当該アイコン変化演出を実行するものでない場合には、ステップＳ１４４５−８に処理を移す。
【０５２１】
サブＣＰＵ１２０ａは、ステップＳ１４４５−３において、変化タイマー回数決定テーブル（図４６（ａ）参照）を用いて、今回の変動演出中に実行する変化タイマー演出の回数（「０回」又は「１回」）を決定する。具体的には、当該変動アイコンのアイコン最終表示態様等を照合する。この変化タイマー回数決定テーブルの詳細は、図４６（ａ）を用いて後述する。
【０５２２】
なお、変化タイマー演出とは、当該変動アイコン変化演出が実行されること、及び、当該変動アイコン変化演出が実行されるタイミングを示唆する演出となっているが、変化タイマー演出が実行された時点では変化タイマー演出であるか否かを遊技者が判別し難く、当該変動アイコンの表示態様が変化した時点で変化タイマー演出であったと判別することができるようになっている。
【０５２３】
サブＣＰＵ１２０ａは、ステップＳ１４４５−４において、決定した変化タイマー演出の回数が変化タイマー演出を実行するものであるか否かを判定する。変化タイマー演出を実行するものである（変化タイマー演出の回数が「１回」）場合には、ステップＳ１４４５−５に処理を移し、変化タイマー演出を実行するものでない（変化タイマー演出の回数が「０回」）場合には、ステップＳ１４４５−８に処理を移す。
【０５２４】
サブＣＰＵ１２０ａは、ステップＳ１４４５−５において、変化タイマー演出によって示唆する示唆イベントにアイコン変化を決定し、タイマーの種類や長さによって分類されるタイマー種別に変化タイマーを決定する。
【０５２５】
示唆イベントには、アイコン変化の他に、ノーマルリーチ、擬似連、カウントアップ演出、ゾーン演出、熱ゾーン演出、次回予告演出、ＳＰリーチ演出、ＳＰＳＰリーチ演出、全回転リーチ演出、有効期間、大当たり図柄停止等がある。
【０５２６】
タイマー種別には、変化タイマーの他に、短いタイマー時間の分類であるショートタイマー、長めのタイマー時間の分類であるミドルタイマー、長いタイマー時間の分類であるロングタイマー等がある。なお、４種類のタイマー種別によって設定されるタイマー時間は、変化タイマー＝ショートタイマー＜ミドルタイマー＜ロングタイマーとなっている。
【０５２７】
なお、変化タイマーのタイマー時間の種類は、ショートタイマーと同じであったが（５秒、６秒、及び、７秒）、ミドルタイマー、及び、ロングタイマーと同じタイマー時間の種類（１５秒、２０秒、３５秒、４０秒、４５秒、５０秒、及び、５５秒）を設けても良い。
【０５２８】
サブＣＰＵ１２０ａは、ステップＳ１４４５−６において、更新パターン決定テーブル（図４９参照）を用いて、変化タイマー演出におけるタイマーの更新パターン（演出態様）を決定する。具体的には、更新パターン決定テーブルにタイマー種別や大当たり抽選結果等を照合する。この更新パターン決定テーブルの詳細は、図４９を用いて後述する。
【０５２９】
サブＣＰＵ１２０ａは、ステップＳ１４４５−７において、示唆イベント、及び、更新パターンを示すタイマー演出指定コマンドをサブＲＡＭ１２０ｃの送信バッファにセットする。これにより、タイマー演出指定コマンドが画像制御部１５０や枠制御基板１８０に送信され、変動演出中に変化タイマー演出を実行するための処理が行われることになる。
【０５３０】
サブＣＰＵ１２０ａは、ステップＳ１４４５−８において、今回の変動演出パターンを参照し、ステップＳ１４４５−９において、ＳＰリーチ演出以上のリーチ演出（ＳＰリーチ演出、ＳＰＳＰリーチ演出、全回転リーチ演出）が実行されるか否かを判定する。ＳＰリーチ演出以上のリーチ演出が実行される場合には、ステップＳ１４４５−１０に処理を移し、ＳＰリーチ演出以上のリーチ演出が実行されない場合には、今回のタイマー演出決定処理を終了する。
【０５３１】
サブＣＰＵ１２０ａは、ステップＳ１４４５−１０において、イベントタイマー回数決定テーブル（図４６（ｂ）参照）を用いて、今回の変動演出中に実行するイベントタイマー演出の回数（「０回」〜「２回」）を決定する。具体的には、イベントタイマー回数決定テーブルに大当たり抽選結果や変動演出パターン等を照合する。このイベントタイマー回数決定テーブルの詳細は、図４６（ｂ）を用いて後述する。
【０５３２】
イベントタイマー演出とは、変動演出の実行過程で大当たり遊技が実行されることを期待させる複数のイベント（アイコン変化を除く）の何れかが発生すること、及び、イベントが発生するタイミングを示唆する演出となっているが、イベントタイマー演出が実行された時点ではイベントの種類を遊技者が判別し難く、イベントが発生した時点でイベントの種類を判別することができるようになっている。
【０５３３】
なお前述の変化タイマー演出とイベントタイマー演出とは、夫々のタイマー演出の実行中の実行態様を共通とすることから、種々のタイマー演出が実行された時点ではいずれのタイマー演出が実行されているのかを遊技者が判別し難くなっている。
【０５３４】
サブＣＰＵ１２０ａは、ステップＳ１４４５−１１において、決定したイベントタイマー演出の回数がイベントタイマー演出を実行するものであるか否かを判定する。イベントタイマー演出を実行するものである（イベントタイマー演出の回数が「１回」又は「２回」）場合には、ステップＳ１４４５−１２に処理を移し、イベントタイマー演出を実行するものでない（イベントタイマー演出の回数が「０回」）場合には、今回のタイマー演出決定処理を終了する。
【０５３５】
サブＣＰＵ１２０ａは、ステップＳ１４４５−１２において、決定したイベントタイマー演出の回数が１回であるか否かを判定する。１回である場合には、ステップＳ１４４５−１３に処理を移し、１回ではなく２回の場合には、ステップＳ１４４５−１６に処理を移す。
【０５３６】
サブＣＰＵ１２０ａは、ステップＳ１４４５−１３において、タイマー１回用の示唆イベント決定テーブル（図４７参照）を用いて、イベントタイマー演出によって示唆する示唆イベントと、タイマーの種類や長さによって分類されるタイマー種別を決定する。具体的には、タイマー１回用の示唆イベント決定テーブルに変動演出パターン等を照合する。このタイマー１回用の示唆イベント決定テーブルの詳細は、図４７を用いて後述する。
【０５３７】
サブＣＰＵ１２０ａは、ステップＳ１４４５−１４において、更新パターン決定テーブル（図４９参照）を用いて、イベントタイマー演出におけるタイマーの更新パターン（演出態様）を決定する。具体的には、更新パターン決定テーブルにタイマー種別や大当たり抽選結果等を照合する。このイベントタイマー用の更新パターン決定テーブルの詳細は、図４９を用いて後述する。
【０５３８】
サブＣＰＵ１２０ａは、ステップＳ１４４５−１５において、示唆イベント、及び、更新パターンを示すタイマー演出指定コマンドをサブＲＡＭ１２０ｃの送信バッファにセットし、今回のタイマー演出決定処理を終了する。これにより、タイマー演出指定コマンドが画像制御部１５０や枠制御基板１８０に送信され、変動演出中にイベントタイマー演出を実行するための処理が行われることになる。
【０５３９】
サブＣＰＵ１２０ａは、ステップＳ１４４５−１６において、タイマー２回用の第１示唆イベント決定テーブル（図４８（ａ）参照）を用いて、１つ目のイベントタイマー演出によって示唆する示唆イベント、及び、タイマーの種類や長さによって分類されるタイマー種別を決定する。具体的には、タイマー２回用の第１示唆イベント決定テーブルに変動演出パターン等を照合する。このタイマー２回用の第１示唆イベント決定テーブルの詳細は、図４８（ａ）を用いて後述する。
【０５４０】
サブＣＰＵ１２０ａは、ステップＳ１４４５−１７において、更新パターン決定テーブル（図４９参照）を用いて、１つ目のイベントタイマー演出におけるタイマーの更新パターン（演出態様）を決定する。具体的には、更新パターン決定テーブルにタイマー種別や大当たり抽選結果等を照合する。このイベントタイマー用の更新パターン決定テーブルの詳細は、図４９を用いて後述する。
【０５４１】
サブＣＰＵ１２０ａは、ステップＳ１４４５−１８において、示唆イベント、及び、更新パターンを示すタイマー演出指定コマンドをサブＲＡＭ１２０ｃの送信バッファにセットする。これにより、タイマー演出指定コマンドが画像制御部１５０や枠制御基板１８０に送信され、変動演出中に１つ目のイベントタイマー演出を実行するための処理が行われることになる。
【０５４２】
サブＣＰＵ１２０ａは、ステップＳ１４４５−１９において、タイマー２回用の第２示唆イベント決定テーブル（図４８（ｂ）参照）を用いて、２つ目のイベントタイマー演出によって示唆する示唆イベント、及び、タイマーの長さによって分類されるタイマー種別を決定する。具体的には、タイマー２回用の第２示唆イベント決定テーブルに変動演出パターン等を照合する。このタイマー２回用の第２示唆イベント決定テーブルの詳細は、図４８（ｂ）を用いて後述する。
【０５４３】
サブＣＰＵ１２０ａは、ステップＳ１４４５−２０において、更新パターン決定テーブル（図４９参照）を用いて、２つ目のイベントタイマー演出におけるタイマーの更新パターン（演出態様）を決定する。具体的には、更新パターン決定テーブルにタイマー種別や大当たり抽選結果等を照合する。この更新パターン決定テーブルの詳細は、図４９を用いて後述する。
【０５４４】
サブＣＰＵ１２０ａは、ステップＳ１４４５−２１において、示唆イベント、及び、更新パターンを示すタイマー演出指定コマンドをサブＲＡＭ１２０ｃの送信バッファにセットし、今回のタイマー演出決定処理を終了する。これにより、タイマー演出指定コマンドが画像制御部１５０や枠制御基板１８０に送信され、変動演出中に２つ目のイベントタイマー演出を実行するための処理が行われることになる。
【０５４５】
（変化タイマー回数決定テーブル）
図４６（ａ）は、変動演出中に実行される変化タイマー演出の回数を決定する場合に参照される変化タイマー回数決定テーブルを示す図である。変化タイマー回数決定テーブルには、アイコン最終表示態様、変化タイマー演出の回数毎の振分割合（％）、決定される変化タイマー演出の回数が対応付けられている。
【０５４６】
変化タイマー演出の回数には、変化タイマー演出が実行されないことになる「０回」、及び、変化タイマー演出が実行されることになる「１回」の２種類が設定されている。
なお、変化タイマー演出の回数は本実施形態の種類に限られず、変化タイマー演出が２回実行される場合を含めて３種類としても良いし、もっと多い回数実行可能なようにしても良い。
【０５４７】
図４６（ａ）に示す変化タイマー回数決定テーブルの特徴としては、当該変動アイコンの最終表示態様が大当たり期待度の高いものになるほど、変化タイマー演出が実行され易くなっている点が挙げられる。このようにすることで、大当たり期待度が高い当該変動アイコンに変化することを効果的に予告することができ、遊技の興趣を向上させることが可能となる。
なお、当該変動アイコンの最終表示態様が大当たり期待度の高いものになるほど、変化タイマー演出が実行され難くするようにしても良い。
【０５４８】
（イベントタイマー回数決定テーブル）
図４６（ｂ）は、変動演出中に実行されるイベントタイマー演出の回数を決定する場合に参照されるイベントタイマー回数決定テーブルを示す図である。イベントタイマー回数決定テーブルには、大当たり抽選結果、変動演出パターン、イベントタイマー演出の回数毎の振分割合（％）、決定されるイベントタイマー演出の回数が対応付けられている。
【０５４９】
イベントタイマー演出の回数には、イベントタイマー演出が実行されないことになる「０回」、イベントタイマー演出が１回実行されることになる「１回」、及び、イベントタイマー演出が２回実行されることになる「２回」の３種類が設定されている。
【０５５０】
図４６（ｂ）に示すイベントタイマー回数決定テーブルの第１の特徴としては、大当たり抽選結果がハズレの場合よりも、大当たりの場合の方が、イベントタイマー演出が実行され易く、且つ、大当たり期待度が低いリーチ演出が実行される場合よりも、大当たり期待度が高いリーチ演出が実行される場合の方が、イベントタイマー演出が実行され易い点が挙げられる。このようにすることで、大当たり遊技が実行されることに対する遊技者の期待感を盛り上げることができ、遊技の興趣を向上させることが可能となる。
【０５５１】
図４６（ｂ）に示すイベントタイマー回数決定テーブルの第２の特徴としては、大当たり抽選結果がハズレの場合よりも、大当たりの場合の方が、イベントタイマー演出の実行回数が多くなり易い点が挙げられる。このようにすることで、イベントタイマー演出の実行回数に対する遊技者の興味を引き付けることができ、遊技の興趣を向上させることが可能となる。
【０５５２】
図４６（ｂ）に示すイベントタイマー回数決定テーブルの第３の特徴としては、大当たり期待度が低いリーチ演出が実行される場合よりも、大当たり期待度が高いリーチ演出が実行される場合の方が、イベントタイマー演出の実行回数が多くなり易い点が挙げられる。このようにすることで、大当たり遊技が実行されることに対する遊技者の期待感を盛り上げることができ、遊技の興趣を向上させることが可能となる。
【０５５３】
（タイマー１回用の示唆イベント決定テーブル）
図４７は、変動演出中にイベントタイマー演出を１回実行する場合における示唆イベント、及び、タイマー種別を決定する場合に参照されるタイマー１回用の示唆イベント決定テーブルを示す図である。タイマー１回用の示唆イベント決定テーブルには、変動演出パターン、示唆イベント毎の振分割合（％）、決定される示唆イベント、タイマー種別が対応付けられている。
【０５５４】
示唆イベントには、ノーマルリーチ、擬似連、カウントアップ演出、ゾーン演出、次回予告演出、ＳＰリーチ演出、ＳＰＳＰリーチ演出、全回転リーチ演出、有効期間、大当たり図柄停止の１０種類が設定されている。
【０５５５】
また、タイマー種別には、短いタイマー時間の分類であるショートタイマー、長めのタイマー時間の分類であるミドルタイマー、長いタイマー時間の分類であるロングタイマーの３種類が設定されている。なお、３種類のタイマー種別によって設定されるタイマー時間は、ショートタイマー＜ミドルタイマー＜ロングタイマーとなっている。
【０５５６】
図４７に示すタイマー１回用の示唆イベント決定テーブルの第１の特徴としては、変動演出パターンに応じて示唆イベントの種類が異なるように設定されている点が挙げられる。このようにすることで、タイマー演出のバリエーションを増やすことができ、遊技者の飽きを防止して遊技の興趣を向上させることが可能となる。
【０５５７】
図４７に示すタイマー１回用の示唆イベント決定テーブルの第２の特徴としては、変動演出中に実行される１回のイベントタイマー演出として、変動演出の早い時期に実行されるイベント（例えば、擬似連、カウントアップ演出、ゾーン演出）の方が、変動演出の遅い時期に実行されるイベント（例えば、ＳＰリーチ演出、ＳＰＳＰリーチ演出、有効期間）よりも示唆イベントに決定され易い点が挙げられる。このようにすることで、遊技者の期待感を長時間に亘って向上させることができ、遊技の興趣を向上させることが可能となる。
【０５５８】
図４７に示すタイマー１回用の示唆イベント決定テーブルの第３の特徴としては、大当たり期待度の高い変動演出パターンほど、変動演出の早い時期に実行されるイベント（例えば、擬似連、カウントアップ演出、ゾーン演出）よりも、変動演出の遅い時期に実行されるイベント（例えば、ＳＰリーチ演出、ＳＰＳＰリーチ演出、有効期間）の方が示唆イベントに決定され易い点が挙げられる。このようにすることで、遊技者の期待感を長時間に亘って向上させることができ、遊技の興趣を向上させることが可能となる。
【０５５９】
図４７に示すタイマー１回用の示唆イベント決定テーブルの第４の特徴としては、大当たり期待度が高い変動演出パターンほど、長いタイマー時間が設定されることになるタイマー種別が決定され易い（大当たり期待度が高いほどタイマー種別としてロングタイマーが決定され易い）点が挙げられる。このようにすることで、タイマー演出におけるタイマー時間が長いほど大当たり期待度が高くなるため、タイマー時間の長短に対して遊技者が期待感を持つようになり、遊技の興趣を向上させることが可能となる。
【０５６０】
図４７に示すタイマー１回用の示唆イベント決定テーブルの第５の特徴としては、所定のイベント（例えば、ノーマルリーチ、カウントアップ演出、擬似連、ＳＰリーチ演出、ゾーン演出、ＳＰＳＰリーチ演出、次回予告演出）の発生を示唆するイベントタイマー演出が実行される場合よりも、特定のイベント（有効期間）の発生を示唆するイベントタイマー演出が実行される場合の方が、変動演出の最終局面（終盤）において演出ボタン３５が特別状態になり易い点が挙げられる。このようにすることで、何れの種類のイベントが示唆イベントであるかに対する遊技者の期待感を盛り上げることができ、遊技の興趣を向上させることが可能となる。
【０５６１】
図４７に示すタイマー１回用の示唆イベント決定テーブルの第６の特徴としては、タイマー種別としてショートタイマーが決定される場合よりも、ミドルタイマーが決定される場合の方が、変動演出の最終局面（終盤）において演出ボタン３５が特別状態（突出状態）になり易い点が挙げられる。このようにすることで、タイマー時間の長短に対する遊技者の期待感を盛り上げることができ、遊技の興趣を向上させることが可能となる。
【０５６２】
図４７に示すタイマー１回用の示唆イベント決定テーブルの第７の特徴としては、タイマー種別としてミドルタイマーが決定される場合よりも、ロングタイマーが決定される場合の方が変動演出の最終局面（終盤）において演出ボタン３５が特別状態（突出状態）になり易い点が挙げられる。このようにすることで、タイマー時間の長短に対する遊技者の期待感を盛り上げることができ、遊技の興趣を向上させることが可能となる。
【０５６３】
（タイマー２回用の示唆イベント決定テーブル）
図４８は、変動演出中にイベントタイマー演出を２回実行する場合における示唆イベント、及び、タイマー種別を決定する場合に参照されるタイマー２回用の示唆イベント決定テーブルを示す図である。タイマー２回用の示唆イベント決定テーブルには、変動演出パターン、示唆イベント毎の振分割合（％）、決定される示唆イベント、タイマー種別が対応付けられている。
【０５６４】
なお、図４８（ａ）は、１つ目の示唆イベントの種類、及び、タイマー種別の種類を決定するためのタイマー２回用の第１示唆イベント決定テーブルを示す図であり、図４８（ｂ）は、２つ目の示唆イベントの種類、及び、タイマー種別の種類を決定するためのタイマー２回用の第２示唆イベント決定テーブルを示す図である。
【０５６５】
示唆イベントには、ノーマルリーチ、１回目擬似連、２回目擬似連、カウントアップ演出、ゾーン演出、１回目熱ゾーン演出、次回予告演出、ＳＰＳＰリーチ演出、有効期間、全回転リーチ演出、大当たり図柄停止の１１種類が設定されている。
【０５６６】
また、タイマー種別には、短いタイマー時間の分類であるショートタイマー、長めのタイマー時間の分類であるミドルタイマー、長いタイマー時間の分類であるロングタイマーの３種類が設定されている。なお、３種類のタイマー種別によって設定されるタイマー時間は、ショートタイマー＜ミドルタイマー＜ロングタイマーとなっている。
【０５６７】
図４８に示すタイマー２回用の示唆イベント決定テーブルの第１の特徴としては、変動演出パターンに応じて示唆イベントの種類が異なるように設定されている点が挙げられる。このようにすることで、タイマー演出のバリエーションを増やすことができ、遊技者の飽きを防止して遊技の興趣を向上させることが可能となる。
【０５６８】
また、図４８に示すタイマー２回用の示唆イベント決定テーブルの第２の特徴としては、変動演出中に実行される２回のイベントタイマー演出として、変動演出の早い時期に実行されるイベントと、変動演出の遅い時期に実行されるイベントの両方が示唆イベントに決定され易い点が挙げられる。このようにすることで、遊技者の期待感を長時間に亘って向上させることができ、遊技の興趣を向上させることが可能となる。
【０５６９】
また、図４８に示すタイマー２回用の示唆イベント決定テーブルの第３の特徴としては、大当たり期待度が高い変動演出パターンほど、長いタイマー時間が設定されることになるタイマー種別が決定され易い（大当たり期待度が高いほどタイマー種別としてロングタイマーが決定され易い）点が挙げられる。このようにすることで、タイマー演出におけるタイマー時間が長いほど大当たり期待度が高くなるため、タイマー時間の長短に対して遊技者が期待感を持つようになり、遊技の興趣を向上させることが可能となる。
【０５７０】
また、図４８に示すタイマー２回用の示唆イベント決定テーブルの第４の特徴としては、所定のイベント（例えば、ＳＰＳＰリーチ演出）の発生を示唆するイベントタイマー演出が実行される場合よりも、特定のイベント（有効期間）の発生を示唆するイベントタイマー演出が実行される場合の方が、変動演出の最終局面（終盤）において演出ボタン３５が特別状態になり易い点が挙げられる。このようにすることで、何れの種類のイベントが示唆イベントであるかに対する遊技者の期待感を盛り上げることができ、遊技の興趣を向上させることが可能となる。
【０５７１】
また、図４８に示すタイマー２回用の示唆イベント決定テーブルの第５の特徴としては、タイマー種別としてショートタイマー、及び、ミドルタイマーが決定される場合よりも、ロングタイマーが決定される場合の方が、変動演出の最終局面（終盤）において演出ボタン３５が特別状態（突出状態）になり易い点が挙げられる。このようにすることで、タイマー時間の長短に対する遊技者の期待感を盛り上げることができ、遊技の興趣を向上させることが可能となる。
【０５７２】
（更新パターン決定テーブル）
図４９は、タイマーの更新パターン（演出態様）を決定する場合に参照される更新パターン決定テーブルを示す図である。更新パターン決定テーブルには、タイマー種別、大当たり抽選結果、更新パターン毎の振分割合（％）、決定される更新パターンが対応付けられており、参考として更新パターン毎のタイマー時間、タイマー表示態様、タイマー表示位置、タイマー演出の実行が待機していることを示す待機表示の実行可能性の有無が記載されている。
【０５７３】
「通常パターン」とは、画像表示装置３１の所定の領域に表示されたタイマーが初期の秒数から０秒となるまで１ずつ減算される通常の更新パターンである。
「特殊パターン」とは、画像表示装置３１の所定の領域に表示されたタイマーが初期の秒数から０秒となるまで１ずつ減算された後に、タイマー（秒数）の巻き戻しが発生して再び０秒となるまで１ずつ減算される特殊な更新パターンである。
【０５７４】
変化タイマーに対応する更新パターン毎の大当たり期待度は、通常パターン１＜通常パターン２＜通常パターン３となっている。
ショートタイマーに対応する更新パターン毎の大当たり期待度は、通常パターン５＜通常パターン６＜通常パターン７となっている。
ミドルタイマーに対応する更新パターン毎の大当たり期待度は、通常パターン１１＜通常パターン１２＜通常パターン１３となっている。
ロングタイマーに対応する更新パターン毎の大当たり期待度は、通常パターン２１＜通常パターン２２＜通常パターン２３＜通常パターン２４＜通常パターン２５＜特殊パターン１＜通常パターン２６＜通常パターン２７＜特殊パターン２＜通常パターン２８となっている。
【０５７５】
このように、タイマー演出では、タイマー時間（更新パターン）が複数設定されているが、タイマー演出は０秒までカウントダウンすることで、所定のイベント（アイコン変化演出、各種リーチ演出、ゾーン演出、カウントアップ演出、演出ボタン３５の有効期間、大当たり図柄の停止表示等）が発生すること、及び、所定のイベントが発生するタイミングを示唆する演出であるので、何れのタイマー時間（更新パターン）であっても、カウント値が最終到達点（本実施例では、０秒）までカウントされるようになっている。
【０５７６】
図４９に示す更新パターン決定テーブルの第１の特徴としては、何れのタイマー種別であっても、大当たり抽選結果がハズレの場合よりも、大当たりの場合の方が、長いタイマー時間となる更新パターンが決定され易い点が挙げられる。このようにすることで、タイマー演出におけるタイマー時間が長いほど大当たり期待度が高くなるため、タイマー時間の長短に対して遊技者が期待感を持つようになり、遊技の興趣を向上させることが可能となる。
【０５７７】
図４９に示す更新パターン決定テーブルの第２の特徴としては、タイマー時間が同じであっても、タイマーの表示態様（文字色）によって大当たり期待度が異なる点が挙げられる。このようにすることで、タイマーの表示態様に対する遊技者の期待感を盛り上げることができ、遊技の興趣を向上させることが可能となる。具体的には、タイマーの表示態様（文字色）に係る大当たり期待度は、白＜青＜赤＜虹（大当たり確定）となっている。
【０５７８】
図４９に示す更新パターン決定テーブルの第３の特徴としては、長いタイマー時間が決定されるタイマー種別であるほど、タイマーの表示態様（文字色）が多い点が挙げられる。このようにすることで、長いタイマー時間が決定されるタイマー種別であるほど大当たり期待度が高いことを印象付けることができ、遊技の興趣を向上させることが可能となる。
【０５７９】
なお、タイマーの表示態様として文字色を例示したが、文字色の他にフォントとしてもよいし、タイマーを装飾する装飾部としてもよいし、それらの複合であってもよい。
【０５８０】
図４９に示す更新パターン決定テーブルの第４の特徴としては、タイマーの表示態様として複数の文字色（白、青、赤、虹）が設定されているが、該文字色の種類は、アイコン最終表示態様として設定されているアイコン色の種類（白、青、緑、赤、ゼブラ、虹）の一部と同じ色が設定されている。つまり、アイコン最終表示態様として設定されているアイコン色は、タイマーの表示態様として設定されている文字色の全てを含んでいる。このようにすることで、何れの文字色のタイマーの大当たり期待度が高いのかが分かり易くなり、遊技の興趣を向上させることが可能となる。
また、色の種類が示す大当たり期待度の順列も、アイコン最終表示態様として設定されているアイコン色の種類と、タイマーの表示態様として設定されている文字色の種類とで共通している。
【０５８１】
なお、タイマーの表示態様として設定されている文字色の種類とアイコン最終表示態様として設定されているアイコン色の種類とを全く同じ種類としても良い。
【０５８２】
また、アイコン最終表示態様以外にも、表示（発光）色を用いて大当たり期待度を示唆する演出（他の演出）を設けて、タイマーの表示態様として設定されている文字色の全て、又は、一部が同じ色を設定しても良い。また、この場合も、色の種類が示す大当たり期待度の順列もタイマーの表示色と他の演出とで共通とすると良い。
ここで、他の演出とは、例えば、セリフ予告演出においてセリフの表示色を複数設けても良いし、ステップアップ予告演出においてステップが進展する度にエフェクト色や枠用照明装置３４ｂの発光色が変化していくものでも良いし、カウントアップ演出の数値の色を複数設けても良く、様々な演出が想定できる。
【０５８３】
図４９に示す更新パターン決定テーブルの第５の特徴としては、タイマーの表示位置によって大当たり期待度が異なる（画面中心に近いほど大当たり期待度が高い）点が挙げられる。このようにすることで、タイマーの表示位置に対して遊技者が興味を持つようになり、遊技の興趣を向上させることが可能となる。
【０５８４】
また、タイマーの表示位置によってタイマーの表示サイズが異なっているので、タイマーの表示サイズによって大当たり期待度が異なる（サイズが大きい方が、大当たり期待度が高い）とも言える。
【０５８５】
図４９に示す更新パターン決定テーブルの第６の特徴としては、タイマー演出の実行が待機していることを示す待機表示が行われない場合よりも、待機表示が行われてからタイマーの減算が開始される場合の方が、大当たり期待度が高くなる点が挙げられる。このようにすることで、タイマーが減算される以前においても遊技者の期待感を盛り上げることができ、遊技の興趣を向上させることが可能となる。
【０５８６】
図４９に示す更新パターン決定テーブルの第７の特徴としては、タイマー時間（トータル）が同じである場合には、通常パターンよりも特殊パターンでタイマーが更新された場合の方が、大当たり期待度が高くなる点が挙げられる。このようにすることで、特殊パターンであるか否かに対する遊技者の期待感を高めることができ、遊技の興趣を向上させることが可能となる。
【０５８７】
図４９に示す更新パターン決定テーブルの第８の特徴としては、大当たり抽選結果がハズレの場合よりも、大当たりの場合の方が特殊パターンにおける巻き戻し時間が長くなり易い（巻き戻し後のタイマー時間によって大当たり期待度が異なる）点が挙げられる。このようにすることで、巻き戻し時間に対する遊技者の期待感を高めることができ、遊技の興趣を向上させることが可能となる。
【０５８８】
図４９に示す更新パターン決定テーブルの第９の特徴としては、特殊パターンにおける初期のタイマー時間と巻き戻し後のタイマー時間とが異なる（初期のタイマー時間よりも巻き戻し後のタイマー時間が短い）点が挙げられる。このようにすることで、巻き戻しが完了するまでの遊技者の期待感を効果的に煽ることができ、遊技の興趣を向上させることが可能となる。
【０５８９】
以上のように、本実施形態では、タイマー演出によって示唆するイベントと示唆しないイベント（大当たり予告演出）が設定されている。このようにすることで、変動演出のバリエーションを増やすことができ、遊技者の飽きを防止して遊技の興趣を向上させることが可能となる。
【０５９０】
また、タイマー演出によって示唆するイベントと示唆しないイベント（大当たり予告演出）の数が異なっているともいえる。具体的には、タイマー演出によって示唆するイベントの方が、示唆しないイベント（大当たり予告演出）よりも多くなっている。なお、タイマー演出によって示唆しないイベントの方が、示唆するイベントよりも多くなっているようにしても良い。
【０５９１】
なお、本実施形態では、タイマー演出は実行されると、必ず「０秒」までカウントされるようになっていたが、「０秒」までカウントされずに途中で終了することがあるようにしても良い。このように途中で終了する場合は、何れの所定のイベントも示唆しないようにすれば良い（所謂ガセ演出）。
【０５９２】
（タイマー演出と実行時期）
次に、図５０〜図５２を用いて、タイマー演出が実行される可能性がある変動演出パターン毎のタイマー演出と、タイマー演出の実行時期について説明する。
【０５９３】
タイマー演出には、変化タイマー演出として、アイコン変化を示唆する「アイコン変化タイマー演出」があり、イベントタイマー演出として、擬似連の発生を示唆する「擬似連発生タイマー演出」、ゾーン演出の開始を示唆する「ゾーン発生タイマー演出」、熱ゾーン演出の開始を示唆する「熱ゾーン発生タイマー演出」、カウントアップ演出の開始を示唆する「カウントアップ発生タイマー演出」、次回予告演出の開始を示唆する「次回予告発生タイマー演出」、ノーマルリーチ演出の開始を示唆する「ノーマルリーチ発生タイマー演出」、ＳＰリーチ演出の開始を示唆する「ＳＰリーチ発生タイマー演出」、ＳＰＳＰリーチ演出の開始を示唆する「ＳＰＳＰリーチ発生タイマー演出」、演出ボタン３５の有効期間の発生を示唆する「有効期間発生タイマー演出」、大当たり演出図柄の停止を示唆する「大当たり図柄停止タイマー演出」がある。
【０５９４】
擬似連続予告演出が実行される変動演出パターンには、擬似連続予告が実行される前の１回目の変動期間である「擬似１変動期間」、擬似連続予告が１回実行されたことに伴う２回目の変動期間である「擬似２変動期間」、擬似連続予告が２回実行されたことに伴う３回目の変動期間である「擬似３変動期間」、擬似連続予告が３回実行されたことに伴う４回目の変動期間である「擬似４変動期間」の少なくとも４つの期間がある。
【０５９５】
図５０（ａ）に示すように、変動演出パターン１０、又は、３３（ボタン非突）の場合には、アイコン変化タイマー演出、擬似連発生タイマー演出、ＳＰリーチ発生タイマー演出の３つが実行される可能性がある。ただし、同時期に（並行して）実行されるタイマー演出は２つまでとなっている。
【０５９６】
この場合、アイコン変化タイマー演出は、Ｔ１〜Ｔ４の間に開始されてＴ４までに終了する。また、擬似連発生タイマー演出は、Ｔ１〜Ｔ２の間に開始されてＴ２で終了する。また、ＳＰリーチ発生タイマー演出は、Ｔ２〜Ｔ４の間に開始されてＴ４で終了する。
【０５９７】
また、演出図柄３８の表示は、Ｔ０〜Ｔ７の間表示され、小演出図柄４８の表示は、Ｔ０〜Ｔ７の間表示される。
なお、演出図柄３８は、Ｔ３からリーチ状態で表示されるが、小演出図柄４８は、Ｔ３以降もリーチ状態とならずに表示される。
【０５９８】
図５０（ｂ）に示すように、変動演出パターン１１、又は、３４（ボタン非突）の場合には、アイコン変化タイマー演出、ゾーン発生タイマー演出、ＳＰリーチ発生タイマー演出の３つが実行される可能性がある。ただし、同時期に（並行して）実行されるタイマー演出は２つまでとなっている。
【０５９９】
この場合、アイコン変化タイマー演出は、Ｔ１〜Ｔ４の間に開始されてＴ４までに終了する。また、ゾーン発生タイマー演出は、Ｔ１〜Ｔ２の間に開始されてＴ２で終了する。また、ＳＰリーチ発生タイマー演出は、Ｔ２〜Ｔ４の間に待機表示から、又は、待機表示を経ずに開始されてＴ４で終了する。
【０６００】
また、演出図柄３８の表示は、Ｔ０〜Ｔ７の間表示され、小演出図柄４８の表示は、Ｔ０〜Ｔ７の間表示される。
なお、演出図柄３８は、Ｔ３からリーチ状態で表示されるが、小演出図柄４８は、Ｔ３以降もリーチ状態とならずに表示される。
【０６０１】
図５０（ｃ）に示すように、変動演出パターン１２、又は、３５（ボタン非突）の場合には、アイコン変化タイマー演出、カウントアップ発生タイマー演出、有効期間発生タイマー演出の３つが実行される可能性がある。ただし、同時期に（並行して）実行されるタイマー演出は２つまでとなっている。
【０６０２】
この場合、アイコン変化タイマー演出は、Ｔ１〜Ｔ４の間に開始されてＴ４までに終了する。また、カウントアップ発生タイマー演出は、Ｔ１〜Ｔ２の間に開始されてＴ２で終了する。また、有効期間発生タイマー演出は、Ｔ３〜Ｔ５の間に待機表示から、又は、待機表示を経ずに開始されてＴ５のタイミングまでに終了する。
【０６０３】
また、演出図柄３８の表示は、Ｔ０〜Ｔ２、及び、Ｔ３〜Ｔ７の間表示され、小演出図柄４８の表示は、Ｔ０〜Ｔ７の間表示される。
なお、演出図柄３８は、Ｔ３からリーチ状態で表示されるが、小演出図柄４８は、Ｔ３以降もリーチ状態とならずに表示される。
【０６０４】
また、カウントアップ演出期間の開始時に何れのタイマー演出も開始することはなく、カウントアップ演出期間の終了時に何れのタイマー演出も終了することがないようになっている。
【０６０５】
図５０（ｄ）に示すように、変動演出パターン１３、又は、３６（ボタン非突）の場合には、アイコン変化タイマー演出、ゾーン発生タイマー演出、有効期間発生タイマー演出の２つが実行される可能性がある。ただし、同時期に（並行して）実行されるタイマー演出は２つまでとなっている。
【０６０６】
この場合、アイコン変化タイマー演出は、Ｔ１〜Ｔ５の間に開始されてＴ５までに終了する。また、ゾーン発生タイマー演出は、Ｔ１〜Ｔ３の間に開始されてＴ３で終了する。また、有効期間発生タイマー演出は、Ｔ４〜Ｔ６の間に開始されて待機表示から、又は、待機表示を経ずに開始されてＴ６で終了する。
【０６０７】
また、演出図柄３８の表示は、Ｔ０〜Ｔ７の間表示され、小演出図柄４８の表示は、Ｔ０〜Ｔ７の間表示される。
なお、演出図柄３８は、Ｔ４からリーチ状態で表示されるが、小演出図柄４８は、Ｔ４以降もリーチ状態とならずに表示される。
【０６０８】
図５０（ｅ）に示すように、変動演出パターン１４、又は、３７（ボタン非突）の場合には、アイコン変化タイマー演出、カウントアップ発生タイマー演出、有効期間発生タイマー演出の３つが実行される可能性がある。ただし、同時期に（並行して）実行されるタイマー演出は２つまでとなっている。
【０６０９】
この場合、アイコン変化タイマー演出は、Ｔ１〜Ｔ５の間に開始されてＴ５までに終了する。また、カウントアップ発生タイマー演出は、Ｔ１〜Ｔ３の間に開始されてＴ３で終了する。また、有効期間発生タイマー演出は、Ｔ４〜Ｔ６の間に開始されてＴ６で終了する。
【０６１０】
また、演出図柄３８の表示は、Ｔ０〜Ｔ３、及び、Ｔ４〜Ｔ８の間表示され、小演出図柄４８の表示は、Ｔ０〜Ｔ８の間表示される。
なお、演出図柄３８は、Ｔ４からリーチ状態で表示されるが、小演出図柄４８は、Ｔ４以降もリーチ状態とならずに表示される。
【０６１１】
また、カウントアップ演出期間の開始時に何れのタイマー演出も開始することはなく、カウントアップ演出期間の終了時に何れのタイマー演出も終了することがないようになっている。
【０６１２】
図５１（ａ）に示すように、変動演出パターン１６、又は、３９（ボタン非突）の場合には、アイコン変化タイマー演出、ノーマルリーチ発生タイマー演出、ＳＰＳＰリーチ発生タイマー演出、有効期間発生タイマー演出の４つが実行される可能性がある。ただし、同時期に（並行して）実行されるタイマー演出は２つまでとなっている。
【０６１３】
この場合、アイコン変化タイマー演出は、Ｔ１〜Ｔ４の間に開始されてＴ４までに終了する。また、ノーマルリーチ発生タイマー演出は、Ｔ１〜Ｔ３の間に待機表示から、又は、待機表示を経ずに開始されてＴ３で終了する。また、ＳＰＳＰリーチ発生タイマー演出は、Ｔ３〜Ｔ４の間に開始されてＴ４で終了する。また、有効期間発生タイマー演出は、Ｔ３〜Ｔ５の間に待機表示から、又は、待機表示を経ずに開始されてＴ５で終了する。
【０６１４】
また、演出図柄３８の表示は、Ｔ０〜Ｔ４、及び、Ｔ６〜Ｔ７の間表示され、小演出図柄４８の表示は、Ｔ０〜Ｔ７の間表示される。
なお、演出図柄３８は、Ｔ３〜Ｔ４の間リーチ状態で表示されるが、小演出図柄４８は、Ｔ３〜Ｔ４の間はリーチ状態とならずに表示され、演出図柄３８が表示されないＴ４〜Ｔ６の間はリーチ状態で表示される。
【０６１５】
図５１（ｂ）に示すように、変動演出パターン１７、又は、４０（ボタン非突）の場合には、アイコン変化タイマー演出、カウントアップ発生タイマー演出、ＳＰＳＰリーチ発生タイマー演出、有効期間発生タイマー演出の４つが実行される可能性がある。ただし、同時期に（並行して）実行されるタイマー演出は２つまでとなっている。
【０６１６】
この場合、アイコン変化タイマー演出は、Ｔ１〜Ｔ４の間に開始されてＴ４までに終了する。また、カウントアップ発生タイマー演出は、Ｔ１〜Ｔ２の間に開始されてＴ２で終了する。また、ＳＰＳＰリーチ発生タイマー演出は、Ｔ３〜Ｔ４の間に開始されてＴ４で終了する。また、有効期間発生タイマー演出は、Ｔ３〜Ｔ５の間に待機表示から、又は、待機表示を経ずに開始されてＴ５で終了する。
【０６１７】
また、演出図柄３８の表示は、Ｔ０〜Ｔ２、Ｔ３〜Ｔ４、及び、Ｔ６〜Ｔ７の間表示され、小演出図柄４８の表示は、Ｔ０〜Ｔ７の間表示される。
なお、演出図柄３８は、Ｔ３〜Ｔ４の間リーチ状態で表示されるが、小演出図柄４８は、Ｔ３〜Ｔ４の間はリーチ状態とならずに表示され、演出図柄３８が表示されないＴ４〜Ｔ６の間はリーチ状態で表示される。
【０６１８】
また、カウントアップ演出期間の開始時に何れのタイマー演出も開始することはなく、カウントアップ演出期間の終了時に何れのタイマー演出も終了することがないようになっている。
【０６１９】
図５１（ｃ）に示すように、変動演出パターン１８、又は、４１（ボタン非突）の場合には、アイコン変化タイマー演出、ゾーン発生タイマー演出、ＳＰＳＰリーチ発生タイマー演出、有効期間発生タイマー演出の４つが実行される可能性がある。ただし、同時期に（並行して）実行されるタイマー演出は２つまでとなっている。
【０６２０】
この場合、アイコン変化タイマー演出は、Ｔ１〜Ｔ４の間に開始されてＴ４までに終了する。また、ゾーン発生タイマー演出は、Ｔ１〜Ｔ２の間に開始されてＴ２で終了する。また、ＳＰＳＰリーチ発生タイマー演出は、Ｔ２〜Ｔ４の間に待機表示から、又は、待機表示を経ずに開始されてＴ４で終了する。また、有効期間発生タイマー演出は、Ｔ３〜Ｔ５の間に待機表示から、又は、待機表示を経ずに開始されてＴ５で終了する。
【０６２１】
また、演出図柄３８の表示は、Ｔ０〜Ｔ４、及び、Ｔ６〜Ｔ７の間表示され、小演出図柄４８の表示は、Ｔ０〜Ｔ７の間表示される。
なお、演出図柄３８は、Ｔ３〜Ｔ４の間リーチ状態で表示されるが、小演出図柄４８は、Ｔ３〜Ｔ４の間はリーチ状態とならずに表示され、演出図柄３８が表示されないＴ４〜Ｔ６の間はリーチ状態で表示される。
【０６２２】
図５１（ｄ）に示すように、変動演出パターン１９、又は、４２（ボタン突）の場合には、アイコン変化タイマー演出、カウントアップ発生タイマー演出、ＳＰＳＰリーチ発生タイマー演出、有効期間発生タイマー演出の４つが実行される可能性がある。ただし、同時期に（並行して）実行されるタイマー演出は２つまでとなっている。
【０６２３】
この場合、アイコン変化タイマー演出は、Ｔ１〜Ｔ４の間に開始されてＴ４までに終了する。また、カウントアップ発生タイマー演出は、Ｔ１〜Ｔ２の間に開始されてＴ２で終了する。また、ＳＰＳＰリーチ発生タイマー演出は、Ｔ３〜Ｔ４の間に開始されてＴ４で終了する。また、有効期間発生タイマー演出は、Ｔ３〜Ｔ５の間に待機表示から、又は、待機表示を経ずに開始されてＴ５で終了する。
【０６２４】
また、演出図柄３８の表示は、Ｔ０〜Ｔ２、Ｔ３〜Ｔ４、及び、Ｔ６〜Ｔ７の間表示され、小演出図柄４８の表示は、Ｔ０〜Ｔ７の間表示される。
なお、演出図柄３８は、Ｔ３〜Ｔ４の間リーチ状態で表示されるが、小演出図柄４８は、Ｔ３〜Ｔ４の間はリーチ状態とならずに表示され、演出図柄３８が表示されないＴ４〜Ｔ６の間はリーチ状態で表示される。
【０６２５】
また、カウントアップ演出期間の開始時に何れのタイマー演出も開始することはなく、カウントアップ演出期間の終了時に何れのタイマー演出も終了することがないようになっている。
【０６２６】
図５２（ａ）に示すように、変動演出パターン２０、又は、４３（ボタン非突）の場合には、アイコン変化タイマー演出、擬似連発生タイマー演出、ゾーン発生タイマー演出、ＳＰＳＰリーチ発生タイマー演出、有効期間発生タイマー演出の５つが実行される可能性がある。ただし、同時期に（並行して）実行されるタイマー演出は２つまでとなっている。
【０６２７】
この場合、アイコン変化タイマー演出は、Ｔ１〜Ｔ５の間に開始されてＴ５までに終了する。また、擬似連発生タイマー演出は、Ｔ１〜Ｔ２の間に開始されてＴ２で終了する。ゾーン発生タイマー演出は、Ｔ１〜Ｔ３の間に待機表示から、又は、待機表示を経ずに開始されてＴ３で終了する。また、ＳＰＳＰリーチ発生タイマー演出は、Ｔ３〜Ｔ５の間に待機表示から、又は、待機表示を経ずに開始されてＴ５で終了する。有効期間発生タイマー演出は、Ｔ４〜Ｔ６の間に待機表示から、又は、待機表示を経ずに開始されてＴ６で終了する。
【０６２８】
また、演出図柄３８の表示は、Ｔ０〜Ｔ５、及び、Ｔ７〜Ｔ８の間表示され、小演出図柄４８の表示は、Ｔ０〜Ｔ８の間表示される。
なお、演出図柄３８は、Ｔ４〜Ｔ５の間リーチ状態で表示されるが、小演出図柄４８は、Ｔ４〜Ｔ５の間はリーチ状態とならずに表示され、演出図柄３８が表示されないＴ５〜Ｔ７の間はリーチ状態で表示される。
【０６２９】
図５２（ｂ）に示すように、変動演出パターン２１、又は、４４（ボタン非突）の場合には、アイコン変化タイマー演出、擬似連発生タイマー演出、ゾーン発生タイマー演出、ＳＰＳＰリーチ発生タイマー演出、有効期間発生タイマー演出の５つが実行される可能性がある。ただし、同時期に（並行して）実行されるタイマー演出は２つまでとなっている。
【０６３０】
この場合、アイコン変化タイマー演出は、Ｔ１〜Ｔ５の間に開始されてＴ５までに終了する。また、擬似連発生タイマー演出は、Ｔ１〜Ｔ２の間に開始されてＴ２で終了する。また、ゾーン発生タイマー演出は、Ｔ１〜Ｔ３の間に開始されてＴ３で終了する。また、ＳＰＳＰリーチ発生タイマー演出は、Ｔ３〜Ｔ６の間に待機表示から、又は、待機表示を経ずに開始されてＴ６で終了する。また、有効期間発生タイマー演出は、Ｔ４〜Ｔ７の間に待機表示から、又は、待機表示を経ずに開始されてＴ７で終了する。
【０６３１】
また、演出図柄３８の表示は、Ｔ０〜Ｔ５、及び、Ｔ８〜Ｔ９の間表示され、小演出図柄４８の表示は、Ｔ０〜Ｔ９の間表示される。
なお、演出図柄３８は、Ｔ４〜Ｔ５の間リーチ状態で表示されるが、小演出図柄４８は、Ｔ４〜Ｔ５の間はリーチ状態とならずに表示され、演出図柄３８が表示されないＴ５〜Ｔ８の間はリーチ状態で表示される。
【０６３２】
図５２（ｃ）に示すように、変動演出パターン２２、又は、４５（ボタン突）の場合には、アイコン変化タイマー演出、熱ゾーン発生タイマー演出、次回予告発生タイマー演出、ＳＰＳＰリーチ発生タイマー演出、有効期間発生タイマー演出の５つが実行される可能性がある。ただし、同時期に（並行して）実行されるタイマー演出は２つまでとなっている。
【０６３３】
この場合、アイコン変化タイマー演出は、Ｔ１〜Ｔ５の間に開始されてＴ５までに終了する。また、熱ゾーン発生タイマー演出は、Ｔ１〜Ｔ３の間に待機表示から、又は、待機表示を経ずに開始されてＴ３で終了する。次回予告発生タイマー演出は、Ｔ２〜Ｔ５の間に待機表示から、又は、待機表示を経ずに開始されてＴ５で終了する。ＳＰＳＰリーチ発生タイマー演出は、Ｔ３〜Ｔ６の間に待機表示から、又は、待機表示を経ずに開始されてＴ６で終了する。有効期間発生タイマー演出は、Ｔ４〜Ｔ７の間に待機表示から、又は、待機表示を経ずに開始されてＴ７で終了する。
【０６３４】
また、演出図柄３８の表示は、Ｔ０〜Ｔ５、及び、Ｔ８〜Ｔ９の間表示され、小演出図柄４８の表示は、Ｔ０〜Ｔ９の間表示される。
なお、演出図柄３８は、Ｔ４〜Ｔ５の間リーチ状態で表示されるが、小演出図柄４８は、Ｔ４〜Ｔ５の間はリーチ状態とならずに表示され、演出図柄３８が表示されないＴ５〜Ｔ８の間はリーチ状態で表示される。
【０６３５】
図５２（ｄ）に示すように、変動演出パターン４６（ボタン非突）は、アイコン変化タイマー演出、熱ゾーン発生タイマー演出、次回予告発生タイマー演出、ＳＰＳＰリーチ発生タイマー演出、大当たり図柄停止タイマー演出の５つが実行される可能性がある。ただし、同時期に（並行して）実行されるタイマー演出は３つまでとなっている。
【０６３６】
この場合に、アイコン変化タイマー演出は、Ｔ１〜Ｔ６の間に開始されてＴ６までに終了する。熱ゾーン発生タイマー演出は、Ｔ１〜Ｔ３の間に待機表示、又は、待機表示を経ずに開始されてＴ３で終了する。次回予告発生タイマー演出は、Ｔ２〜Ｔ６の間に待機表示から、又は、待機表示を経ずに開始されてＴ６で終了する。ＳＰＳＰリーチ発生タイマー演出は、Ｔ３〜Ｔ７の間に待機表示、又は、待機表示を経ずに開始されてＴ７で終了する。大当たり図柄停止タイマー演出は、Ｔ５〜Ｔ８の間に待機表示、又は、待機表示を経ずに開始されてＴ８で終了する。
【０６３７】
また、演出図柄３８の表示は、Ｔ０〜Ｔ６、及び、Ｔ８〜Ｔ９の間表示され、小演出図柄４８の表示は、Ｔ０〜Ｔ９の間表示される。
なお、演出図柄３８は、Ｔ５〜Ｔ６の間リーチ状態で表示されるが、小演出図柄４８は、Ｔ５〜Ｔ６の間はリーチ状態とならずに表示され、演出図柄３８が表示されないＴ６〜Ｔ８の間はリーチ状態で表示される。
【０６３８】
このように、実行時期が重複するタイマー演出が多数あったとしても、同時期に（並行して）実行されるタイマー演出の数を制限（最大で３つ）している。このようにすることで、遊技者の視線が乱れ過ぎてしまって遊技に集中できなくなるといった不都合を回避することができ、遊技の興趣を向上させることが可能となる。
【０６３９】
また、変動演出パターン毎に同時期に実行されるタイマー演出の制限数が異なる（大当たり期待度が低い変動演出パターンよりも、大当たり期待度が高い変動演出パターンの方が同時期に実行されるタイマー演出の数が多い）ようにしている。このようにすることで、同時期に実行されるタイマー演出の数によって遊技者が大当たり期待度を推測できるようになり、遊技の興趣を向上させることが可能となる。
【０６４０】
また、変動演出の最終局面（終盤）において実行される操作促進演出、及び、当落報知演出においては、カウントアップ演出、及び、タイマー演出は実行されないようにしている。このようにすることで、遊技者にとって最も興味がある演出の一つである当落報知演出を妨げることがなくなり、遊技の興趣を向上させることが可能となる。
【０６４１】
また、カウントアップ演出とタイマー演出との実行時期が重複する場合があるようになっているが、同時に開始すること、且つ、同時に終了することがないようにしている。このようにすることで、種類の異なる数値を更新表示する演出（カウントアップ演出、タイマー演出）を同時に行ったとしても、遊技者の視線が乱れ過ぎてしまって遊技に集中できなくなるといった不都合を回避することができ、遊技の興趣を向上させることが可能となる。
【０６４２】
また、カウントアップ演出とタイマー演出とは、同時に開始すること、且つ、同時に終了することはないが、一方が終了すると共に他方が開始することはあるようにしている。このようにすることで、長期間に亘って、期待感を煽ることができ、遊技の興趣を向上させることが可能となる。
【０６４３】
また、タイマー演出は、複数のタイマー演出が同時期に実行する場合があるのに対し、カウントアップ演出は、複数のカウントアップ演出が同時期に実行する場合が無いようになっている。このようにすることで、数値をカウントする点では共通する演出であっても、同時期に実行され得るか否かの点で違いがあるので、演出のバリエーションを増やすことができ、遊技者の飽きを防止して遊技の興趣を向上させることが可能となる。
【０６４４】
また、遊技者から注目度の高い演出（例えば、カウントアップ演出、次回予告演出、ＳＰＳＰリーチ演出、全回転リーチ等）が実行されている間、演出図柄３８は、消去され、小演出図柄４８は、継続して表示されるようになっている。このようにすることで、より効果的に、遊技者から注目度の高い演出に注目させることができると共に（遊技者から注目度の高い演出を阻害することなく）、第１特別図柄（第２特別図柄）の変動表示の実行状態を遊技者が把握可能となる。
【０６４５】
なお、カウントアップ演出はリーチ演出が行われる前に実行される演出であり、リーチ演出が行われた後では実行されることがない演出であるので、リーチ演出（ノーマルリーチ、ＳＰリーチ、ＳＰＳＰリーチ）が行われる前の期間では、カウントアップ演出とタイマー演出との実行時期が重複する場合があるが、リーチ演出（ノーマルリーチ、ＳＰリーチ、ＳＰＳＰリーチ）が行われた後の期間では、カウントアップ演出とタイマー演出との実行時期が重複する場合がないと言える。
【０６４６】
なお、カウントアップ演出はリーチ演出が行われる前に実行されるようにしていたが、カウントアップ演出が示唆する対象の演出が実行される直前まで実行可能としても良い。例えば、カウントアップ演出がＳＰＳＰリーチの実行を示唆する場合、ノーマルリーチ中やＳＰリーチ中など、ＳＰＳＰリーチへ発展する前段階のリーチ演出中に実行するようにしても良い。
【０６４７】
また、アイコン変化タイマー演出の実行期間はノーマルリーチ演出期間の終了までとしていたが、リーチ成立までの期間でも良いし、ＳＰリーチの終了まででも良いし、ＳＰＳＰリーチの終了まででも良い。
【０６４８】
（タイマー演出の演出例）
次に、図５３、及び、図５４を用いて、変動演出中に３つのタイマー演出が実行される場合の演出例について説明する。ここでは、通常遊技状態において、変動演出パターン４５、アイコン変化タイマー演出（通常タイマー１）、熱ゾーン発生タイマー演出（通常パターン１１）、ＳＰＳＰリーチ発生タイマー演出（通常パターン１３）の実行が決定されたものとする。
【０６４９】
まず、図５３（ａ）に示すように、第１特別図柄保留数が「２」となっている状態で第１特別図柄の変動時間が終了すると、画像表示装置３１では演出図柄３８「２３４」が停止表示されて変動演出が終了する。また、小演出図柄４８も「２３４」で停止表示されている。
【０６５０】
そして、図５３（ｂ）に示すように、第１特別図柄の変動表示が開始されると、第１保留アイコンの１つが当該変動アイコンＴＩに変化し、演出図柄３８の変動表示が開始されて変動演出が実行される。その後、アイコン変化タイマー演出が開始されると、当該変動アイコン表示領域３１ｃの近傍に通常表示である「あと５秒」の白文字タイマーＨＴＷが表示されてタイマー時間の減算が開始される。また、小演出図柄４８の変動表示も開始される。
【０６５１】
次に、アイコン変化タイマー演出の白文字タイマーＨＴＷが「あと０秒」になった後（図５３（ｃ）参照）、「アイコン変化」との文字が表示されると、当該変動アイコンが白アイコンから青アイコンに変化して当該変動アイコン変化演出が行われる（図５３（ｄ）参照）。このタイミングで熱ゾーン発生タイマー演出が開始されると、画像表示装置３１に通常表示である「あと１５秒」の白文字タイマーＺＴＷが表示されて、タイマー時間の減算が開始される。
【０６５２】
そして、図５３（ｅ）に示すように、左右の演出図柄としてバラケ目が仮停止した状態で、中の演出図柄として擬似連続予告の発生を示唆する擬似連図柄が仮停止すると、擬似１変動期間が終了する。このとき、白文字タイマーＺＴＷは、減算中のタイマー時間である「あと１２秒」となる。
【０６５３】
その後、図５３（ｆ）に示すように、擬似連の発生によって演出図柄が再変動を開始すると、ゾーン演出が開始されてゾーンテロップが表示される。このとき、白文字タイマーＺＴＷは、減算中のタイマー時間である「あと１０秒」となる。
【０６５４】
次に、図５３（ｇ）に示すように、左右の演出図柄としてバラケ目が仮停止した状態で、中の演出図柄として擬似連続予告の発生を示唆する擬似連図柄が仮停止すると、擬似２変動期間が終了する。このとき、白文字タイマーＺＴＷは、減算中のタイマー時間である「あと１秒」となる。
【０６５５】
そして、擬似連の発生によって演出図柄が再変動を開始して、白文字タイマーＺＴＷが「あと０秒」になった後（図５３（ｈ）参照）、「熱ゾーン突入」との文字が表示されると、熱ゾーン演出が開始されて熱ゾーンテロップが表示される（図５４（ａ）参照）。このタイミングでＳＰＳＰリーチ発生タイマー演出が開始されると、画像表示装置３１に待機表示である「あとＸＸ秒」の青文字タイマーＳＴＢが白文字タイマーＺＴＷの直上に表示される。
【０６５６】
なお、青文字タイマーＳＴＢは、他のタイマー（ここでは、白文字タイマーＺＴＷ）が表示されていない場合には、第１保留アイコン表示領域３１ａの直上に表示されるが、他のタイマーが表示されているときは、他のタイマーの直上に表示されると共に、他のタイマーが消去されると第１保留アイコン表示領域３１ａの直上に移動することになる。
【０６５７】
その後、図５４（ｂ）に示すように、左右の演出図柄として同一の「３」が仮停止してリーチ状態を形成するとノーマルリーチ演出が開始される。このとき、当該変動アイコンが青アイコンから緑アイコンに変化して当該変動アイコン変化演出が行われ、青文字タイマーＳＴＢは、通常表示である「あと２０秒」となってタイマー時間の減算が開始される。なお、このとき、小演出図柄４８は、リーチ状態とならずに表示される。
【０６５８】
次に、図５４（ｃ）に示すように、次回予告演出が開始されると、画像表示装置３１に「次回予告  ＳＰＳＰリーチ！」の文字が表示される。そして、リーチ状態を形成している演出図柄３８は、消去され、小演出図柄４８は、リーチ状態となり、第１保留アイコン表示領域３１ａに表示されていた第１保留アイコンが消去される。このとき、青文字タイマーＳＴＢは、減算中のタイマー時間である「あと１０秒」となる。
【０６５９】
そして、青文字タイマーＳＴＢが「あと０秒」になった後（図５４（ｄ）参照）、「ＳＰＳＰリーチ！」との文字が表示され、ＳＰＳＰリーチ演出が開始される（図５４（ｅ）参照）。このとき、演出図柄３８は、消去されたままであり、小演出図柄４８は、リーチ状態のまま表示される。
【０６６０】
次に、図５５、及び、図５６を用いて、変動演出中に２つのタイマー演出が実行される場合の演出例について説明する。ここでは、通常遊技状態において、変動演出パターン４５、次回予告発生タイマー演出（通常パターン２１）、有効期間発生タイマー演出（特殊パターン２）の実行が決定されたものとする。
【０６６１】
まず、図５５（ａ）に示すように、ゾーンテロップが表示されてゾーン演出が実行されているときに、左右の演出図柄としてバラケ目が仮停止した状態で、中の演出図柄として擬似連続予告の発生を示唆する擬似連図柄が仮停止すると、擬似２変動期間が終了する。
【０６６２】
次に、図５５（ｂ）に示すように、擬似連の発生によって演出図柄が再変動を開始する。このとき、有効期間発生タイマー演出が開始されると、画像表示装置３１に通常表示である「あと３５秒」の白文字タイマーＹＴＷが表示されて、タイマー時間の減算が開始される。
【０６６３】
そして、図５５（ｃ）に示すように、左右の演出図柄として同一の「３」が仮停止してリーチ状態を形成するとノーマルリーチ演出が開始される。このとき、白文字タイマーＹＴＷは、減算中のタイマー時間である「あと１０秒」となる。さらに、有効期間発生タイマー演出が開始され、画像表示装置３１に待機表示である「あとＸＸ秒」の赤文字タイマーＵＴＲが画面上部に表示される。なお、このとき、小演出図柄４８は、リーチ状態とならずに表示される。
【０６６４】
その後、白文字タイマーＹＴＷが「あと０秒」になった後（図５５（ｄ）参照）、「次回予告」との文字が表示されると、次回予告演出が開始され、画像表示装置３１に「次回予告ＳＰＳＰリーチ！」の文字が表示される（図５５（ｅ）参照）。そして、リーチ状態を形成している演出図柄３８は、消去され、小演出図柄４８は、リーチ状態となり、第１保留アイコン表示領域３１ａに表示されていた第１保留アイコンが消去される。このとき、赤文字タイマーＵＴＲは、通常表示である「あと３５秒」となってタイマー時間の減算が開始される。
【０６６５】
次に、図５５（ｆ）に示すように、ＳＰＳＰリーチ演出が開始されると、赤文字タイマーＵＴＲは、減算中のタイマー時間である「あと２５秒」となる。このとき、演出図柄３８は、消去されたままであり、小演出図柄４８は、リーチ状態のまま表示される。
【０６６６】
そして、図５５（ｇ）に示すように、赤文字タイマーＵＴＲが「あと０秒」になると、タイマーの巻き戻しが開始されて、タイマーの秒数が増加する。
【０６６７】
その後、図５５（ｈ）に示すように、タイマーの巻き戻しが完了すると、赤文字タイマーＵＴＲは、通常表示である「あと１５秒」となってタイマー時間の減算が再開される。
【０６６８】
次に、赤文字タイマーＵＴＲが「あと０秒」になった後（図５６（ａ）参照）、「突出」との文字が表示されると、演出ボタン３５が特別状態（突出状態）に変化すると共に有効期間が発生して、画像表示装置３１には、演出ボタン３５の操作の有効期間を示すゲージ画像と演出ボタン３５の操作を促す促進画像ＳＧ（特別状態となった演出ボタン３５を模した画像）が表示される（図５６（ｂ）参照）。
【０６６９】
そして、図５６（ｃ）に示すように、演出ボタン３５が操作されるか有効期間が経過すると、第１装飾部材３３ａが待機位置から演出位置である画面中央まで移動し、画像表示装置３１には、第１装飾部材３３ａを中心とする発光エフェクトＥＦが表示される（当落報知演出）。
【０６７０】
このように、演出ボタン３５の操作の有効期間が「０」になると、演出ボタン３５が操作されなくても当落報知演出が開始されることから、該演出も一種のタイマー演出と言える。
【０６７１】
その後、図５６（ｄ）に示すように、第１装飾部材３３ａが演出位置から待機位置まで復帰し、演出図柄３８「３３３」が停止表示されて変動演出が終了する。また、小演出図柄４８も「３３３」で停止表示される。
【０６７２】
このように、アイコン変化タイマー演出におけるタイマーを当該変動アイコン表示領域３１ｃの近傍に表示しているので、アイコン変化タイマー演出を見ている遊技者が視線をほとんど動かさずに当該変動アイコン変化演出を視認可能となるため、当該変動アイコン変化演出を見逃しにくくなり、遊技の興趣を向上させることが可能となる。
【０６７３】
また、タイマー演出では、タイマーの数値が「あと０秒」になった後に、その後実行されるイベントを示す文字（例えば、「次回予告」との文字等）を表示してから、該イベントが開始されるので、タイマー演出が示唆する所定のイベントが如何なるイベントなのかが分かり易くなるため、遊技の興趣を向上させることが可能となる。
【０６７４】
なお、タイマー演出では、タイマーの数値が「あと０秒」になった後に、表示させるのは、その後実行されるイベントを示す文字ではなく、タイマーの数値が「あと０秒」になったことを報知する表示としても良い。例えば、タイマーの数値が「あと０秒」になった後に、「準備完了」や「ＧＯ！！」などを表示するようにすれば良いし、「あと０秒」に特殊なエフェクトが表示されるものでも良い（例えば、「あと０秒」が燃えているようなエフェクト）。このようにすることで、タイマーの数値が「あと０秒」になった後に実行されるイベントを見逃しにくくなり、遊技の興趣を向上させることが可能となる。
【０６７５】
また、本実施形態のようなタイマーの数値が「あと０秒」になった後に、イベントを示す文字を表示するパターンと、タイマーの数値が「あと０秒」になった後に、タイマーの数値が「あと０秒」になったことを報知する表示を行うパターンとを混在させるようにし、イベントの種類によって、何れかのパターンを行なうようにしても良い。このようにする場合、例えば、タイマー演出の示唆するイベントが確定演出であるときは、タイマーの数値が「あと０秒」になった後に、タイマーの数値が「あと０秒」になったことを報知する表示を行うパターンとする方が良い。このようにすることで、確定演出を行う前に大当たりが確定していることが遊技者に知られてしまうことを防ぐことができ、確定演出を効果的に実行することができる。
【０６７６】
また、複数のタイマー演出を同時期に実行する場合に、タイマー同士が重ならないように表示しているので、タイマーの秒数が視認しにくくなるといった不都合を回避することができ、遊技の興趣を向上させることが可能となる。
【０６７７】
また、タイマー演出におけるカウントダウン表示（減算表示）は、実際の時間の計時と略同じ間隔で更新されるので、タイマー演出が開始されると、何れかのイベントがいつ発生するのかが予測できるので、所定のイベントが発生するタイミング（タイマーが０秒となる）まで効果的に遊技を盛り上げることができ、遊技の興趣を向上させることが可能となる。
【０６７８】
また、他の演出画像（小演出図柄４８除く）の前方に重なるようにしてタイマーを表示しているので、タイマーの秒数が視認しにくくなるといった不都合を回避することができ、遊技の興趣を向上させることが可能となる。なお、特定の演出画像（例えば大当たり期待度の高い予告演出の画像等）については、タイマーの前方に重なるように表示してもよい。
【０６７９】
また、タイマーの表示は、演出図柄３８の前方に重なる場合があるが、小演出図柄４８の前方には重ならないようにしているので、タイマーの表示が演出図柄３８の前方に重なる場合であっても、第１特別図柄（第２特別図柄）の変動表示の実行状態を遊技者が把握可能となる。
【０６８０】
また、タイマー演出では、何れのタイマー時間（更新パターン）であっても、カウント値が最終到達点（本実施例では、０秒）までカウントされるようになっているのに対し、カウントアップ演出では、カウント値が最終到達点（本実施例では、１２秒）までカウントされる場合とされない場合があるようになっている。このようにすることで、数値をカウントする点では共通する演出であっても、最終到達点（本実施例では、０秒）まで必ずカウントされるか否かの点で違いがあるので、演出のバリエーションを増やすことができ、遊技者の飽きを防止して遊技の興趣を向上させることが可能となる。
【０６８１】
なお、本実施形態では、タイマー演出の実行中に大当たり予告演出を実行可能となっているが、タイマー演出の実行中に大当たり予告演出の実行を制限するようにしてもよい。具体的には、大当たり予告演出が完全に実行されないようにしてもよいし、特定の大当たり予告演出（セリフ予告演出、ステップアップ予告演出、キャラ群予告演出の少なくとも１つ）は実行されないが、それ以外の予告演出（セリフ予告演出、ステップアップ予告演出、キャラ群予告演出の残り）は実行されるようにしてもよい。また、タイマー演出の実行中は大当たりとなることを確定的に報知する確定演出の実行を制限するようにしても良い。
【０６８２】
また、本実施形態では、タイマー演出によって大当たり予告演出の実行を示唆しないようになっているが、大当たり予告演出の実行を示唆するようにしてもよい。また、大当たりとなることを確定的に報知する確定演出を実行する場合において、タイマー演出によって確定演出の実行を示唆するようにしてもよい。
【０６８３】
また、本実施形態では、複数のタイマー演出が同時期に（並行して）実行される場合に、複数のタイマーが待機表示で表示される状態が発生可能となっているが、待機表示で表示されるタイマーが常に１つとなるようにしてもよい。
【０６８４】
また、本実施形態では、タイマー演出における特殊パターンにおいて、タイマーが０秒となったときに秒数の巻き戻しが行われるようにしたが、タイマーが０秒になったときに秒数の上乗せ（書き換え）を行うようにしてもよいし、タイマーが０秒となるまでの間に秒数の減算を一時停止させ、所定期間後に再度減算を開始するようにしてもよい。
【０６８５】
また、本実施形態では、タイマー演出のタイマー種別がショートタイマー、及び、ミドルタイマーである場合には、更新パターンとして特殊パターンが決定されず、ロングタイマーである場合には、更新パターンとして特殊パターンが決定されるようにしたが、ミドルタイマーである場合にも、更新パターンとして特殊パターンが決定されるようにしてもよい。
【０６８６】
また、本実施形態では、画像表示装置３１にタイマーを表示してタイマー演出を実行するようにしたが、画像表示装置３１とは別の第２表示装置を設け、第２表示装置にタイマーを表示してタイマー演出を実行するようにしてもよいし、示唆イベント及び／又はタイマー種別によってタイマーを表示する表示装置を異ならせるようにしてもよい。例えば、第２表示装置に当該変動アイコンや保留アイコンが表示される場合には、アイコン変化を示唆するタイマーを第２表示装置に表示し、その他のイベントを示唆するタイマーについては画像表示装置３１に表示するなどである。
【０６８７】
また、本実施形態では、２つのタイマー演出が実行される場合に、２つのタイマー演出が同一のイベントを示唆することがないが、２つのタイマー演出が同一のイベントを示唆する場合があるようにしてもよい。具体的には、大当たり期待度が低い変動演出パターンが決定されている場合には、２つのタイマー演出が同一のイベントを示唆しないようにし、大当たり期待度が高い変動演出パターンが決定されている場合には、所定の割合で２つのタイマー演出が同一のイベントを示唆するようにするなどである。
【０６８８】
また、本実施形態では、タイマーの表示態様が途中で変化することはないが、途中で変化するようにしてもよい。具体的には、タイマーが巻き戻しされた後に表示態様を変化させたり、タイマーが上乗せや一時停止後に再開した後に表示態様を変化させたりするなどである。
【０６８９】
また、本実施形態では、タイマー演出によって変動演出中に発生するイベントを示唆するようにしたが、ＲＴＣ（リアルタイムクロック）の時間情報に基づいて実行される特別演出の発生をタイマー演出によって示唆するようにしてもよい。
【０６９０】
また、本実施形態では、カウントアップ演出のようなカウントアップ表示（加算表示）を行う演出は、１回の変動演出において１回しか行われないようになっていたが、複数回行なうようにしても良い。この場合、重複して行なうようにしても良いし、重複して行わないようにしても良い。
【０６９１】
また、本実施の形態では、カウントアップ演出におけるカウントアップ表示（加算表示）の数値と、タイマー演出におけるカウントダウン表示（減算表示）の数値とは、数字のサイズが異なる場合があったが、数字のサイズは同じで数字のフォントを異ならせるようにしても良いし、数字のフォントは同じで数字のサイズを異ならせても良いし、双方（数字のサイズ、数字のフォント）を異ならせるようにしても良い。
【０６９２】
また、本実施形態では、通常遊技状態における変動演出を例示していたが、タイマー演出は、通常遊技状態だけでなく、「低確率時短遊技状態」、「高確率時短遊技状態」や「高確率非時短遊技状態」でも実行可能とし、カウントアップ演出は実行不可能、又は、実行し難いようにしても良いし、「低確率時短遊技状態」、「高確率時短遊技状態」や「高確率非時短遊技状態」においては、タイマー演出、及び、カウントアップ演出を実行可能としても良いし、「低確率時短遊技状態」、「高確率時短遊技状態」や「高確率非時短遊技状態」においては、タイマー演出、及び、カウントアップ演出を実行不可能、又は、実行し難いようにしても良い。
【０６９３】
また、本実施形態では、ゾーン演出期間中において、タイマー演出を実行可能としていたが、ゾーン演出期間中においては、タイマー演出を実行不可能、又は、実行し難いようにしても良い。また、ゾーン演出期間中において、カウントアップ演出を実行しないようにしていたが、実行するようにしても良い。
【０６９４】
また、本実施形態では、タイマー演出が実行されると、終了されるまでタイマーの表示が消えることはなかったが、一時的にタイマーが消えるようにしても良い。このようにする場合、タイマーが消えている間も数値が更新するようにしても良いし、消えている間は数値の更新を一時停止させるようにしても良い。
【０６９５】
また、本実施形態では、カウントアップ演出は、リーチ演出の種類を予告する演出であったが、特定のリーチのみを予告（示唆）するようにしても良いし、タイマー演出で示唆しているイベントを予告（示唆）するようにしても良く、予告（示唆）する演出は適宜に設定することができる。つまり、本実施形態では、カウントアップ演出は、リーチ演出の実行前に行われるようになっていたが、示唆する予告の種類によってはリーチ演出の実行後に行われるようにしても良い。
なお、カウントアップ演出をリーチ演出の実行後に行われるようにする場合でも、変動演出の最終局面（終盤）において実行される操作促進演出、及び、当落報知演出においては、実行しないようにした方が良い。このようにすることで、遊技者にとって最も興味がある演出の一つである当落報知演出を妨げることがなくなり、遊技の興趣を向上させることが可能となる。
【０６９６】
また、本実施形態では、カウントアップ演出におけるカウントダウン表示（減算表示）は１種類だけだったが、タイマー演出のように、文字色を複数設けたり、サイズを複数設けるようにしても良い。
【０６９７】
また、本実施形態では、タイマー演出におけるタイマーの表示サイズは複数あったが、同一のサイズしか表示されないようにしても良い。
【０６９８】
また、本実施形態では、タイマー演出におけるカウントダウン表示（減算表示）の最大値の方が、カウントアップ演出におけるカウントアップ表示（加算表示）の最大値よりも大きい数値としていたが、カウントアップ演出におけるカウントアップ表示（加算表示）の方が大きい数値としても良い。
【０６９９】
また、本実施形態では、タイマー演出は同時期に実行可能としていたが、同時期に実行する場合、同時に開始しないようにした方が良く、同時に終了しないようにした方が良い。このようにすることで、遊技者の視線が乱れ過ぎてしまって遊技に集中できなくなるといった不都合を回避することができ、遊技の興趣を向上させることが可能となる。
【０７００】
また、本実施形態では、タイマー演出とカウントアップ演出とは、同時期に実行可能としていたが実行しないようにしても良い。
【０７０１】
また、本実施形態では、演出ボタン３５の有効期間は、当落報知演出の実行前に発生するもの、及び、セリフ予告演出のセリフ表示前に発生するものだけだったが、その他の演出でも発生するようにしても良い。例えば、リーチ成立前に発生するようにし、演出ボタン３５の操作に応じて、リーチとなるか否かを煽るようにしても良い。
【０７０２】
また、本実施の形態では、演出図柄３８を消去させるタイミングとして、カウントアップ演出、次回予告演出、ＳＰＳＰリーチ演出、及び、全回転リーチ演出の実行期間としていたが、これらに限られず、ＳＰリーチ演出の実行期間でも消去させるようにしても良い。
【０７０３】
また、本実施の形態では、演出図柄３８がリーチ状態となった後に消去された場合、小演出図柄４８をリーチ状態となるようにしていたが、演出図柄３８がリーチ状態となったら、演出図柄３８が消去されていなくても、小演出図柄４８をリーチ状態としても良いし、演出図柄３８がリーチ状態となった後に消去された場合でも、小演出図柄４８をリーチ状態としないようにしても良い。
【０７０４】
また、本実施の形態では、大当たりの場合でもハズレの場合でも、演出図柄３８と小演出図柄４８との停止表示は同様の組合せとしていたが、大当たりの場合は同様の組合せで停止表示させ、ハズレの場合は異なる組合せとしても良い。例えば、ハズレの場合は、小演出図柄４８の停止表示の組合せは１通りしかないようにする。
【０７０５】
（変形例１）
本実施形態では、数値をカウントアップ表示（加算表示）するカウントアップ演出と、数値をカウントダウン表示（減算表示）するタイマー演出とを実行可能としていたが、カウントアップ表示（加算表示）とカウントダウン表示（減算表示）とを組み合わせた演出（特殊タイマー演出）を実行可能としても良い。
【０７０６】
具体的には、図５７を用いて、特殊タイマー演出の演出例を説明する。
【０７０７】
図５７（ａ）に示すように、第１特別図柄保留数が「１」となっている状態で第１特別図柄の変動時間が終了すると、画像表示装置３１では演出図柄３８「１６５」が停止表示されて変動演出が終了する。また、小演出図柄４８も「１６５」で停止表示されている。
【０７０８】
そして、図５７（ｂ）に示すように、第１特別図柄の変動表示が開始されると、第１保留アイコンが当該変動アイコンＴＩに変化し、演出図柄３８の変動表示が開始されて変動演出が実行される。また、小演出図柄４８の変動表示も開始される。
【０７０９】
その後、図５７（ｃ）に示すように、特殊タイマーＷＴＷが表示されると共に、キャラクタが表示されることで、特殊タイマー演出が開始されたことを報知している。
【０７１０】
また、カウントアップ演出が開始されると、演出図柄３８は消去されるが、小演出図柄４８は消去されずに変動表示が継続される。
【０７１１】
そして、図５７（ｄ）に示すように、特殊タイマー演出が開始されると、タイマー時間のカウントアップ表示（加算表示）が開始される。
【０７１２】
次に、カウントアップ表示（加算表示）が終了する（止まる）と、キャラクタによってカウントアップ表示（加算表示）が終了したことを報知した後（図５７（ｅ）参照）、特殊タイマーＷＴＷが画像表示装置３１の中央付近に移動表示される（図５７（ｆ）参照）。
【０７１３】
そして、図５７（ｇ）に示すように、それまで加算されたタイマー時間のカウントダウン表示（減算表示）が開始される。
【０７１４】
その後、特殊タイマーＷＴＷが「０秒」になった後（図５７（ｈ）参照）、「次回予告」との文字が表示されると（図５７（ｉ）参照）、次回予告演出が開始され、画像表示装置３１に「次回予告  ＳＰＳＰリーチ！」の文字が表示される（図５７（ｊ）参照）。そして、小演出図柄４８は、リーチ状態となり表示される。
【０７１５】
そして、図５７（ｋ）に示すように、ＳＰＳＰリーチ演出が開始される。このとき、演出図柄３８は、消去されたままである。
【０７１６】
なお、特殊タイマー演出の演出例として、カウントアップ表示（加算表示）が終了する数値が「２０．００秒」の一例を示したが、本実施形態のカウントアップ演出と同じように複数の終了タイミング（数値）を設けるようにすれば良い。
また、カウントダウン表示（減算表示）され、０秒となった際には、本実施形態のタイマー演出と同じように様々なイベントが発生可能とすれば良い。
【０７１７】
このように、カウントアップ表示（加算表示）とカウントダウン表示（減算表示）とを組み合わせた演出（特殊タイマー演出）を実行することによって、カウントアップ表示（加算表示）中は、カウント値が最大値まで加算されるか否かに対する遊技者の期待感を盛り上げることができ、カウントダウン表示（減算表示）中は、０秒となった際に如何なるイベントが実行されるのかに対するドキドキ感や高揚感を遊技者に抱かせることができ、遊技の興趣を向上させることが可能となる。
【０７１８】
なお、特殊タイマー演出の実行中において、本実施形態のようなタイマー演出を実行可能としても良いし、実行不可能、又は、実行し難いようにしても良いが、実行不可能、又は、実行し難いようにした方が好ましい。このようにすることで、遊技者の視線が乱れ過ぎてしまって遊技に集中できなくなるといった不都合を回避することができ、遊技の興趣を向上させることが可能となる。
また、特殊タイマー演出の実行中において、本実施形態のようなタイマー演出を実行可能とする場合も、同時に開始すること、及び、同時に終了することがないようにした方が良い。
【０７１９】
また、カウントダウン表示（減算表示）中は、本実施形態のタイマー演出のように演出図柄３８を表示させるようにしても良い。
【０７２０】
（変形例２）
本実施形態のカウントアップ演出では、連続した数値がカウントアップ表示（加算表示）していたが、カウントアップ表示（加算表示）方法はこのような表示方法に限定されず適宜に設定することができる。なお、特に言及する事項以外は、本実施形態のカウントアップ演出と同様とする。
【０７２１】
例えば、連続した数値ではなく、飛び飛びの数値がカウントアップ表示（加算表示）されるものでも良い。具体的には、少なくとも変動演出ではＳＰＳＰリーチ中以外においてメーターが表示されており、様々なタイミングで「+５」、「+２０」や「+２５」といった数値がメーターにカウントアップ表示（加算表示）されていき、カウント値が最大値（例えば、「１００」）までカウントアップ表示（加算表示）されれば、ＳＰＳＰリーチに発展することが確定することを示唆するようにし、カウント値が最大値までカウントアップ表示（加算表示）されなかったときは何も示唆しないようにすれば良い。
【０７２２】
また、本実施形態のカウントアップ演出と同様に、カウント値が最大値でなくても、何れかのイベント（ノーマルリーチ等）を示唆するようにしても良いし、特定の数値（例えば、７７といったゾロ目などの特殊な数値）となることで、大当たりとなることを示唆するようにしても良い。
【０７２３】
また、ＳＰＳＰリーチとなるまでの前半期間（例えば、リーチとなるまでの期間）においては、数値が増え易く、後半期間（リーチとなってからカウントアップ演出が終了するまでの期間）においては、数値が増えにくいようにしても良い。このようにすることで、変動演出を効果的に盛り上げることができ、遊技の興趣を向上させることが可能となる。
【０７２４】
また、数値ではなく、グラフのようなゲージメーターが加算表示されるものでも良いし、アイコンやキャラクタ等の数（人数）が加算表示されるものでも良い。
【０７２５】
＜上記実施の形態に記載された他の発明等について＞
以下、上記本実施の形態に記載された他の発明等について記載する。
【０７２６】
従来の遊技機では、始動条件が成立すると、遊技者に有利な特別遊技を実行するか否かの判定情報を取得し、判定情報を記憶する。そして、判定条件が成立すると記憶されている判定情報を判定すると共に、当該判定の結果に応じた変動演出を実行し、当該変動演出が特別結果になると特別遊技を実行するものがある。このような遊技機の中には、変動演出において、特別遊技を実行する可能性を示唆する予告演出が実行されるまでの残り時間をカウントするタイマー演出を実行することで遊技の興趣を高めるようにしたものがある（例えば、特開２０１３−１９８５６８号公報参照）。しかしながら、上記特許文献１に記載の遊技機には、遊技の興趣の向上を図るには未だ改善の余地が残されていた。
【０７２７】
上記課題を解決するための第１の構成として、本実施形態の遊技機１によれば、遊技者に有利な特別遊技（大当たり遊技）を実行するか否かを判定し、当該判定結果に応じた変動演出を実行可能な遊技機において、前記変動演出において表示手段（画像表示装置３１）に数値情報を表示する数値情報表示手段（演出制御基板１２０）と、前記判定結果に基づいて前記数値情報を最終数値に向けて更新していく更新演出を実行する演出実行手段（演出制御基板１２０）と、を備え、前記更新演出は、最終数値まで更新する第１更新演出（タイマー演出）と、最終数値まで更新する場合と更新しない場合とがある第２更新演出（カウントアップ演出）と、を含み、前記演出実行手段は、前記更新演出において前記数値情報を最終数値まで更新した後に、前記特別遊技を実行する可能性を示唆する複数種類の特定演出（ノーマルリーチ、ＳＰリーチ、ＳＰＳＰリーチ、全回転リーチ、擬似連、ゾーン演出、次回予告演出、有効期間、アイコン変化、カウントアップ演出等）のうちの何れかの特定演出を実行可能であるようにしている。このようにしたことで、遊技の興趣を向上させることが可能となる。
【０７２８】
上記課題を解決するための第２の構成として、本実施形態の遊技機１によれば、遊技者に有利な特別遊技（大当たり遊技）を実行するか否かを判定し、当該判定結果に応じた変動演出を実行可能な遊技機において、前記変動演出において表示手段（画像表示装置３１）に数値情報を表示する数値情報表示手段（演出制御基板１２０）と、前記判定結果に基づいて前記数値情報を最終数値に向けて更新していく更新演出を実行する演出実行手段（演出制御基板１２０）と、を備え、前記更新演出は、最終数値まで更新する第１更新演出（タイマー演出）と、最終数値まで更新する場合と更新しない場合とがある第２更新演出（カウントアップ演出）と、を含み、前記演出実行手段は、前記更新演出において前記数値情報を最終数値まで更新した後に、前記特別遊技を実行する可能性を示唆する複数種類の特定演出（ノーマルリーチ、ＳＰリーチ、ＳＰＳＰリーチ、全回転リーチ、擬似連、ゾーン演出、次回予告演出、有効期間、アイコン変化、カウントアップ演出等）のうちの何れかの特定演出を実行可能であり、前記第１更新演出と、前記第２更新演出とを並行して実行可能であるようにしている。このようにしたことで、遊技の興趣を向上させることが可能となる。
【０７２９】
上記課題を解決するための第３の構成として、本実施形態の遊技機１によれば、遊技者に有利な特別遊技（大当たり遊技）を実行するか否かを判定し、当該判定結果に応じた変動演出を実行可能な遊技機において、前記変動演出において表示手段（画像表示装置３１）に数値情報を表示する数値情報表示手段（演出制御基板１２０）と、前記判定結果に基づいて前記数値情報を最終数値に向けて更新していく更新演出を実行する演出実行手段（演出制御基板１２０）と、を備え、前記更新演出は、最終数値まで更新する第１更新演出（タイマー演出）と、最終数値まで更新する場合と更新しない場合とがある第２更新演出（カウントアップ演出）と、を含み、前記演出実行手段は、前記更新演出において前記数値情報を最終数値まで更新した後に、前記特別遊技を実行する可能性を示唆する複数種類の特定演出（ノーマルリーチ、ＳＰリーチ、ＳＰＳＰリーチ、全回転リーチ、擬似連、ゾーン演出、次回予告演出、有効期間、アイコン変化、カウントアップ演出等）のうちの何れかの特定演出を実行可能であり、前記第１更新演出と、前記第２更新演出とを並行して実行可能であるが、それぞれ異なるタイミングで開始する。このようにしたことで、遊技の興趣を向上させることが可能となる。
【０７３０】
上記課題を解決するための第４の構成として、本実施形態の遊技機１によれば、遊技者に有利な特別遊技（大当たり遊技）を実行するか否かを判定し、当該判定結果に応じた変動演出を実行可能な遊技機において、前記変動演出において表示手段（画像表示装置３１）に数値情報を表示する数値情報表示手段（演出制御基板１２０）と、前記判定結果に基づいて前記数値情報を最終数値に向けて更新していく更新演出を実行する演出実行手段（演出制御基板１２０）と、を備え、前記更新演出は、最終数値まで更新する第１更新演出（タイマー演出）と、最終数値まで更新する場合と更新しない場合とがある第２更新演出（カウントアップ演出）と、を含み、前記演出実行手段は、前記更新演出において前記数値情報を最終数値まで更新した後に、前記特別遊技を実行する可能性を示唆する複数種類の特定演出（ノーマルリーチ、ＳＰリーチ、ＳＰＳＰリーチ、全回転リーチ、擬似連、ゾーン演出、次回予告演出、有効期間、アイコン変化、カウントアップ演出等）のうちの何れかの特定演出を実行可能であり、前記第１更新演出と、前記第２更新演出とを並行して実行可能であるが、それぞれ異なるタイミングで終了する。このようにしたことで、遊技の興趣を向上させることが可能となる。
【０７３１】
上記課題を解決するための第５の構成として、本実施形態の遊技機１によれば、遊技者に有利な特別遊技（大当たり遊技）を実行するか否かを判定し、当該判定結果に応じた変動演出を実行可能な遊技機において、前記変動演出において表示手段（画像表示装置３１）に数値情報を表示する数値情報表示手段（演出制御基板１２０）と、前記判定結果に基づいて前記数値情報を最終数値に向けて更新していく更新演出を実行する演出実行手段（演出制御基板１２０）と、を備え、前記更新演出は、最終数値まで更新する第１更新演出（タイマー演出）と、最終数値まで更新する場合と更新しない場合とがある第２更新演出（カウントアップ演出）と、を含み、前記演出実行手段は、前記更新演出において前記数値情報を最終数値まで更新した後に、前記特別遊技を実行する可能性を示唆する複数種類の特定演出（ノーマルリーチ、ＳＰリーチ、ＳＰＳＰリーチ、全回転リーチ、擬似連、ゾーン演出、次回予告演出、有効期間、アイコン変化、カウントアップ演出等）のうちの何れかの特定演出を実行可能であり、前記変動演出における第１の期間（通常変動期間、短縮変動期間等）においては、前記第１更新演出と、前記第２更新演出とを並行して実行可能である一方、前記変動演出における前記第１の期間とは異なる第２の期間（ノーマルリーチ演出期間、ＳＰリーチ演出期間、ＳＰＳＰリーチ演出期間等）においては、前記第１更新演出と、前記第２更新演出とを並行して実行不可能であるようにしている。このようにしたことで、遊技の興趣を向上させることが可能となる。
【０７３２】
上記課題を解決するための第６の構成として、本実施形態の遊技機１によれば、遊技者に有利な特別遊技（大当たり遊技）を実行するか否かを判定し、当該判定結果に応じた変動演出を実行可能な遊技機において、前記変動演出において表示手段（画像表示装置３１）に数値情報を表示する数値情報表示手段（演出制御基板１２０）と、前記判定結果に基づいて前記数値情報を最終数値に向けて更新していく更新演出を実行する演出実行手段（演出制御基板１２０）と、を備え、前記更新演出は、最終数値まで更新する第１更新演出（タイマー演出）と、最終数値まで更新する場合と更新しない場合とがある第２更新演出（カウントアップ演出）と、を含み、前記演出実行手段は、前記更新演出において前記数値情報を最終数値まで更新した後に、前記特別遊技を実行する可能性を示唆する複数種類の特定演出（ノーマルリーチ、ＳＰリーチ、ＳＰＳＰリーチ、全回転リーチ、擬似連、ゾーン演出、次回予告演出、有効期間、アイコン変化、カウントアップ演出等）のうちの何れかの特定演出を実行可能であり、前記変動演出において前記第１更新演出は複数回実行可能である一方、前記変動演出において前記第２更新演出は複数回実行不可能であるようにしている。このようにしたことで、遊技の興趣を向上させることが可能となる。
【０７３３】
上記課題を解決するための第７の構成として、本実施形態の遊技機１によれば、遊技者に有利な特別遊技（大当たり遊技）を実行するか否かを判定し、当該判定結果に応じた変動演出を実行可能な遊技機において、前記変動演出において表示手段（画像表示装置３１）に数値情報を表示する数値情報表示手段（演出制御基板１２０）と、前記判定結果に基づいて前記数値情報を最終数値に向けて更新していく更新演出を実行する演出実行手段（演出制御基板１２０）と、を備え、前記更新演出は、最終数値まで更新する第１更新演出（タイマー演出）と、最終数値まで更新する場合と更新しない場合とがある第２更新演出（カウントアップ演出）と、を含み、前記演出実行手段は、前記更新演出において前記数値情報を最終数値まで更新した後に、前記特別遊技を実行する可能性を示唆する複数種類の特定演出（ノーマルリーチ、ＳＰリーチ、ＳＰＳＰリーチ、全回転リーチ、擬似連、ゾーン演出、次回予告演出、有効期間、アイコン変化、カウントアップ演出等）のうちの何れかの特定演出を実行可能であり、前記第１更新演出においては前記数値情報を一定の間隔で更新する一方、前記第２更新演出においては前記数値情報を不定の間隔で更新するようにしている。このようにしたことで、遊技の興趣を向上させることが可能となる。
【０７３４】
上記課題を解決するための第８の構成として、本実施形態の遊技機１によれば、遊技者に有利な特別遊技（大当たり遊技）を実行するか否かを判定し、当該判定結果に応じた変動演出を実行可能な遊技機において、前記変動演出において表示手段（画像表示装置３１）に数値情報を表示する数値情報表示手段（演出制御基板１２０）と、前記判定結果に基づいて前記数値情報を最終数値に向けて更新していく更新演出（タイマー演出、カウントアップ演出）を実行する更新演出実行手段（演出制御基板１２０）と、前記判定結果に基づいて前記表示手段に所定画像を表示させることで前記特別遊技が実行される可能性を示唆する特定演出（アイコン変化、セリフ予告演出、ステップアップ予告演出等）を実行する特定演出実行手段（演出制御基板１２０）と、を備え、前記数値情報と前記所定画像とは、第１の色（例えば、通常色）で表示する場合と、前記第１の色とは異なる第２の色（例えば、赤色）で表示する場合と、を含み、前記更新演出と前記特定演出とでは、前記数値情報、又は、前記所定画像が前記第２の色で表示される場合の方が前記数値情報、又は、前記所定画像が前記第１の色で表示される場合よりも前記特別遊技が実行される可能性が高いようにしている。このようにしたことで、遊技の興趣を向上させることが可能となる。
【０７３５】
なお、「数値情報」とは、タイマー演出やカウントアップ演出において表示される「数値」である。また、第１更新演出における「最終数値」とは、タイマー演出における「０秒」であり、第２更新演出における「最終数値」とは、カウントアップ演出における「最大値（１２秒）」である。また、「不定の間隔」とは、本実施形態のカウントアップ演出のような一部のタイミングで不規則にカウントしていくものや変形例２のような常に不規則にカウントしていくもの等を含む。
【産業上の利用可能性】
【０７３６】
なお、本実施形態の遊技機１は、全ての大当たり遊技の終了後に所定回数に亘る高確率遊技状態に移行させるものとしたが、大当たり遊技の特定のラウンド遊技において開放した第１大入賞口１６、又は、第２大入賞口１７の内部に設けられる特定領域を遊技球が通過した場合に、大当たり遊技の終了後に所定回数に亘る高確率遊技状態に移行させる遊技機としてもよい。
【０７３７】
また、全ての大当たり遊技の終了後に高確率遊技状態に移行させ、高確率遊技状態における特別図柄の変動表示の開始時に実行される転落抽選に当選した場合に、高確率遊技状態を終了させて通常遊技状態に復帰させる遊技機としてもよい。
【０７３８】
また、大当たり特別図柄の種類が通常図柄である場合には、大当たり遊技の終了後に低確率遊技状態に移行させ、大当たり特別図柄の種類が特定図柄である場合には、大当たり遊技の終了後に次回の大当たり遊技まで継続する高確率遊技状態に移行させる遊技機としてもよい。
【０７３９】
また、本実施形態の遊技機１は、第１特別図柄の変動表示と第２特別図柄の変動表示とが同時に（並行して）実行されず、第２特別図柄の変動表示が優先して実行されるものとしたが、第１特別図柄の変動表示と第２特別図柄の変動表示とが同時に（並行して）実行される遊技機としてもよいし、第１特別図柄の変動表示が優先して実行されるものとしてもよい。
【０７４０】
なお、本発明の遊技機は、パチンコ遊技機に限られるものではなく、回胴式遊技機（いわゆるスロットマシン）にも用いることもできる。さらには、じゃん球遊技機、アレンジボール遊技機に用いることもできる。
【０７４１】
また、今回開示された実施の形態はすべての点で例示であって制限的なものではないと考えられるべきである。本発明の範囲は上記した説明ではなくて特許請求の範囲によって示され、特許請求の範囲と均等の意味、及び、範囲内でのすべての変更が含まれることが意図される。
【符号の説明】
【０７４２】
１        遊技機
１１０        主制御基板
１１０ａ      メインＣＰＵ
１１０ｂ      メインＲＯＭ
１１０ｃ      メインＲＡＭ
１２０        演出制御基板
１２０ａ      サブＣＰＵ
１２０ｂ      サブＲＯＭ
１２０ｃ      サブＲＡＭ
１２０ｍ      演出制御部
１５０        画像制御部
【図１】
2019042027.tif 000003
【図２】
2019042027.tif 000004
【図３】
2019042027.tif 000005
【図４】
2019042027.tif 000006
【図５】
2019042027.tif 000007
【図６】
2019042027.tif 000008
【図７】
2019042027.tif 000009
【図８】
2019042027.tif 000010
【図９】
2019042027.tif 000011
【図１０】
2019042027.tif 000012
【図１１】
2019042027.tif 000013
【図１２】
2019042027.tif 000014
【図１３】
2019042027.tif 000015
【図１４】
2019042027.tif 000016
【図１５】
2019042027.tif 000017
【図１６】
2019042027.tif 000018
【図１７】
2019042027.tif 000019
【図１８】
2019042027.tif 000020
【図１９】
2019042027.tif 000021
【図２０】
2019042027.tif 000022
【図２１】
2019042027.tif 000023
【図２２】
2019042027.tif 000024
【図２３】
2019042027.tif 000025
【図２４】
2019042027.tif 000026
【図２５】
2019042027.tif 000027
【図２６】
2019042027.tif 000028
【図２７】
2019042027.tif 000029
【図２８】
2019042027.tif 000030
【図２９】
2019042027.tif 000031
【図３０】
2019042027.tif 000032
【図３１】
2019042027.tif 000033
【図３２】
2019042027.tif 000034
【図３３】
2019042027.tif 000035
【図３４】
2019042027.tif 000036
【図３５】
2019042027.tif 000037
【図３６】
2019042027.tif 000038
【図３７】
2019042027.tif 000039
【図３８】
2019042027.tif 000040
【図３９】
2019042027.tif 000041
【図４０】
2019042027.tif 000042
【図４１】
2019042027.tif 000043
【図４２】
2019042027.tif 000044
【図４３】
2019042027.tif 000045
【図４４】
2019042027.tif 000046
【図４５】
2019042027.tif 000047
【図４６】
2019042027.tif 000048
【図４７】
2019042027.tif 000049
【図４８】
2019042027.tif 000050
【図４９】
2019042027.tif 000051
【図５０】
2019042027.tif 000052
【図５１】
2019042027.tif 000053
【図５２】
2019042027.tif 000054
【図５３】
2019042027.tif 000055
【図５４】
2019042027.tif 000056
【図５５】
2019042027.tif 000057
【図５６】
2019042027.tif 000058
【図５７】
2019042027.tif 000059